(57)【要約】  ネックウェアは、ネックバンドおよびネックバンドモジュールを含み、一つまたは複数の締結具部材と、コイン、メダル、またはバーの、一つまたは複数のディスプレイセグメントとをさらに含む。ネックバンドはネックバンドモジュールに接続され、一つまたは複数の締結具部材が、ネックバンドモジュールと一つまたは複数のディスプレイセグメントとを旋回可能に接続する。また、ネックウェアのために提供されるのは、気密されたネックバンドモジュールまたはディスプレイセグメントと、内部交換可能であるように構成されたディスプレイセグメントと、ネックバンドモジュールまたはディスプレイセグメントまたは胴体セグメントのためのディスプレイインサートと、交換可能なディスプレイセグメントに適応するための締結具部材付きネックバンドモジュールである。【選択図】なし【特許請求の範囲】
【請求項１】
ネックウェアであって、
（ａ）ネックバンドと、
（ｂ）第一コイン、メダル、または地金バーと、
（ｃ）第二コイン、メダル、または地金バーと、
（ｄ）ガラスを介して前記第一コイン、メダル、または地金バーを飾る、気密されたネックバンドモジュールと、
（ｅ）ガラスを介して前記第二コイン、メダル、または地金バーを飾る、少なくとも一つの気密されたディスプレイセグメントと、
（ｆ）少なくとも一つの締結具と、を備え、
前記ネックバンドが前記気密されたネックバンドモジュールに接続され、前記気密されたネックバンドモジュールが前記少なくとも一つの気密されたディスプレイセグメントに接続され、
前記気密されたネックバンドモジュールが前記第一コイン、メダル、または地金バーを含み、
前記少なくとも一つの気密されたディスプレイセグメントが前記第二コイン、メダル、または地金バーを含み、
前記少なくとも一つの締結具が、前記気密されたネックバンドモジュールを前記少なくとも一つの気密されたディスプレイセグメントに旋回可能に接続する第一締結具を含む、ネックウェア。
【請求項２】
前記少なくとも一つの気密されたディスプレイセグメントが、複数の気密されたディスプレイセグメントを備え、前記複数の気密されたディスプレイセグメントが、第一気密されたディスプレイセグメントと第二気密されたディスプレイセグメントとを含み、
前記少なくとも一つの締結具が、前記第一気密されたディスプレイセグメントを前記第二気密されたディスプレイセグメントに接続する第二締結具をさらに備える、請求項１に記載のネックウェア。
【請求項３】
前記少なくとも一つの気密されたディスプレイセグメントが、内部交換可能な気密されたディスプレイセグメントを含む、請求項１に記載のネックウェア。
【請求項４】
前記ネックウェアが、前記ネックウェアをシャツに固定するよう構成されるクリップセグメントをさらに備える、請求項１に記載のネックウェア。
【請求項５】
前記ネックウェアが、コイン、メダル、または地金バーを含まない少なくとも一つの胴体セグメントをさらに備える、請求項１に記載のネックウェア。
【請求項６】
前記少なくとも一つのコイン、メダル、または地金バーが、銀、銅、金、またはプラチナを含む、請求項１に記載のネックウェア。
【請求項７】
前記少なくとも一つの締結具が分離ヒンジを備える、請求項１に記載のネックウェア。
【請求項８】
前記少なくとも一つの締結具が、クイックリリースバックルを備える、請求項１に記載のネックウェア。
【請求項９】
前記複数の気密されたディスプレイセグメントが、内部交換可能な気密されたディスプレイセグメントを備える、請求項２に記載のネックウェア。
【請求項１０】
前記少なくとも一つの内部交換可能な気密されたディスプレイセグメントが、鍵またはツールなしで内部交換されるよう構成される、請求項３に記載のネックウェア。
【請求項１１】
ネックウェアであって、
（ａ）ネックバンドと、
（ｂ）ネックバンドモジュールと、
（ｃ）コイン、メダル、または地金バーと、
（ｄ）ガラスを介して前記コイン、メダル、または地金バーを飾る、少なくとも一つの気密されたディスプレイセグメントと、
（ｅ）少なくとも一つの締結具と、を備えるネックウェアであって、
前記ネックバンドが前記ネックバンドモジュールに接続され、前記ネックバンドモジュールが前記少なくとも一つの気密されたディスプレイセグメントに接続され、
前記ネックバンドモジュールがコイン、メダル、または地金バーを飾らず、前記ネックバンドモジュールが気密されておらず、
前記少なくとも一つの気密されたディスプレイセグメントが前記コイン、メダル、または地金バーを含み、
前記少なくとも一つ締結具が、前記ネックバンドモジュールを少なくとも一つの気密されたディスプレイセグメントに旋回可能に接続する第一締結具を含む、ネックウェア。
【請求項１２】
ネックウェアであって、
ネックバンドと、
コイン、メダル、または地金バーと、
ネックバンドモジュールと、を備え、
前記ネックバンドが前記ネックバンドモジュールに接続され、
前記ネックバンドモジュールが、ガラスを介して前記コイン、メダル、または地金バーを飾り、
前記ネックバンドモジュールが気密されており、前記コイン、メダル、または地金バーを含む、ネックウェア。
【請求項１３】
前記気密されたネックバンドモジュールが、前記コイン、メダル、または地金バーを含むコインホルダ、コインカプセル、または地金バーカプセルをさらに含む、請求項１２に記載のネックウェア。
【請求項１４】
前記気密されたネックバンドモジュールが、少なくとも一つの交換可能なディスプレイセグメントに接続するため、または、コイン、メダル、または地金バーを含まない少なくとも一つの交換可能な胴体セグメントに接続するための、締結具または締結具部材を含む、請求項１２に記載のネックウェア。
【請求項１５】
ネックウェアのための交換可能なディスプレイセグメントであって、前記ディスプレイセグメントが気密され、前記ディスプレイセグメントがガラスを介してコイン、メダル、または地金バーを飾り、前記ディスプレイセグメントが前記コイン、メダル、または地金バーを含む、ディスプレイセグメント。
【請求項１６】
前記コイン、メダル、または地金バーが、前記気密されたディスプレイセグメント内のコインホルダ、コインカプセル、または地金バーカプセルによって封入される、請求項１５に記載の交換可能な気密されたディスプレイセグメント。
【請求項１７】
前記気密されたディスプレイセグメントが、締結具または締結具部材を含む、請求項１５に記載の交換可能な気密されたディスプレイセグメント。
【請求項１８】
前記締結具または締結具部材が分離ヒンジまたは分離ヒンジの部材を備える、請求項１７に記載の交換可能な気密されたディスプレイセグメント。
【請求項１９】
前記締結具または締結具部材は、クイックリリースバックルまたはクイックリリースバックルの部材を備える、請求項１７に記載の交換可能な気密されたディスプレイセグメント。
【請求項２０】
ネックウェアであって、
（ａ）ネックバンドと、
（ｂ）ネックバンドモジュールと、
（ｃ）少なくとも一つのディスプレイセグメントと、
（ｄ）第一コイン、メダル、または地金バーと、
（ｅ）第二コイン、メダル、または地金バーと、
（ｆ）少なくとも一つの締結具と、を備え、
前記ネックバンドが前記ネックバンドモジュールに接続され、前記ネックバンドモジュールが前記少なくとも一つのディスプレイセグメントに接続され、
前記ネックバンドモジュールが、前記第一コイン、メダル、または地金バーを飾り、
前記少なくとも一つのディスプレイセグメントが前記第二コイン、メダル、または地金バーを飾り、
前記少なくとも一つ締結具が、前記ネックバンドモジュールを前記少なくとも一つのディスプレイセグメントに旋回可能に接続する第一締結具を含む、ネックウェア。
【請求項２１】
前記少なくとも一つのディスプレイセグメントが、複数のディスプレイセグメントを備え、前記複数のディスプレイセグメントが、第一ディスプレイセグメントと第二ディスプレイセグメントとを含み、
前記少なくとも一つの締結具が、前記第一ディスプレイセグメントを前記第二ディスプレイセグメントに接続する第二締結具をさらに備える、請求項２０に記載のネックウェア。
【請求項２２】
前記少なくとも一つのディスプレイセグメントが、内部交換可能なディスプレイセグメントを含む、請求項２０に記載のネックウェア。
【請求項２３】
前記少なくとも一つのディスプレイセグメントが、一つまたは二つのガラスディスプレイウィンドウを含む、請求項２０に記載のネックウェア。
【請求項２４】
前記少なくとも一つのディスプレイセグメントが、留め具を含む、請求項２０に記載のネックウェア。
【請求項２５】
前記ネックウェアが、前記ネックウェアをシャツに固定するよう構成されるクリップセグメントをさらに備える、請求項２０に記載のネックウェア。
【請求項２６】
前記ネックウェアが、コイン、メダル、または地金バーを含まない少なくとも一つの胴体セグメントをさらに備える、請求項２０に記載のネックウェア。
【請求項２７】
前記少なくとも一つの締結具が分離ヒンジを備える、請求項２０に記載のネックウェア。
【請求項２８】
前記少なくとも一つの締結具が、クイックリリースバックルを備える、請求項２０に記載のネックウェア。
【請求項２９】
前記複数のディスプレイセグメントが、内部交換可能なディスプレイセグメントを備える、請求項２１に記載のネックウェア。
【請求項３０】
前記少なくとも一つの内部交換可能なディスプレイセグメントが、鍵またはツールなしで内部交換されるよう構成される、請求項２２に記載のネックウェア。
【請求項３１】
前記留め具は、キーまたはツールなしで、前記少なくとも一つのディスプレイセグメントに接続および接続解除されるよう構成される、請求項２４に記載のネックウェア。
【請求項３２】
ネックウェアであって、
ネックバンドと、
コイン、メダル、または地金バーと、
ネックバンドモジュールと、を備え、前記ネックバンドが前記ネックバンドモジュールに接続され、
前記ネックバンドモジュールが、前記コイン、メダル、または地金バーを飾り、
前記ネックバンドモジュールが、前記ネックバンドモジュールを少なくとも一つの交換可能なディスプレイセグメントまたは少なくとも一つの交換可能な胴体セグメントに接続するための締結具または締結具部材を含む、ネックウェア。
【請求項３３】
前記ネックバンドモジュールが留め具を含む、請求項３２に記載のネックウェア。
【請求項３４】
前記ネックバンドモジュールが、一つまたは二つのガラスディスプレイウィンドウを含む、請求項３２に記載のネックウェア。
【請求項３５】
前記締結具または締結具部材が分離ヒンジまたは分離ヒンジの部材を備える、請求項３２に記載のネックウェア。
【請求項３６】
前記締結具または締結具部材は、クイックリリースバックルまたはクイックリリースバックルの部材を備える、請求項３２に記載のネックウェア。
【請求項３７】
前記留め具は、キーまたはツールなしで、接続および接続解除されるよう構成される、請求項３３に記載のネックウェア。
【請求項３８】
前記ディスプレイセグメントがコイン、メダル、または地金バーを飾り、前記ディスプレイセグメントが締結具または締結具部材を含む、ネックウェアのための交換可能なディスプレイセグメント。
【請求項３９】
前記締結具または締結具部材が分離ヒンジまたは分離ヒンジの部材を備える、請求項３８に記載の交換可能なディスプレイセグメント。
【請求項４０】
前記締結具または締結具部材は、クイックリリースバックルまたはクイックリリースバックルの部材を備える、請求項３８に記載の交換可能なディスプレイセグメント。
【請求項４１】
ネックバンドモジュールまたはネックウェアのディスプレイセグメント内に収容されるように構成された、交換可能なコイン、メダル、または地金バー。
【請求項４２】
ネックウェアであって、
（ａ）ネックバンドと、
（ｂ）ネックバンドモジュールと、
（ｃ）少なくとも一つのディスプレイセグメントと、
（ｄ）第一ディスプレイインサートと、
（ｅ）第二ディスプレイインサートと、
（ｆ）少なくとも一つの締結具と、を備え、
前記ネックバンドが前記ネックバンドモジュールに接続され、前記ネックバンドモジュールが前記少なくとも一つのディスプレイセグメントに接続され、
前記ネックバンドモジュールが前記第一ディスプレイインサートを収容し、
前記少なくとも一つのディスプレイセグメントが、前記第二のディスプレイインサートを収容し、
前記少なくとも一つ締結具が、前記ネックバンドモジュールを前記少なくとも一つのディスプレイセグメントに旋回可能に接続する第一締結具を含む、ネックウェア。
【請求項４３】
前記少なくとも一つのディスプレイセグメントが、複数のディスプレイセグメントを備え、前記複数のディスプレイセグメントが、第一ディスプレイセグメントと第二ディスプレイセグメントとを含み、
前記少なくとも一つの締結具が、前記第一ディスプレイセグメントを前記第二ディスプレイセグメントに接続する第二締結具をさらに備える、請求項４２に記載のネックウェア。
【請求項４４】
前記少なくとも一つのディスプレイセグメントが、内部交換可能なディスプレイセグメントを含む、請求項４２に記載のネックウェア。
【請求項４５】
前記少なくとも一つのディスプレイセグメントが、留め具を含む、請求項４２に記載のネックウェア。
【請求項４６】
前記ネックウェアが、前記ネックウェアをシャツに固定するよう構成されるクリップセグメントをさらに備える、請求項４２に記載のネックウェア。
【請求項４７】
前記ネックウェアが、ディスプレイインサートを収容するよう構成されない、少なくとも一つの胴体セグメントをさらに備える、請求項４２に記載のネックウェア。
【請求項４８】
前記少なくとも一つの締結具が分離ヒンジを備える、請求項４２に記載のネックウェア。
【請求項４９】
前記少なくとも一つの締結具が、クイックリリースバックルを備える、請求項４２に記載のネックウェア。
【請求項５０】
前記ディスプレイインサートが、コインホルダ、コインカプセル、または地金バーカプセルを含む、請求項４２に記載のネックウェア。
【請求項５１】
前記ディスプレイインサートが、コイン、メダル、または地金バーを飾る、請求項５０に記載のネックウェア。
【請求項５２】
前記複数のディスプレイセグメントが、内部交換可能なディスプレイセグメントを備える、請求項４３に記載のネックウェア。
【請求項５３】
前記少なくとも一つの内部交換可能なディスプレイセグメントが、鍵またはツールなしで内部交換されるよう構成される、請求項４４に記載のネックウェア。
【請求項５４】
前記留め具は、キーまたはツールなしで、前記少なくとも一つのディスプレイセグメントに接続および接続解除されるよう構成される、請求項４５に記載のネックウェア。
【請求項５５】
前記コインホルダ、コインカプセル、または地金バーカプセルが、コイン、メダル、または地金バーを含める、請求項５０に記載のネックウェア。
【請求項５６】
ネックウェアであって、
ネックバンドと、
ディスプレイインサートと、
ネックバンドモジュールと、を備え、
前記ネックバンドが前記ネックバンドモジュールに接続され、
前記ネックバンドモジュールが前記ディスプレイインサートを収容し、
前記ネックバンドモジュールが、前記ネックバンドモジュールを少なくとも一つの交換可能なディスプレイセグメントまたは少なくとも一つの交換可能な胴体セグメントに接続するための締結具または締結具部材を含む、ネックウェア。
【請求項５７】
前記ネックバンドモジュールがディスプレイインサートを含む、請求項５６に記載のネックウェア。
【請求項５８】
前記締結具または締結具部材が分離ヒンジまたは分離ヒンジの部材を備える、請求項５６に記載のネックウェア。
【請求項５９】
前記締結具または締結具部材は、クイックリリースバックルまたはクイックリリースバックルの部材を備える、請求項５６に記載のネックウェア。
【請求項６０】
前記ネックバンドモジュール内に含まれる前記ディスプレイインサートが、コイン、メダル、または地金バーを含む、請求項５７に記載のネックウェア。
【請求項６１】
前記ネックバンドモジュール内に含まれる前記ディスプレイインサートが、コインカプセル、または地金バーカプセルを備える、請求項５７に記載のネックウェア。
【請求項６２】
前記コインカプセル、または地金バーカプセルが、コイン、メダル、または地金バーを含める、請求項６１に記載のネックウェア。
【請求項６３】
ネックウェアのための交換可能なディスプレイセグメントであって、前記ディスプレイセグメントがディスプレイインサートを収容し、前記ディスプレイセグメントが締結具または締結具部材を含む、交換可能なディスプレイセグメント。
【請求項６４】
前記ディスプレイセグメントがディスプレイインサートを含む、請求項６３に記載の交換可能なディスプレイセグメント。
【請求項６５】
ネックバンドモジュールまたはネックウェアのディスプレイセグメント内に収容されるように構成された、交換可能なディスプレイインサート。
【請求項６６】
前記ディスプレイインサートが、コイン、メダル、または地金バーを飾る、請求項６５に記載の交換可能なディスプレイインサート。
【発明の詳細な説明】
【技術分野】
【０００１】
本出願は、２０１７年６月３０日に出願された米国特許出願第１５／６３９，３５６号の優先権を主張するものであり、その内容全体は参照により本明細書に組み込まれる。２０１６年１２月２０日に出願された米国特許出願第１５／３８４，５４０号の全内容も、参照により本明細書に援用される。
【０００２】
本開示はネックウェアに関する。
【背景技術】
【０００３】
はじめに
ネクタイの代替品として、様々なタイプのネックウェアが提案されてきた。例えば、米国特許出願第１５／３８４，５４０号は、締結具によって直接接続された、ネックバンドと、ネックバンドモジュールと、旋回胴体セグメントとを備える機能的な金属ネックウェアを開示している。ネックウェアは、ネクタイのように、着用者の胴体の中心に位置付けられる。本発明者は、ネックバンドモジュールと胴体セグメントとを含む、優れた金属ネックウェアパネルを提供する効率的な方法は、コイン、メダル、および地金バーを生産する、民間の鋳造所および政府の造幣局が使用するプロセスであることを発見した。複数の金属製胴体セグメントは、その端が、従来のネクタイの好ましい長さである、ベルトライン上であり得る。実施形態は、着用者が胴体セグメントを素早く且つ容易に追加し、取り除き、再配置し、置き換えることを可能にするネックウェアを提供し、それによって、同一のネックウェアが様々な長さとなる可能性を含む、様々なネックウェアの外観をもたらし得る。
【０００４】
当技術分野では、一つのコインまたは地金バーをペンダントとして保持する、宝石のベゼル留めが知られている。これらには欠点があり、例えば、銀コインの変色を防ぐための気密環境がもたらされないといった、宝石として機能的ではないことを含む、特定の点において優れておらず、ネクタイの機能を満たさない。さらに、ベゼル留めは、ネックウェアの長さが複数となるよう、追加セクションを取り付けて、鋳造されたコイン、メダル、または地金バーのシリーズまたはそれらのセットを飾るようには構成されず、また、様々なサイズのコイン、メダル、または地金バーを並べるようにも構成されていない。
【０００５】
金属によっては、大気中の空気に曝されると、銀や銅といった特定のコイン、メダル、およびバーは、自然に変色する。例えば、銀や銅が変色するにつれ、硫化物、酸化物、および／または、炭酸塩が金属の表面に形成される。銀が変色するにつれ、その明るさや白色度が銀の反射性とともに減少するため、一般的に反射率の高い金属である銀の魅力や見栄えは変色によって低くなる。変色は取り除くことができるが、クリーニングは骨が折れる仕事であり、金属の表面や物品の見栄えに悪影響を及ぼすことが多い。金属が変色したままであるか、または、クリーニングされているか、に関わらず、金属の表面には既に化学的な損傷が生じており、結果として、コイン、メダル、または地金バーの表面の細かさが低減されている。コイン、メダル、およびバーを含む、銀ブリオンの変色は、変色しない金やプラチナのブリオンと比較すると、鋳造所、宝石職人、コレクターにとっては問題である。銀地金の大半は、鋳造所が販売する最も一般的な貴金属である。
【０００６】
銀の変色を解決する方法は当技術分野では周知であり、ロジウム、または漆やニスといったその他のコーティングを使用して銀物品を被覆することと、銀に酸化アルミニウムなどの連続的な分子層を堆積させることによって、銀の表面にフィルムコーティングを施すことと、ゲルマニウムを含むものといった、特定の銀合金を使用することと、を含む。例えば、Ｊｏｈｎｓの特許第９，２２２，１５０Ｂ２号には、少なくとも７７重量％、銅、および好ましくは少なくとも０．５重量％のゲルマニウムを含む銀合金を作製するためのプロセスが開示されている。銀合金は、９６〜９７．３重量％の銀、１〜２重量％のゲルマニウム、任意に最大１重量％の亜鉛、任意に０．２重量％のシリコン、バランス銅および１〜４０ｐｐｍのホウ素を含む。
【０００７】
上記の方法は、変色率を減少させるが、変色を防止するものではなく、且つ、各方法は、生産コストおよびステップの増加、銀の輝度、白さ、および反射率を低減させる銀の退色、および／または、表面塗工の摩耗を含む、好ましくない結果を有する。さらに、非銀の要素または化合物を銀または完成銀物品の表面に加えることは、銀ブリオンと全く正反対のものであるため、主な鋳造所はこの方法を自社の銀地金製品には取り入れず、また、コレクターや投資家も、これらの方法によって自身の銀地金の質を落としたり、不純物を混ぜることを望まない。千分率の微細さとは、合金の質量による純金属の千分の一で金属の純度を表すために用いられるシステムであり、銀地金は通常、「９９９微細な」または「純銀」と呼ばれる、少なくとも９９．９％純銀である。９９９９微細な銀地金もある。
【０００８】
９９９微細である、着用する金または銀物品の欠点は、これらが、引っ掛けたり、傷のつきやすい、軟金属であるということである。約４００〜５５０Ｍｐａのビッカーズ硬度を有するプラチナと比較すると、金は、約１８８〜２１６ＭＰａのビッカーズ硬度を有し、銀は、約２５１Ｍｐａのビッカーズ硬度を有する。金の合金（例えば、１４カラット金は５８．３３％金）および銀の合金（例えば、スターリング銀は一般に９２．５％銀）は、それらの地金同等物よりも硬いこともあり、これらの合金が宝石業界では人気であるが、こうした金または銀の合金を宝石で使用すると、それらの光学的特性を劇的に変え、これらの貴重な金属の美しさや魅力が低減する。９９９９微細である金ブリオン、９９９微細である銀地金、および９９９微細である銅はそれぞれ、独特で魅力的な色を有しており、その色は、これらの金属のいずれかが別の金属と合金化されると変化する。金地金は、その色が好まれ、１４カラット金よりもより黄色トーンが強い。銀地金の色は、スターリング銀を含む銀合金よりも明るく、より白い。金のように、銅は、グレーまたは銀以外の自然の色を有した数少ない金属要素の一つである。
【０００９】
したがって、コイン、メダル、または地金バーのセットまたはシリーズを飾る、複数の長さが可能な機能的ネックウェアであり、且つ、コイン、メダル、または地金バーを変色、摩耗、傷つきから保護し、および／または、締結具に直接取り付けられることを含む、金属の一体性を保つネックウェアが必要とされている。
【発明の概要】
【００１０】
一態様は、（ａ）ネックバンドと、（ｂ）ネックバンドモジュールと、（ｃ）少なくとも一つのディスプレイセグメントと、（ｄ）第一コイン、メダル、または地金バーと、（ｅ）第二コイン、メダル、または地金バーと、（ｆ）少なくとも一つの締結具と、を備えるネックウェアであり、前述のネックバンドは前述のネックバンドモジュールに接続され、前述のネックバンドモジュールは前述の少なくとも一つのディスプレイセグメントに接続され、前述のネックバンドモジュールが第一コイン、メダル、または地金バーを飾り、前述の少なくとも一つのディスプレイセグメントが第二コイン、メダル、または地金バーを飾り、前述の少なくとも一つの締結具が、前述のネックバンドモジュールを前述の少なくとも一つのディスプレイセグメントに旋回可能に接続する第一締結具を含む。
【００１１】
少なくとも一つのディスプレイセグメントは、複数のディスプレイセグメントを備え得、前述の複数のディスプレイセグメントは、第一ディスプレイセグメントと第二ディスプレイセグメントとを含み、少なくとも一つの締結具は、前述の第一ディスプレイセグメントを前述の第二ディスプレイセグメントに接続する第二締結具をさらに備え得る。
【００１２】
少なくとも一つのディスプレイセグメントはまた、内部交換可能なディスプレイセグメントを含み得る。
【００１３】
少なくとも一つのディスプレイセグメントは、一つまたは二つのガラスディスプレイウィンドウを含み得る。
【００１４】
少なくとも一つのディスプレイセグメントは留め具を含み得る。
【００１５】
ネックウェアは、前述のネックウェアをシャツに固定するよう構成されたクリップセグメントをさらに備え得る。
【００１６】
ネックウェアは、コイン、メダル、または地金バーを含まない、少なくとも一つの胴体セグメントをさらに備え得る。
【００１７】
少なくとも一つの締結具は、分離ヒンジを備え得る。
【００１８】
少なくとも一つの締結具は、クイックリリースバックルを備え得る。
【００１９】
複数のディスプレイセグメントは、内部交換可能なディスプレイセグメントを備え得る。
【００２０】
少なくとも一つの内部交換可能なディスプレイセグメントは、鍵またはツールなしで内部交換可能であるよう構成され得る。
【００２１】
留め具は、鍵またはツールなしで、前述の少なくとも一つのディスプレイセグメントに接続および接続解除されるよう構成され得る。
【００２２】
別態様は、ネックバンドと、コイン、メダル、または地金バーと、ネックバンドモジュールとを備えるネックウェアであり、前述のネックバンドは前述のネックバンドモジュールに接続され、前述のネックバンドモジュールはコイン、メダル、または地金バーを飾り、前述のネックバンドモジュールは、前述のネックバンドモジュールを少なくとも一つの交換可能なディスプレイセグメントまたは少なくとも一つの交換可能な胴体セグメントに接続するための締結具または締結具部材を含む。
【００２３】
ネックバンドモジュールは留め具を含み得る。
【００２４】
ネックバンドモジュールは、一つまたは二つのガラスディスプレイウィンドウを含み得る。
【００２５】
締結具または締結具部材は、分離ヒンジまたは分離ヒンジの部材を備え得る。
【００２６】
締結具または締結具部材は、クイックリリースバックルまたはクイックリリースバックル部材を備え得る。
【００２７】
留め具は、鍵またはツールなしで、接続および接続解除されるよう構成され得る。
【００２８】
別態様は、ネックウェアのための交換可能なディスプレイセグメントであり、前述のディスプレイセグメントはコイン、メダル、または地金バーを飾り、前述のディスプレイセグメントは締結具または締結具部材を含む。
【００２９】
締結具または締結具部材は、分離ヒンジまた分離ヒンジの部材を備え得る。
【００３０】
締結具または締結具部材は、クイックリリースバックルまたはクイックリリースバックル部材を備え得る。
【００３１】
別態様は、ネックバンドモジュールまたはネックウェアのディスプレイセグメント内に収容されるように構成された、交換可能なコイン、メダル、または地金バーである。
【００３２】
別態様は、（ａ）ネックバンドと、（ｂ）第一コイン、メダル、または地金バーと、（ｃ）第二コイン、メダル、または地金バーと、（ｄ）ガラスを介して第一コイン、メダルまたは地金バーを飾る、気密されたネックバンドモジュールと、（ｅ）ガラスを介して第二コイン、メダルまたは地金バーを飾る、少なくとも一つの気密されたディスプレイセグメントと、（ｆ）少なくとも一つの締結具とを備えるネックウェアであり、前述のネックバンドは前述のネックバンドモジュールに接続され、前述のネックバンドモジュールは前述の少なくとも一つのディスプレイセグメントに接続され、前述の気密されたネックバンドモジュールは第一コイン、メダル、または地金バーを含み、前述の少なくとも一つの気密されたディスプレイセグメントは、第二コイン、メダル、または地金バーを含み、前述の少なくとも一つの締結具は、前述の気密されたネックバンドモジュールを前述の少なくとも一つの気密されたディスプレイセグメントに旋回可能に接続する第一締結具を含む。
【００３３】
少なくとも一つのディスプレイセグメントは、複数のディスプレイセグメントを備え得、前述の複数のディスプレイセグメントは、第一ディスプレイセグメントと第二ディスプレイセグメントとを含み、少なくとも一つの締結具は、前述の第一ディスプレイセグメントを前述の第二ディスプレイセグメントに接続する第二締結具をさらに備え得る。
【００３４】
少なくとも一つの気密されたディスプレイセグメントは、内部交換可能なディスプレイセグメントを含み得る。
【００３５】
ネックウェアは、前述のネックウェアをシャツに固定するよう構成されたクリップセグメントをさらに備え得る。
【００３６】
ネックウェアは、コイン、メダル、または地金バーを含まない、少なくとも一つの胴体セグメントをさらに備え得る。
【００３７】
少なくとも一つのコイン、メダル、または地金バーは、銀、銅、金、またはプラチナを含み得る。
【００３８】
少なくとも一つの締結具は、分離ヒンジを備え得る。
【００３９】
少なくとも一つの締結具は、クイックリリースバックルを備え得る。
【００４０】
（ａ）ネックバンドと、（ｂ）ネックバンドモジュールと、（ｃ）コイン、メダル、または地金バーと、（ｄ）ガラスを介してコイン、メダル、または地金バーを飾る、少なくとも一つの気密されたディスプレイセグメントと、（ｅ）少なくとも一つの締結具と、を備えるネックウェアであり、前述のネックバンドは前述のネックバンドモジュールに接続され、前述のネックバンドモジュールは前述の少なくとも一つの気密されたディスプレイセグメントに接続され、前述のネックバンドモジュールはコイン、メダル、または地金バーを飾らず、前述のネックバンドモジュールは気密されておらず、前述の少なくとも一つの気密されたディスプレイセグメントがコイン、メダル、または地金バーを飾り、前述の少なくとも一つの締結具が、前述のネックバンドモジュールを少なくとも一つの気密されたディスプレイセグメントに旋回可能に接続する第一締結具を含む。
【００４１】
ネックバンドと、コイン、メダル、または地金バーと、ネックバンドモジュールとを備えたネックウェアであり、前述のネックバンドが前述のネックバンドモジュールに接続され、前述のネックバンドモジュールは、ガラスを介してコイン、メダル、または地金バーを飾り、前述のネックバンドモジュールが気密され、コイン、メダル、または地金バーを含む。
【００４２】
複数のディスプレイセグメントは、内部交換可能なディスプレイセグメントを備え得る。
【００４３】
少なくとも一つの内部交換可能なディスプレイセグメントは、鍵またはツールなしで内部交換可能であるよう構成され得る。
【００４４】
別態様は、ネックバンドと、コイン、メダル、または地金バーと、ネックバンドモジュールとを備えたネックウェアであり、前述のネックバンドが前述のネックバンドモジュールに接続され、前述のネックバンドモジュールは、ガラスを通してコイン、メダル、または地金バーを飾り、前述のネックバンドモジュールが気密され、コイン、メダル、または地金バーを含む。
【００４５】
ネックバンドモジュールはさらに、前述のコイン、メダルまたは地金バーを含める、コインホルダ、コインカプセル、または地金バーカプセルを含み得る。
【００４６】
ネックバンドモジュールは、少なくとも一つの交換可能なディスプレイセグメントに接続するため、または、コイン、メダル、または地金バーを含まない、少なくとも一つの交換可能な胴体セグメントに接続するための、締結具または締結具部材を含み得る。
【００４７】
別態様は、ネックウェアのための交換可能なディスプレイセグメントであり、前述のディスプレイセグメントは気密され、前述のディスプレイセグメントがガラスを介してコイン、メダル、または地金バーを飾り、前述のディスプレイセグメントがコイン、メダル、または地金バーを含める。
【００４８】
コイン、メダル、または地金バーは、前述のディスプレイセグメント内のコインホルダ、コインカプセル、または地金バーカプセルによって封入され得る。
【００４９】
ディスプレイセグメントは、締結具または締結具部材を含み得る。
【００５０】
締結具または締結具部材は、分離ヒンジまたは分離ヒンジの部材を備え得る。
【００５１】
締結具または締結具部材は、クイックリリースバックルまたはクイックリリースバックル部材を備え得る。
【００５２】
別態様は、（ａ）ネックバンドと、（ｂ）ネックバンドモジュールと、（ｃ）少なくとも一つのディスプレイセグメントと、（ｄ）第一ディスプレイインサートと、（ｅ）第二ディスプレイインサートと、（ｆ）少なくとも一つの締結具と、を備えるネックウェアであり、前述のネックバンドが前述のネックバンドモジュールに接続され、前述のネックバンドモジュールが前述の少なくとも一つのディスプレイセグメントに接続され、前述のネックバンドモジュールが第一ディスプレイインサートを収容し、前述の少なくとも一つのディスプレイセグメントが第二ディスプレイインサートを収容し、前述の少なくとも一つの締結具が、前述のネックバンドモジュールを前述の少なくとも一つのディスプレイセグメントに旋回可能に接続する第一締結具を含む。
【００５３】
少なくとも一つのディスプレイセグメントは、複数のディスプレイセグメントを備え得、前述の複数のディスプレイセグメントは、第一ディスプレイセグメントと第二ディスプレイセグメントとを含み、少なくとも一つの締結具は、前述の第一ディスプレイセグメントを前述の第二ディスプレイセグメントに接続する第二締結具をさらに備え得る。
【００５４】
少なくとも一つのディスプレイセグメントは、内部交換可能なディスプレイセグメントを含み得る。
【００５５】
少なくとも一つのディスプレイセグメントは留め具を含み得る。
【００５６】
ネックウェアは、前述のネックウェアをシャツに固定するよう構成されたクリップセグメントをさらに備え得る。
【００５７】
ネックウェアは、ディスプレイインサートを収容するよう構成されない、少なくとも一つの胴体セグメントをさらに備え得る。
【００５８】
少なくとも一つの締結具は、分離ヒンジを備え得る。
【００５９】
少なくとも一つの締結具は、クイックリリースバックルを備え得る。
【００６０】
複数のディスプレイセグメントは、内部交換可能なディスプレイセグメントを備え得る。
【００６１】
少なくとも一つの内部交換可能なディスプレイセグメントは、鍵またはツールなしで内部交換可能であるよう構成され得る。
【００６２】
ディスプレイインサートは、コインホルダ、コインカプセル、または地金バーカプセルを備え得る。
【００６３】
ディスプレイインサートは、コイン、メダル、または地金バーを含み得る。
【００６４】
留め具は、鍵またはツールなしで、前述の少なくとも一つのディスプレイセグメントに接続および接続解除されるよう構成され得る。
【００６５】
コインホルダ、コインカプセル、または地金バーカプセルは、コイン、メダル、または地金バーを含み得る。
【００６６】
別態様は、ネックバンドと、ディスプレイインサートと、ネックバンドモジュールとを備えるネックウェアであり、前述のネックバンドは前述のネックバンドモジュールに接続され、前述のネックバンドモジュールはディスプレイインサートを収容し、前述のネックバンドモジュールは、前述のネックバンドモジュールを少なくとも一つの交換可能なディスプレイセグメントまたは少なくとも一つの交換可能な胴体セグメントに接続するための締結具または締結具部材を含む。
【００６７】
ネックバンドモジュールは、ディスプレイインサートを含み得る。
【００６８】
締結具または締結具部材は、分離ヒンジまた分離ヒンジの部材を備え得る。
【００６９】
締結具または締結具部材は、クイックリリースバックルまたはクイックリリースバックル部材を備え得る。
【００７０】
前述のネックバンドモジュール内に含まれるディスプレイインサートは、コイン、メダル、または地金バーを含み得る。
【００７１】
前述のネックバンドモジュール内に含まれるディスプレイインサートは、コインカプセルまたは地金バーカプセルを備え得る。
【００７２】
コインカプセル、または地金バーカプセルは、コイン、メダル、または地金バーを含み得る。
【００７３】
別態様は、ネックウェアのための交換可能なディスプレイセグメントであり、前述のディスプレイセグメントはディスプレイインサートを収容し、前述のディスプレイセグメントは締結具または締結具部材を含む。
【００７４】
交換可能なディスプレイセグメントは、ディスプレイインサートを含み得る。
【００７５】
別態様は、ネックバンドモジュールまたはネックウェアのディスプレイセグメント内に収容されるように構成された、交換可能なディスプレイインサートである。
【００７６】
交換可能なディスプレイインサートは、コイン、メダル、または地金バーを含み得る。
【図面の簡単な説明】
【００７７】
【図１Ａ】図１Ａは、ネックバンドと、銀地金バーを含む気密されたネックバンドモジュールと、八つの気密されたディスプレイセグメントとを含み、それぞれが銀地金バーを含む、ネックウェアの例示的実施形態の正面図である。
【図１Ｂ】図１Ｂは、図１Ａのディスプレイセグメントのうちの一つの例示的実施形態の正面斜視分解図である。
【図１Ｃ】図１Ｃは、前述のディスプレイセグメントの背面斜視分解図である。
【図１Ｄ】図１Ｄは、改良型の分離締結具を用いて、ネックバンドモジュールと八つの内部交換可能なディスプレイセグメントとの接続性を示す、図１Ａのネックウェアパネルの背面図である。
【図１Ｅ】図１Ｅは、三人が着用し、それぞれが長さの異なる同一ネックウェアを利用している、図１Ａのネックウェアの正面図である。
【００７８】
【図２Ａ】図２Ａは、ネックバンドと、四角形ネックバンドモジュールと、１１個の四角形ディスプレイセグメントとを含み、ネックバンドモジュールの上部と各ディスプレイセグメントが、ユーザが１２枚の内部交換可能なコインにアクセス可能となる留め具を含む、ネックウェアの別の例示的な実施形態の正面斜視図である。
【図２Ｂ】図２Ｂは、前述のネックウェアパネルの背面図である。
【図２Ｃ】図２Ｃは、ユーザがディスプレイセグメント２の留め具にアクセスするため、ディスプレイセグメント２でネックウェアパネルが後方に傾斜している、図２Ａのネックウェアの正面斜視図である。
【図２Ｄ】図２Ｄは、図２Ｃのディスプレイセグメント２の例示的な実施形態の正面斜視分解図である。
【図２Ｅ】図２Ｅは、前述のディスプレイセグメントの背面斜視分解図である。
【００７９】
【図２Ｆ】図２Ｆは、素早く且つ容易に接続且つ接続解除される留め具を含む、ディスプレイセグメントの例示的な実施形態の正面斜視分解図である。
【図２Ｇ】図２Ｇは、前述のディスプレイセグメントの背面斜視分解図である。
【００８０】
【図２Ｈ】図２Ｈは、ディスプレイセグメントと胴体セグメントとを含むネックウェアの例示的な実施形態の正面斜視図である。
【図２Ｉ】図２Ｉは、改良型の分離締結具を用いて、ネックバンドモジュールと内部交換可能なディスプレイセグメントとの接続性を示す、前述のネックウェアの背面図である。
【００８１】
【図２Ｊ】図２Ｊは、女性が着用したネックバンドモジュール（ディスプレイおよび胴体セグメント無し）を含む、ネックウェアの例示的な実施形態の正面図である。
【図２Ｋ】図２Ｋは、前述のネックウェアのために構成された、二つの交換可能なディスプレイセグメントの例示的な実施形態の背面図である。
【図２Ｌ】図２Ｌは、図２Ｊで女性が着用したネックウェアの正面図であり、ここでは、ネックウェアは、ネックウェアに追加された前述の二つの交換可能なディスプレイセグメントを含む。
【００８２】
【図２Ｍ】図２Ｍは、クラムシェル容器に似たディスプレイセグメントの例示的な実施形態の正面斜視図である。
【図２Ｎ】図２Ｎは、前述のディスプレイセグメントの背面図である。
【図２Ｏ】図２Ｏは、交換可能なディスプレイセグメントに接続可能なネックバンドモジュールの例示的な実施形態の正面斜視図である。
【図２Ｐ】図２Ｐは、前述のネックバンドモジュールの背面図である。
【００８３】
【図３Ａ】図３Ａは、前述のホルダ内に含まれる３２．７ｍｍのコインのために一緒にスナップされ、構成された、先行技術のコインホルダの正面斜視図である。
【図３Ｂ】図３Ｂは、カバーと、前述のコインホルダのベースおよび前述のコインとが見えるように分離された前述のコインホルダの正面斜視図である。
【図３Ｃ】図３Ｃは、前述のカバーと、ベースおよびコインの正面図である。
【図３Ｄ】図３Ｄは、前述のカバーとベースの上面図である。
【００８４】
【図３Ｅ】図３Ｅは、前述のホルダ内に含まれる４０．６ｍｍのコインのために一緒にスナップされ、構成された、先行技術のコインホルダの正面斜視図である。
【図３Ｆ】図３Ｆは、カバーと、前述のコインホルダのベースおよび前述のコインとが見えるように分離された前述のコインホルダの正面斜視図である。
【図３Ｇ】図３Ｇは、前述のカバーと、ベースおよびコインの正面図である。
【図３Ｈ】図３Ｈは、前述のカバーとベースの上面図である。
【００８５】
【図３Ｉ】図３Ｉは、前述のホルダ内に含まれる地金バーのために一緒にスナップされ、構成された、先行技術のバーホルダの正面斜視図である。
【図３Ｊ】図３Ｊは、カバーと、前述のバーホルダのベースおよび前述の地金バーとが見えるように分離された前述のバーホルダの正面斜視図である。
【図３Ｋ】図３Ｋは、前述のカバーとベースと、地金バーの正面図である。
【図３Ｌ】図３Ｌは、前述のバーホルダの前述のベースの上面図である。
【００８６】
【図３Ｍ】図３Ｍは、前述のホルダ内に含まれる２７ｍｍのコインのために一緒にスナップされ、構成された、ガスケット付きの先行技術のコインホルダの正面斜視図である。
【図３Ｎ】図３Ｎは、カバーと、ガスケットと、前述のコインホルダのベースおよび前述のコインとが見えるように分離された前述のコインホルダの正面斜視図である。
【図３Ｏ】図３Ｏは、前述のカバーと、ガスケットと、ベースおよびコインの正面図である。
【００８７】
【図３Ｐ】図３Ｐは、前述のホルダ内に含まれる３８ｍｍのコインのために一緒にスナップされ、構成された、ガスケット付きの先行技術のコインホルダの正面斜視図である。
【図３Ｑ】図３Ｑは、カバーと、ガスケットと、前述のコインホルダのベースおよび前述のコインとが見えるように分離された前述のコインホルダの正面斜視図である。
【００８８】
【図４Ａ】図４Ａは、図３Ｅ〜図３Ｈのコインホルダに嵌合し、固定するよう構成されたディスプレイセグメントの例示的な実施形態の正面斜視図である。
【図４Ｂ】図４Ｂは、前述のディスプレイセグメントの背面斜視図である。
【００８９】
【図４Ｃ】図４Ｃは、図３Ｉ〜図３Ｌのバーホルダに嵌合し、固定するよう構成されたディスプレイセグメントの例示的な実施形態の正面斜視図である。
【図４Ｄ】図４Ｄは、前述のディスプレイセグメントの背面斜視図である。
【００９０】
【図４Ｅ】図４Ｅは、図３Ｍ〜図３Ｏのコインホルダに嵌合し、固定するよう構成されたディスプレイセグメントの例示的な実施形態の正面斜視図である。
【００９１】
【図４Ｆ】図４Ｆは、図３Ｐおよび図３Ｑのコインホルダに嵌合し、固定するよう構成されたディスプレイセグメントの例示的な実施形態の正面斜視図である。
【００９２】
【図５Ａ】図５Ａは、コインホルダにアクセスするため、ディスプレイセグメント４でネックウェアパネルが後方に傾斜している、図４Ａおよび図４Ｂのディスプレイセグメントを含むネックウェアの例示的な実施形態の正面斜視図である。
【００９３】
【図５Ｂ】図５Ｂは、バーホルダにアクセスするため、ディスプレイセグメント３でネックウェアパネルが後方に傾斜している、図４Ｃおよび図４Ｄのディスプレイセグメントを含むネックウェアの例示的な実施形態の正面斜視図である。
【００９４】
【図５Ｃ】図５Ｃは、図４Ｅのディスプレイセグメントおよびコインホルダと、図４Ｆのディスプレイセグメントおよびコインホルダとを含むネックウェアの例示的な実施形態の正面斜視図である。
【００９５】
【図５Ｄ】図５Ｄは、ネックバンドモジュールおよび八つすべてのディスプレイセグメントが同一サイズのディスプレイウィンドウを含み、様々なサイズのコインのためのコインホルダを収容するネックウェアの例示的な実施形態の正面斜視図である。
【００９６】
【図６】図６は、三枚のドレスシャツと、三本のネクタイと、プレス方法で提供された三本のバーの光反射率を示した棒グラフである。
【００９７】
【図７Ａ】図７Ａは、ロック解除され、分離された先行技術の分離ヒンジの上面斜視図である。
【図７Ｂ】図７Ｂは、ロック位置にある前述のヒンジの上面斜視図である。
【図７Ｃ】図７Ｃは、ロック位置にある前述のヒンジの底部斜視図である。
【図７Ｄ】図７Ｄは、ロック位置にある前述のヒンジの側面図である。
【図７Ｅ】図７Ｅは、前述のヒンジをロック解除し、分離するステップを図示する。
【図７Ｆ】図７Ｆは、前述のヒンジをロック解除し、分離するステップを図示する。
【００９８】
【図８Ａ】図８Ａは、改良型の分離締結具の第一ヒンジ部材に組み込まれた鍵穴の例示的な実施形態の拡大上面図である。
【図８Ｂ】図８Ｂは、ロック解除され、分離された、前述の改良型の分離締結具の前述の第一ヒンジ部材および第二ヒンジ部材の上面斜視図である。
【図８Ｃ】図８Ｃは、ロックされ、平面位置にある前述の締結具の上面斜視図である。
【図８Ｄ】前述の締結具をロック解除し、分離する四つのステップが図８Ｄに図示されている。
【図８Ｅ】前述の締結具をロック解除し、分離する四つのステップが図８Ｅに図示されている。
【図８Ｆ】前述の締結具をロック解除し、分離する四つのステップが図８Ｆに図示されている。
【図８Ｇ】前述の締結具をロック解除し、分離する四つのステップが図８Ｇに図示されている。
【図８Ｈ】図８Ｈは、図８Ａよりもより複雑な鍵穴を備える、改良型の分離締結具の第一ヒンジ部材の第二実施例の上面斜視図である。
【図８Ｉ】図８Ｉは、図８Ｈよりもより複雑な鍵穴を備える、改良型の分離締結具の第一ヒンジ部材の第三実施例の上面図である。
【００９９】
【図９Ａ】図９Ａは、Ｓｃｈｍｉｔｚの米国特許出願第６，７９２，６５４Ｂ２号の図２にある、係合解除位置にある先行技術のベルトバックルの上面図である。
【図９Ｂ】図９Ｂは、上記特許の図３にある、係合位置にある前述のバックルの上面図である。
【図９Ｃ】図９Ｃは、上記特許の図１にある、係合解除位置にある前述のバックルの側面図である。
【０１００】
【図１０Ａ】図１０Ａは、係合解除位置にあり、ディスプレイセグメントに取り付けられた、改良型のクイックリリースバックルの例示的な実施形態の上面斜視図である。
【図１０Ｂ】図１０Ｂは、前述のディスプレイセグメントに取り付けられた、係合解除位置にある前述のバックルの側面図である。
【図１０Ｃ】図１０Ｃは、前述のディスプレイセグメントに取り付けられた、係合位置にある前述のバックルの上面斜視図である。
【０１０１】
【図１１Ａ】図１１Ａは、係合解除された、改良型のクイックリリースバックルを含む、接続解除されたネックウェアパネルの例示的な実施形態の背面図である。
【図１１Ｂ】前述のバックルは、図１１Ｂで係合されており、それによって、ネックウェアパネルに接続される。
【０１０２】
【図１１Ｃ】図１１Ｃは、図１１Ａのネックウェアパネルの三つの交換可能なディスプレイセグメントの例示的な実施形態の正面図である。
【図１１Ｄ】図１１Ｄは、交換可能な胴体セグメントの例示的な実施形態と、図１１Ａのネックウェアパネルのための交換可能なディスプレイセグメントの例示的な実施形態との正面図である。
【発明を実施するための形態】
【０１０３】
本発明者は、コイン、メダル、または地金バーを変色、摩耗、傷つきから保護し、および／または、締結具に直接取り付けられることを含む、金属の一体性を保つ、コイン、メダル、または地金バーのシリーズまたはセットを飾ることができる機能的ネックウェアの必要性を特定した。ネックウェアの機能性および多用途性を最適化するための重要な特徴は、ユーザが、ネックウェアの長さが複数となるよう、コイン、メダル、またはバーを含むディスプレイセグメントを追加し、取り除き、および置き換え可能であることであり、且つ、ネックウェアパネル全体においてディスプレイセグメントの位置を再配置可能であることである。例えば、鋳造所は、コイン、メダル、またはバーのシリーズまたはセットのそれぞれの部材を、時間をかけて発売することが多いため、これらの内部交換性および交換可能性の特徴は有用であり、本明細書のネックウェアは、ネックウェアにこれらを追加することが可能である。さらに、本明細書に記載のネックウェアのいくつかの実施形態では、前シャツの開きおよび前シャツのボタンを覆うことと、襟足に沿ってシャツの襟の隙間を埋めることと、正装または準正装の重要構成要素となることとを含む、ネクタイの機能が満たされる。
【０１０４】
機能的なネクタイ代用品として、優れた金属製ネックウェアを生産する、理想的で効率的な方法は、下記にさらに詳細に記載するように、民間の鋳造所および政府の造幣局が使用するプレス方法によって提供されるコイン、メダル、および地金バーを利用し、飾ることによるものである。この方法により、極めてデザインが細かい像を含む、いかなる像も複製することができ、その像はコイン、メダル、または地金バーに彫刻され、他の生産方法では得られない、高品質な金属製ネックウェアとなる。世界中の鋳造所および造幣局は、一年間に大量のコイン（ラウンド含む）、メダル、および地金を生産する。これらには、記念コイン、メダル、地金コインおよびバーが含まれ、コレクターはこれらを入手することができ、一度にセットとして販売されるか、または、一年に一度といった定期的に、そのシリーズのうちの一つまたは複数が発売される。コイン、メダル、または地金バーのセットまたはシリーズは、少なくとも二つの鋳造物品であり得るが、通常は共通するテーマを有しており、コイン、メダル、または地金バーのセットまたはシリーズのそれぞれは通常、その裏表両面のうち少なくとも一面に固有のデザインを有する。
【０１０５】
コレクターが入手できる、政府の造幣局および民間の鋳造所による多くの実施例のうちの三例は、アメリカンプラチナイーグルのコインシリーズ、マヤゴッズ（Ｇｏｄｓ  ｏｆ  Ｍａｙａ）のコインセット、スイスのルナシリーズ（Ｓｕｉｓｓｅ  Ｌｕｎａｒ  Ｓｅｒｉｅｓ）の地金バーを含み、これらすべてが下記にてさらに記載される。これらおよびその他多くのコインおよび地金バーは、金属および金属加工の美しさを表現するよう、優美に作製され、芸術作品と見なされる。コインや貴金属のコレクターは、自身のコレクションを飾って楽しむ。本明細に記載の例示的なネックウェアの実施形態によって、コレクターは、機能的でおしゃれなネクタイの代用品として、セットまたはシリーズを含む、コイン、メダル、または地金バーを着用しながら飾ることができる。これらのネックウェアの実施形態は、購入時に付属する容器または保管箱に入れられ、通常は見えないところで保管されるコインおよび地金コレクションを、革新的に使用することができる。鋳造所のプレス方法によってもたらされる金属製ネックウェアは、組成、テクスチャ、色、光反射率において、シャツ、ベスト、およびスーツの上着の布地との劇的なコントラストをもたらす。以下にさらに考察されるように、鋳造者のプレス方法によってもたらされる金属製バーの光反射率は、布地の光反射率と好適に比較される。
【０１０６】
一態様では、例示的な実施形態は、飾られたコイン、メダル、または地金バーの一体性が、ネックウェアの気密されたネックバンドモジュールおよび／または気密されたディスプレイセグメント内で保護され、保管されて、ネックウェアを着用することから生じ得る変色および／または摩耗および傷つきを防止するネックウェアを提供する。コイン、メダル、および地金バーは、（彫刻、その他のデザイン要素、および厚さを含む寸法の点において）ネックウェア用に特別に構成されてもよく、または、市販のコイン、メダル、および地金バーがネックウェアに利用されてもよい。
【０１０７】
別態様では、例示的な実施形態は、飾られたコイン、メダル、または地金バーが、ネックウェアが元々備えていたものの中で内部交換されてもよく、ネックウェアが元々構成していない別のコイン、メダル、または地金バーと交換されてもよいネックウェアを提供する。これらの特徴は、（ｉ）実際のコイン、メダル、または地金バーを直接内部交換または交換することと、（ｉｉ）利点の中でもとりわけ、同一のネックウェアが複数の長さとなり得る、コイン、メダル、または地金バーを含むディスプレイセグメントを内部交換または交換することと、（ｉｉｉ）コイン、メダル、または地金バーを含むディスプレイインサート（例えば、コインホルダ）を内部交換または交換することと、を介して達成される。上記の（ｉ）および（ｉｉ）、または上記の（ｉｉ）および（ｉｉｉ）の組み合わせは、同一のネックウェアで達成することができる。
【０１０８】
別態様では、例示的な実施形態は、互いに対して構成される、ネックウェアパネルとディスプレイインサート（市販のコインホルダ、コインカプセル、または地金バーカプセルを含み得る）とを提供する。
【０１０９】
別態様では、例示的な実施形態は、交換可能なディスプレイセグメントと、交換可能なディスプレイインサートと、交換可能なコイン、ラウンド、メダル、および地金バーとを提供する。交換可能なディスプレイセグメントおよび交換可能なディスプレイインサートは、（彫刻、その他のデザイン要素、および厚さを含む寸法の点において）ネックウェアのために特別に構成され、カスタムデザインされるか、または、ネックウェアに利用され得る市販のコイン、メダル、および地金バーのいずれかである、コイン、ラウンド、メダル、地金バーを含み得る。交換可能なコイン、交換可能なラウンド、交換可能なメダル、および交換可能な地金バーは、ネックウェアのために特別に構成され、カスタムデザインされる。
【０１１０】
本明細書に記載の例示的な実施形態は、ネックバンドモジュールが、着用者のネクタイの結び目とほぼ同じ位置に置かれ、ネックバンドで支持される、付け心地の良いネックウェアを提供する。ネックウェアのネックウェアパネルは、追加されることになる交換可能なディスプレイまたは胴体セグメントのための容量を含む、ネックバンドモジュールを元々備え得る。ネックウェアパネルはまた、ネックバンドモジュールと、少なくとも一つのディスプレイセグメントおよび／または少なくとも一つの胴体セグメントとを元々備え得る。いずれのディスプレイまたは胴体セグメントも、ネックバンドモジュールの下に位置付けられ、その端が、従来からのネクタイの好ましい長さである、ベルトラインとなり得る。
【０１１１】
本明細書の例示的な実施形態のネックウェアのネックバンドは、様々な首のサイズに心地よくフィットするよう調整可能であってもよく、ネックバンドの外周部を取付け、および／または、調整するためのストラップ等、および、締結具を含んでもよい。ネックバンドはネックバンドモジュールを支持し、ネックバンドは多数の好適な材料を備え得る。柔軟性のあるネックバンドストラップの好適な材料は、レザー、ナイロン、またはシルクのような織物を含む。例えば、ベルトに類似したレザーのネックバンドは、ストラップに様々な穴を有し、着用者が、心地よさと見た目が最適となるよう、ストラップに沿った任意の穴にバックルのプロングを配置することができる。先行技術で既知の様々なタイプの締結具は、ネックバンドおよびベルトに使用されるものを含む、ネックバンドストラップと共に利用され得る。例えば、好適な締結具は、バックルと、側面リリースバックルおよび中央リリースバックルといったクイックリリースバックルと、ｖｅｌｃｒｏ（商標）といった面ファスナとを含む。ストラップ（等）を収容するネックバンド締結具に好適な材料は、アルミニウムを含む金属、鋼などの合金、繊維強化ポリマー、およびプラスチックを含む合成ポリマーである。ネックバンドは、柔軟性のあるネックバンドストラップの代用品として、金属製材料を含む、非柔軟性材料から構成され得ることが理解されよう。例えば、剛性のチョーカーといったタイプのチェーンまたはネックレスは、ヒンジによって開閉する二つの適切な半円セクションを備え、そのセクションは、締結具で着用者の首まわりに固定されて、円または楕円を形成する。ネックバンドは、その組成に関係なく、二つのバンドを備え得、それぞれが別々にネックバンドモジュールに接続される。
【０１１２】
開口部機構と、ディスプレイセグメントと、胴体セグメントと、ネックウェアのタイクリップに似た機構を含むクリップセグメントと含むネックバンドモジュールは、鋳造や、三次元印刷（３Ｄ印刷）、または付加製造（ＡＭ）として知られる、先行技術で既知の任意の方法で提供され得る。本明細書で使用される「３Ｄ印刷」または「ＡＭ」はモデルまたはその他の電子データソースからコンピュータ制御下で形成される材料の連続する、または複数の層を介して物体を生成する手段を含む、三次元物体を合成するために使用されるさまざまなプロセスを指す。本発明のネックウェアには、粉体層およびインクジェットヘッド３Ｄ印刷（３ＤＰ）、電子ビーム溶融（ＥＢＭ）、選択的レーザー溶融法（ＳＬＭ）、直接金属レーザー焼結法（ＤＭＬＳ）、指向性エネルギー堆積法、電子ビーム自由形式製造法（ＥＢＦ）、およびロボキャスティングを含む、多くのタイプの３Ｄ印刷を利用することができる。
【０１１３】
ネックウェアはクリップセグメントを含んでもよく、このクリップセグメントによって、ネックウェアパネルを、ネックウェアにまだ取り付けられていない任意のアクセサリを追加することなく、シャツの開き部分または前シャツパネルに固定することができ、ネックウェアが、着用者上で実質的に真っ直ぐなまま、前シャツボタンを覆うことを含む、着用中のネックウェアの望まない動きを削減することができる。
【０１１４】
例示的な実施形態は、ネックウェアに追加されるか、または、ネックウェアのディスプレイセグメントまたは胴体セグメントを置き換える能力を有する、ディスプレイセグメントおよび胴体セグメントを提供する。これに関して、ネックウェアが元々構成されていなかったディスプレイセグメントまたは胴体セグメント、いわゆる「外来性」ディスプレイセグメントまたは胴体セグメントが、ネックウェアに一時的または永久的に追加されてもよい。着用者がディスプレイセグメントまたは胴体セグメントを置き間違えた、または紛失した場合、または単に、一つまたは複数のディスプレイセグメントまたは胴体セグメントをその他のディスプレイセグメントまたは胴体セグメントと一時的または永久的に置き換えることを望む場合、例示的な実施形態は、ネックウェアと使用する、追加および／または取換用「外来性」のディスプレイセグメントまたは胴体セグメントを提供する。こうした追加用および／または置換え用「外来性の」ディスプレイセグメントまたは胴体セグメントは、ネックウェアが元々備えていた「内来性」ディスプレイセグメントまたは胴体セグメントおよび「外来性」のディスプレイセグメントまたは胴体セグメントの両方とも、同一の締結具、または少なくとも十分同一の締結具を有し、互いに接続する能力を提供するため、こうした特徴を有するネックウェアのいずれのセグメント位置においても取り付け得ることが理解されよう。外来性のディスプレイセグメントおよび胴体セグメントはまた、本明細書では交換可能なディスプレイセグメントおよび交換可能な胴体セグメントとも称されるが、個々のディスプレイセグメントまたは個々の胴体セグメントとして、または、複数のディスプレイセグメントまたは複数の胴体セグメントとして市販され得る。いくつかの実施形態では、交換可能なディスプレイセグメントは、ディスプレイインサート、コイン、メダル、または地金バーを含む。
【０１１５】
同様に、例示的な実施形態は、ネックウェアのコイン、メダル、または地金バーを置き換えるため、（彫刻、その他のデザイン要素、および厚さを含む寸法の点において）ネックウェアのディスプレイセグメントまたはネックバンドモジュールに特別に構成され、カスタムデザインされるコイン、メダル、または地金バーを提供する。これに関して、ネックウェアが元々備えていなかったカスタムデザインされたコイン、メダル、または地金バー、いわゆる「外来性」のコイン、メダル、または地金バーは、ネックウェアに一時的または永久的に追加されてもよい。着用者がコイン、メダル、または地金バーを置き間違えた、または紛失した場合、または単に、一つまたは複数のコイン、メダル、または地金バーを、ネックウェアのために特別に構成され、カスタムデザインされたその他のコイン、メダル、または地金バーと一時的または永久的に取り換えることを望む場合、例示的な実施形態は、ネックウェアと使用する、追加および／または取換用の「外来性」のコイン、メダル、または地金バーを提供する。そのような、ネックウェアのために特別に構成され、カスタムデザインされた、追加および／または取換用の「外来性」のコイン、メダル、または地金バーは、こうした特徴（例えば、図２Ａ〜図２Ｐおよび以下の関連する記載）を有するネックウェアのネックバンドモジュールまたはディスプレイセグメント内に挿入され得ることが理解されよう。本明細書では「交換可能なコイン」、「交換可能なメダル」、または「交換可能なバー」とも称される、外来性のコイン、メダル、または地金バーは、個々のコイン、メダル、またはバーとして市販され得、または、ネックバンドモジュール、ディスプレイセグメント、またはディスプレイインサートと併用して市販され得る。
【０１１６】
本明細書で使用される場合、「ネックウェア」は、ネックバンドとネックバンドモジュールとを含み、一つまたは複数の締結具部材、一つまたは複数のディスプレイセグメント、および／または、一つまたは複数の胴体セグメントとをさらに含み得る。
【０１１７】
本明細書で使用される「ネックウェアパネル」は、ネックウェアの長さを形成する、ネックバンドモジュールと、存在する場合はディスプレイセグメントと、存在する場合は胴体セグメントと、を集合的に意味する。本明細書で使用される「前方ネックウェアパネル」は、ネックウェアが着用されたとき、周りに見えるネックウェアパネルの前平面を意味する。
【０１１８】
本明細書で使用される「ネックバンドモジュール」は、ネックバンドが接続するネックウェアパネルの構成要素を意味する。ネックバンドモジュールは、コイン、メダル、ボタンバー、またはディスプレイインサートを固定し、飾るよう構成されてもよいし、されなくてもよい。ネックウェアは、図１Ｅ（図の中央で女性が着用しているネックウェア）および図２Ｊに示すように、ディスプレイセグメントまたは胴体セグメントの無いネックバンドモジュールのみを含んでもよい。ネックバンドモジュールは、ネックバンドモジュールの同一鋳造物の一部、または、ネックバンドモジュールを作製するその他の生産方法の一部である、締結具または締結具の一部分を含み得る。
【０１１９】
本明細書で使用される「ディスプレイセグメント」は、コイン、メダル、地金バーまたはディスプレイインサートを固定し、飾るよう構成されたネックウェアパネルの構成要素を意味する。例えば、ディスプレイセグメントの最上部にあるディスプレイセグメント１は、ネックバンドモジュールに接続し、ネックウェアが二つ以上のディスプレイセグメントを含む場合は、ディスプレイセグメント２がディスプレイセグメント１に接続する、等である。ディスプレイセグメントは、ディスプレイセグメントの同一鋳造物の一部、または、ディスプレイセグメントを作製するその他の生産方法の一部である、締結具または締結具の一部分を含み得る。
【０１２０】
ディスプレイセグメントは、ディスプレイウィンドウの切欠部を通して直接、または、コインホルダ、コインカプセル、または地金バーカプセルを備え得るディスプレイインサートを利用する場合は、ディスプレイインサートのガラスを介して、のいずれかで、コイン、メダル、またはバーを見せる一つまたは二つのディスプレイウィンドウを含む。ディスプレイセグメントまたはネックバンドモジュールのディスプレイウィンドウは（ネックバンドモジュールがコイン、メダル、地金バー、またはディスプレイインサートを飾るよう構成される場合）、コイン、メダル、または地金バーが、介在ガラスなしで直接見えるように、ディスプレイセグメントまたはネックバンドモジュールの切欠部であってもよい。ディスプレイウィンドウは、ガラスディスプレイウィンドウによって、コイン、メダル、または地金バーが見えることを可能にしつつ、コイン、メダル、または地金バーをさらに保護するガラスを含み得る。ディスプレイセグメントまたはネックバンドモジュールがディスプレイインサート用に構成される場合、コイン、メダル、または地金バーは、ディスプレイウィンドウ切欠部を介して見える、ディスプレイインサートガラスを介して見ることができる。ディスプレイセグメントまたはネックバンドモジュールのディスプレイウィンドウの周辺領域は、装飾的なデザインを有してもよい。
【０１２１】
本明細書で使用される「胴体セグメント」は、コイン、メダル、地金バーまたはディスプレイインサートを固定し、飾るようには構成されないネックウェアパネルの構成要素を意味する。胴体セグメントは、ネックバンドモジュール、ディスプレイセグメント、または別の胴体セグメントに接続し得る。胴体セグメントは任意のタイプの装飾的なデザインを含み得、コイン、メダル、または地金バーを備え得る。いくつかの例示的な実施形態では、ネックウェアの胴体セグメントは、その他の胴体セグメント、ディスプレイセグメント間で内部交換可能である。
【０１２２】
本明細書で使用される用語「ディスプレイ−クリップセグメント」は、ディスプレイセグメントの裏面に取り付けられる、タイクリップ等に似た機構を含むディスプレイセグメントを意味する。本明細書で使用される用語「胴体−クリップセグメント」は、胴体セグメントの裏面に取り付けられる、タイクリップ等に似た機構を含む胴体セグメントを意味する。本明細書で使用される用語「クリップセグメント」は、ディスプレイセグメントまたは胴体セグメントそれぞれの裏面に取り付けられる、タイクリップ等に似た機構を含むディスプレイセグメントまたは胴体セグメントのいずれかを意味する。クリップセグメントは、貼り付けられていない、または取り付けられていないアクセサリを追加することなく、シャツの開き部分または前シャツパネルなどの衣服にネックウェアを固定する。
【０１２３】
本明細書で使用される「ディスプレイインサート」は、ディスプレイセグメントまたはネックバンドモジュール内にコイン、メダル、または地金バーを固定し、飾ることができるネックウェアを使用するための任意のカプセル、フレーム、ホルダ、または機構を意味する。ネックウェアのいくつかの例示的な実施形態では、ディスプレイインサート（カスタムデザインされたコインホルダ、コインカプセル、または地金バーカプセルを含む）およびディスプレイセグメントは、互いに特別に構成されている。ディスプレイセグメントはまた、先行技術のコインホルダ、コインカプセル、または地金バーカプセル用に構成され得る。ディスプレイインサートおよびディスプレイセグメントが、互いに対して構成されても、または、ディスプレイセグメントが先行技術のコインホルダ、コインカプセル、または地金バーカプセルに対して構成されても、ディスプレイインサートは、（ｉ）すでにデザインされ、生産され、または別々に販売されたコイン、メダル、または地金バーを含むことができ、（ｉｉ）（彫刻、その他のデザイン要素、および厚さを含む寸法の点において）カスタムデザインされたコイン、メダル、または地金バーを含み得る。
【０１２４】
明細書で使用される「留め具」は、ディスプレイセグメント、コイン、メダル、または地金バーをディスプレイセグメントまたはネックバンドモジュール内またはそれ自体に固定し、ユーザがディスプレイインサート、コイン、メダル、または地金バーにアクセスできるようにする、任意の機構または機構の組み合わせを意味する。いくつかの例示的な実施形態では、ディスプレイセグメントまたはネックバンドモジュールは留め具を含まない。留め具を含まないディスプレイセグメントまたはネックバンドモジュールの一例は、ユーザがディスプレイセグメントまたはネックバンドモジュールのコイン、メダル、または地金バーにアクセスするため、締結具を接続解除することによって、二部分（例えば、半部分）に完全に分離するディスプレイセグメントまたはネックバンドモジュールである。別の例は、ヒンジ等によって結合された二部分から成る、クラムシェル容器に似たディスプレイセグメントまたはネックバンドモジュールである。
【０１２５】
本明細書で使用される「気密されたディスプレイセグメント」および「気密されたネックバンドモジュール」は、封入されたコイン、メダル、または地金バーの変色を防止する程の気流に対しては、実質的に不浸透性であるディスプレイセグメントまたはネックバンドモジュールを意味する。ＭＩＬ−ＳＴＤ−８８３  ＴＭ  １０１４を含む、気密された容器における許容可能な漏洩率を分量する分析テスト方法がいくつかあり、これらの方法の最も厳しいものであっても、容器を「気密」にしつつ、容器を通過する微量の空気および水分が許可される。
【０１２６】
本明細書で使用される「コイン」は、政府が通貨として発行する金属片であり、「コイン」には、それらの貴金属量または常金属量、およびそれらの美しさのために販売され、法定通貨ではない、コインに似た、平らで円形の金属片である「ラウンド」を含む。「地金バー」または「バー」は、本明細書で互換可能に使用され、それぞれの用語は、銀のような貴金属、銅のような常金属、または青銅のような金属合金から成るバーまたはウエハを意味する。本明細書で使用する「メダル」は、メダリオンを含み、記章、肖像、またはその他の芸術的な、ポートレートレンダリング、またはその他の芸術的レンダリングが付けられた、金属の完成片を意味する。メダルは、有意な歴史的事象を記念するか、または注目すべき成果や偉業を残した人々または組織を称えるものである。ネックウェアのいくつかの例示的な実施形態では、（彫刻、その他のデザイン要素、および厚さを含む寸法の点において）カスタムデザインされたコイン、メダル、または地金バーおよびネックバンドモジュールは、互いに対して特別に構成される。ネックウェアのその他の例示的な実施形態では、ネックバンドモジュールは、すでにデザインされ、生産され、および／または、別々に市販されている、コイン、メダル、または地金バーに合うように構成される。同様に、ネックウェアのいくつかの例示的な実施形態では、（彫刻、その他のデザイン要素、および厚さを含む寸法の点において）カスタムデザインされたコイン、メダル、または地金バーおよびディスプレイセグメントは、互いに対して特別に構成される。ネックウェアのその他の例示的な実施形態では、ディスプレイセグメントは、すでにデザインされ、生産され、および／または、別々に市販されている、コイン、メダル、または地金バーに合うように構成される。
【０１２７】
本明細書で使用され、ディスプレイセグメントまたはネックバンドモジュールのディスプレイウィンドウに関連する「ガラス」は、任意のタイプのガラス状透明または半透明の材料を意味する。例には、アクリルや、サファイアガラスや、Ｃｏｒｎｉｎｇ（商標）Ｇｏｒｉｌｌａ（商標）ガラスなどのディスプレイタイプのガラスといったプラスチックを含む。ガラスディスプレイウィンドウは、色付きの色合いを含み得る。
【０１２８】
本明細書で使用される「締結具」は、（ｉ）ネックバンドモジュールをディスプレイセグメントまたは胴体セグメントに、ディスプレイセグメントを互いに、胴体セグメントを互いに、および／または、ディスプレイセグメントを胴体セグメントに、（ｉｉ）留め具をディスプレイセグメントまたはネックバンドモジュールに、または、（ｉｉｉ）ディスプレイセグメントの一つまたは複数のセクションを互いに、または、ネックバンドモジュールの一つまたは複数のセクションを互いに、接続し、リンクし、または取り付ける物品または物品の組み合わせを意味する。締結具または締結具の一部分または部材は、ネックバンドモジュール、ディスプレイセグメント、胴体セグメント、または留め具の同一鋳造物の一部であってもよい。締結具のタイプには、例えば、これらに限らないが、エポキシまたはエポキシ樹脂といった接着材と、ストラップ等を収容する開口部機構と、アンカーと、ボルトと、バックルと、クイックリリースバックルと、サイドリリースバックルと、センターリリースバックルと、ボタンと、ケーブルと、キャッチと、チェーンと、クランプと、バレル留め金、差し込み留め金、ボックス留め金、フィッシュホック留め金、ホック留め金、ホックアンドアイ留め金、ロブスター留め金、Ｓホック留め金、ばね張力留め金、ばねリング留め金、スナップ留め金、およびトグルめ金を含む留め金と、Ｕ字ピンと、クリップと、単一端および二重端旋回台と、デッドアイと、アイボルトと、ロック用ヒンジ、安全ピン付きヒンジ、バレルヒンジ、分離ヒンジ、および、例えば、内側（雌）ねじ山とヒンジ内に締め付けられ得る、例えば外側（雄）ねじ山付きのヒンジピンを含むヒンジと、ホックアンドパイル締結具およびｖｅｌｃｒｏ（商標）としても既知である面ファスナ締結具と、ホックと、ラニヤードと、ラッチと、ロックと、ロック用ピンと、磁石ロックまたはその他の磁力機構と、ループと、ピンと、リングと、ロープと、ねじアイと、ねじと、スナップホックと、スナップと、ばね締結具と、ばねと、ストラップと、ストリングと、旋回式クリップと、タイと、ワイヤと、ジッパーと、前述の任意の組み合わせとを含む。
【０１２９】
ネックウェアパネルのための好適な締結具の例は、以下の特徴のうちの一つまたは複数を含む任意のタイプの締結具を含む。第一特徴は、一つまたは複数のディスプレイセグメントまたは胴体セグメントが、その他のディスプレイセグメントまたは胴体セグメントと素早く且つ容易に内部交換するのを可能にする締結具である。本明細書で使用され、ディスプレイセグメントまたは胴体セグメントに関する用語「素早く且つ容易に」とは、鍵、ツール等なく、ネックウェアの一つまたは複数のディスプレイセグメントまたは胴体セグメントを、（ネックバンドモジュールの下のネックウェアパネルに沿った位置に関して）追加し、取り除き、置き換え、および／または、再配置する能力を意味する。主に着用者の心地よさについての第二特徴は、座っている間、および着用者が立ち姿勢から座る位置、およびその逆に移る場合を含み、身体が動いている間は、ネックウェアが着用者の胴体に基本的に沿うよう、ディスプレイセグメントまたは胴体セグメントが旋回することができる（前から後ろ、および後ろから前に移動する）締結具である。例示的なネックウェアのこの特徴は、ネクタイの機能性を維持しながら、着用者に一定レベルの心地よさをもたらす。第三特徴は、ネックウェアの着用者の労力なく、例えば、着用者が座った姿勢から立つ姿勢に移る場合を含み、身体が動いた後、ネックウェアが着用者の胴体とほぼ平行となるよう、重力によってディスプレイセグメントまたは胴体セグメントが効果的に真っ直ぐになるのを可能にする締結具である。この機能によって、着用者がディスプレイセグメントまたは胴体セグメントを手で真っ直ぐにする必要性を回避する。
【０１３０】
本明細書で使用され、留め具に関する用語「素早く且つ容易に」とは、鍵、ツール等なしで、ディスプレイセグメントまたはネックバンドモジュールからディスプレイインサート（例えば、コインホルダ）、コイン、メダル、または地金バーを追加し、取り除き、および／または、再配置する（ネックウェアパネルに沿った位置に関して）ことができることを意味する。一例は、以下に記載の、図２Ｆおよび図２Ｇに示す例示的な実施形態の留め具であり、以下に記載の、図２Ｈおよび図２Ｉ示すネックウェアに組み込まれている。ネックウェアのユーザは、ネックウェアパネルから任意のディスプレイセグメントを接続解除することなく、このネックウェアのコインを「素早く且つ容易に」内部交換または交換することができる。同様に、本明細書で使用され、留め具のないディスプレイセグメントに関する、または留め具のないネックバンドモジュールに関する用語「素早く且つ容易に」は、鍵、ツール等なしでディスプレイセグメントまたはネックバンドモジュールの部分（例えば、半部分）を締め付けるか、または緩めて、ディスプレイインサート、コイン、メダル、または地金バーを追加し、取り除き、または置き換えることができることを意味する。
【０１３１】
各フレーズのその他の形態を含む、本明細書で使用される「元々備える（Ｃｏｍｐｒｉｓｅｄ  ｏｆ  ｏｒｉｇｉｎａｌｌｙ）または（ｏｒｉｇｉｎａｌｌｙ  ｃｏｍｐｒｉｓｅ）」とは、ネックウェアまたはネックウェアパネルの初期販売、移動、贈答品または譲渡の時点でのネックウェアまたはネックウェアパネルは、ネックウェアまたはネックウェアパネルの最初の販売、移動、贈答品または譲渡の時点で行われるものではなく、ネックウェアまたはネックウェアパネルの端部またはネックウェアパネルの端部ユーザに対して、ネックウェアまたはネックウェアパネルの代わりに行われない。
【０１３２】
本明細書で使用され、ディスプレイセグメントまたは胴体セグメントに関する言葉の任意のその他の形態を含む用語「内部交換可能」は、以下の三つの例のいずれか一つ、またはその組み合わせのいずれかを意味する。（ａ）ネックウェアが元々備える二つまたはそれ以上のディスプレイセグメント（または胴体セグメント）を、ネックウェアパネル（ネックバンドモジュール下）に沿った位置という点で、取り換えることができる、（ｂ）ネックウェアが元々備える一つまたは複数のディスプレイセグメント（または胴体セグメント）を、ネックウェアパネル（ネックバンドモジュール下）に沿って再配置できる、および／または（ｃ）ネックウェアが元々備える一つまたは複数のディスプレイセグメント（または胴体セグメント）を、ネックウェアから取り外し、再度取り付けることができる、能力。例えば、図１Ａの例示的な実施形態のネックウェアの八つのディスプレイセグメントのうちのそれぞれ一つは、例えば、ディスプレイセグメント３とディスプレイセグメント７の位置が交替され得るといった、七つのディスプレイセグメントのその他すべてと内部交換され得る。これによって、ディスプレイセグメント３と７を取り外し、以前に番号付けられて位置付けされたディスプレイセグメント３を新たに番号付けられて位置付けられたディスプレイセグメント７の場所に取り付け、以前に番号付けられて位置付けされたディスプレイセグメント７を新たに番号付けられて位置付けられたディスプレイセグメント３の場所に取り付けることになる。図１Ａの例示的な実施形態の八つのディスプレイセグメントはそれぞれ「内部交換可能なディスプレイセグメント」である。別の実施例は、ディスプレイセグメント８がディスプレイセグメント１として再配置されてもよく、その場合、以前に番号付けられ、以前に番号付けられ、位置付けられたディスプレイセグメント１は今ではディスプレイセグメント２であり、以前に番号付けられ、位置付けられたディスプレイセグメント２は今ではディスプレイセグメント３であり、以前に番号付けられ、位置付けられたディスプレイセグメント３は今ではディスプレイセグメント４、等、というように変化する。図１Ａの例示的な実施形態のネックウェアの内部交換性のさらに別の実施例は、ディスプレイセグメント８が、例えば、ネックウェアの別のディスプレイセグメントの位置に移ることなく、ネックウェアから取り外され得、その後再度取り付けられ得る。内部交換可能な胴体セグメントの一例は、下記に記載され、図２Ｈおよび図２Ｉに示される例示的な実施形態である。
【０１３３】
本明細書で使用され、ネックウェアが元々備えたネックバンドモジュールまたはディスプレイセグメントに含まれるディスプレイインサート、コイン、メダル、または地金バーに関する言葉の任意のその他の形態を含む用語「内部交換可能な」は、二つまたはそれ以上のディスプレイインサート、コイン、メダル、または地金バーのネックウェアパネルに沿った位置という点で、位置を取り換えることができることを意味する。例えば、図２Ａ〜図２Ｃの例示的な実施形態のネックウェアの１２枚のコインはそれぞれ、「内部交換可能なコイン」である。以下に記載され、図５Ｂに示される例示的な実施形態は、「内部交換可能なディスプレイインサート」の例である。
【０１３４】
本明細書で使用され、ディスプレイセグメントまたは胴体セグメントに関する言葉の任意のその他の形態を含む用語「交換可能な」は、ネックウェアが元々備えていなかった一つまたは複数の外来性のディスプレイセグメントまたは胴体セグメントをネックウェアに追加できること、または、ネックウェアが元々備えた、一つまたは複数のディスプレイセグメントまたは胴体セグメントを、ネックウェアが元々備えていなかった外来性のディスプレイセグメントまたは胴体セグメントで置き換えることができることを意味する。ネックウェアに追加するよう、または、ネックウェアが元々備えていたディスプレイセグメントまたは胴体セグメントを置き換えるよう構成された、外来性のディスプレイセグメントまたは胴体セグメントは、「交換可能なディスプレイセグメント」または「交換可能な胴体セグメント」である。いくつかの実施形態では、交換可能なディスプレイセグメントはまた、コイン、メダル、または地金バーを含み、その他の実施形態では、交換可能なディスプレイセグメントはコイン、メダル、または地金バーを含まない。交換可能なディスプレイセグメントおよび交換可能な胴体セグメントは、締結具が取り付けられて、または、締結具無しで市販され得る。もちろん、ネックウェアが元々備えていなかった外来性のネックバンドモジュールまたはネックバンドはまた、ネックウェアが元々備えていたネックバンドモジュールまたはネックバンドと交換されてもよい。
【０１３５】
ネックウェアのネックバンドモジュールまたはディスプレイセグメントに含まれるコイン、メダル、または地金バーに関する用語のその他任意の形態を含む用語「交換可能な」は、ネックウェアが元々備えた一つまたは複数のコイン、メダル、または地金バーをネックウェアのために（彫刻、その他のデザイン要素、および厚さを含む寸法の点において）特別に構成され、カスタムデザインされた、外来性のコイン、メダル、または地金バー（ネックウェアが元々備えていないもの）と置き換えできることを意味する。ネックウェアが元々備えたコイン、メダル、または地金バーを置き換えるよう、ネックウェアで使用するために特別に構成され、カスタムデザインされた外来性のコイン、メダル、または地金バーは、「交換可能なコイン」、「交換可能なメダル」、または「交換可能な地金バー」である。
【０１３６】
本明細書で使用され、ネックウェアのネックバンドモジュールおよび／またはディスプレイセグメントに含まれるディスプレイインサートに関する言葉の任意のその他の形態を含む用語「交換可能な」は、ネックウェアが元々備えた一つまたは複数のディスプレイインサートを、ネックウェアのために特別に構成された（ネックウェアが元々備えていなかった）外来性のディスプレイインサートと置き換えることができることを意味する。ネックウェアが元々備えたディスプレイインサートを置き換えるための、特別に構成され、ネックウェアで使用するための外来性のディスプレイインサートは、「交換可能なディスプレイインサート」である。ネックウェアのための交換可能なディスプレイインサートは、コイン、メダル、または地金バーを含んで市販され得る。
【０１３７】
本明細書で使用される言葉のその他任意の形態を含む「コントラスト」は、視覚的な興味深さ、熱意およびドラマを作り出す片またはアンサンブルにおける、ハード対ソフト、明るい色対暗い色、荒いテクスチャ対滑らかなテクスチャ、といった、反対の要素の配置を意味する。
【０１３８】
物体の「光反射率」（ＬＲＶ）は、その表面から反射されるスペクトルの目に見える部分の光の割合（および、反対に、表面が吸収する光の割合）を意味する。ＬＲＶは、積分球反射率計を使用して測定され、その結果は、１から０の段階となり、理論上完全な白色は、１の値を達成し、目に見える光の１００％を反射し、理論上完全な黒色は、０の値を達成し、１００％吸収する。実際には、ＬＲＶは、こうした理論上の限界値に達しない。
【０１３９】
本明細書で使用される言葉の任意のその他の形態を含む用語「取り付ける」は、例えば、はんだ付け、ろう付け、またはねじまたはボルトを利用することを含む任意の方法によって、永久的または半永久的な接続を意図しており、締結具を物品に接続することを意味する。
【０１４０】
いくつかの例示的な実施形態では、ネックウェアは、ネックバンドモジュールのための金属組成を含み、ディスプレイセグメントまたは胴体セグメントおよび例証的な金属は、銀、銅、金、プラチナ、チタン、コバルト、ニッケル、アルミニウム、鉄、チタン、青銅、黄同、鋼、白目を含む前述の合金を含む。米国特許出願第１５／３８４，５４０号に開示されているように、胴体セグメントまたはネックバンドモジュールは、プレス方法によって提供されるか、または鋳造によって提供され得る、実際のコイン、メダル、または地金バーであってもよい。コイン、メダル、バーを飾らないネックウェア構成要素として、胴体セグメントは、コイン、メダル、または地金バーではない鋳造物、または成形物を含む、当技術分野で既知の任意の方法によって提供され得る。ネックウェアのディスプレイセグメント、胴体セグメント、またはネックバンドモジュールは、同じまたは異なる金属を備え得る。例えば、ネックバンドモジュールは、金であってもよく、ディスプレイセグメントは純銀であってもよい。ネックウェアのディスプレイセグメント、胴体セグメント、またはネックバンドモジュールは、木材およびゴムを含むバイオポリマーとしても知られている天然ポリマー材、合成ゴム、アクリル、プラスチック、およびシリコンといった合成ポリマー、ガラス状材料、または、炭素繊維強化プラスチックなどの繊維強化ポリマーといった、任意のタイプの材料を備えてもよい。個別のネックバンドモジュール、ディスプレイセグメント、または胴体セグメントは、複数のタイプの金属などの複数の材料から成ってもよい。
【０１４１】
ネックバンドモジュールおよび任意のディスプレイセグメントまたは胴体セグメントが、金属製、またはガラスディスプレイウィンドウを含む金属製である例示的な実施形態では、ネックウェアは、布地のネクタイと特別に比較した場合、（１）汚れにくく、（２）食品、飲料、インク、煙草の灰、またはその他の汚れで汚れた場合でも、取り除くのが非常に簡単で、より経済的であり、（３）より耐久性があり、（４）しわがなく、（５）引っかかることがなく、（６）煙草の火によって焼け穴が開かず、（７）結び目を作る必要がなく、（８）ネクタイの結び目（さらに、非対称な折り畳みやネクタイの結び目の波状部分）がないため、着用時に周りの人に対称に見える、といった利点のうちの一つまたは複数を含む。
【０１４２】
こうしたネックウェアの金属製の性質を考慮すると、提供されるディスプレイセグメントおよび胴体セグメントが好適な締結具によって旋回できることは、心地よさを得るための重要な特徴である。いくつかの例示的な実施形態では、ネックウェアは、ネックウェアの末端のディスプレイセグメントまたは胴体セグメントが、従来から好まれるネクタイの長さである、着用者のほぼベルトラインに端がくるように、十分な数のディスプレイセグメントまたはディスプレイセグメントおよび胴体セグメントを備える。
【０１４３】
例示的な一実施形態の気密されたネックウェアの正面図が図１Ａに示される。ネックウェアは、ネクタイと同様に着用され得、ネックバンドが着用者の首まわりおよび襟の下に位置付けられる。ネックバンド１０は、角丸長方形のネックバンドモジュール９を支持し、着用者の、ネクタイの結び目とほぼ同じ位置に置かれる。角丸長方形のネックバンドモジュール９は、ネックウェアが元々備えていた、一連の、八つの内部交換可能な角丸長方形のディスプレイセグメント１〜８に接続される。気密されたネックバンドモジュール９の前面および気密されたディスプレイセグメント１〜８のそれぞれの前面（下記にて詳述され、図１Ｂおよび図１Ｃに示す）は、図１Ａの斜線で示すように、ガラスディスプレイウィンドウを含む。ネックバンドモジュール９および八つのディスプレイセグメント１〜８のそれぞれは、銀の角丸長方形の地金バーに嵌合し、固定し、飾るよう構成される。九つの気密された地金バー１１〜１９はそれぞれ、ガラスディスプレイウィンドウの後ろに配置され、図１Ａには図示されていない、固有のデザインが彫刻されている。これらの九つの地金バー１１〜１９は、気密されたネックバンドモジュールおよび気密されたディスプレイセグメント内に保護され、保管されて、地金バーの変色、摩耗および傷つきを防ぐ。
【０１４４】
本開示の任意のネックウェアパネルの実施形態のディスプレイセグメントを識別し、番号付けすることが、図１Ａの実施形態によって例示されており、ディスプレイセグメント１の１がネックバンドモジュール９の下にあり、ディスプレイセグメント２の２がディスプレイセグメント１の下にあり、ディスプレイセグメント３の３がディスプレイセグメント２の下にあり、ディスプレイセグメント４の４がディスプレイセグメント３の下にあり、ディスプレイセグメント５の５がディスプレイセグメント４の下にあり、ディスプレイセグメント６の６がディスプレイセグメント５の下にあり、ディスプレイセグメント７の７がディスプレイセグメント６の下にあり、本例示的な実施形態では末端のディスプレイセグメントである、ディスプレイセグメント８の８がディスプレイセグメント７の下にある。八つより多い、または少ないディスプレイセグメントを備える任意のネックウェアパネルについては、ディスプレイセグメントの連続した番号付けは、図１Ａの実施形態のために上述した方法に従う。ディスプレイセグメントおよび胴体セグメントを含むネックウェアパネルについては、ディスプレイセグメントおよび胴体セグメントを識別して番号付けすることは、下記にて図２Ｈおよび図２Ｉの例示的な実施形態においてさらに記載されるように、同一の方法に従う。
【０１４５】
本開示の任意のネックウェアパネルの実施形態の地金バー、コイン、またはメダルを識別し、番号付けすることが、図１Ａの実施形態によって例示されており、（斜線で示すように、ネックウェアパネルのガラスディスプレイウィンドウの後ろで）地金バー１の１１がネックバンドモジュール９の下のディスプレイセグメント１の１内にあり、地金バー２の１２がディスプレイセグメント１の下のディスプレイセグメント２の２内にあり、地金バー３の１３がディスプレイセグメント２の下のディスプレイセグメント３の３内にあり、地金バー４の１４がディスプレイセグメント３の下のディスプレイセグメント４の４内にあり、地金バー５の１５がディスプレイセグメント４の下のディスプレイセグメント５の５内にあり、地金バー６の１６がディスプレイセグメント５の下のディスプレイセグメント６の６内にあり、地金バー７の１７がディスプレイセグメント６の下のディスプレイセグメント７の７内にあり、地金バー８の１８がディスプレイセグメント７の下のディスプレイセグメント８の８内にあり、地金バー９の１９がネックバンドモジュール９内にある。八つより多い、または少ない地金バー、コイン、またはメダルを備える任意のネックウェアパネルについて、連番を付ける方法は、図１Ａの実施形態に上述した方法に従う。
【０１４６】
図１Ａの例示的な実施形態の、気密された角丸長方形のディスプレイセグメントのうちの一つ（図１Ｄに示す二つのディスプレイクリップセグメント２、６のうちの一つは除く）の正面斜視分解図は、図１Ｂの例示的な実施形態に示され、前述のディスプレイセグメントの背面斜視分解図は、図１Ｃの例示的な実施形態に示される。この気密されたディスプレイセグメントは、金属製の角丸長方形の前フレーム２０と、角丸長方形の板ガラス２１と、角丸長方形の銀地金バー２２と、金属製の角丸長方形の後方パネル２３と、を含む。図１Ｂに示す後方パネル２３の溝２４と、図１Ｃに示す前フレーム２０のリップ２５は、結合のため、互いに嵌合するよう構成される。後方パネル２３は、気密されたディスプレイセグメントをもたらす一つの連続鋳造した金属片であり、図１Ｂに示すように、銀地金バー２２に嵌合し、固定するための区画２６を含む。
【０１４７】
図１Ｂに示すように、後方パネル２３の区画２６は前面で（地金バー２２に面して）開いており、後壁２７および内側フレーム２８の四つの側面によって区切られている。内側フレーム２８および区画２６は、地金バー２２に嵌合し、固定するよう構成される。図１Ｃに示すように、前フレーム２０の板ガラス２１および結合面３０は、結合のために互いに嵌合するよう構成され、これは、気密を形成する方法を含む、当技術分野で既知の任意の方法によって達成される。ガラスと金属は、純粋に機械的な手段によって、または、金属表面上の酸化物層がガラスとの結合を形成し、通常はより強固な接合部をもたらす化学的相互作用によって、互いに結合されてもよい。２００９年Ｓｏｃｉｅｔｙ  ｏｆ  Ｇｌａｓｓ  Ｔｅｃｈｎｏｌｏｇｙ出版、Ｄｏｎａｌｄ、Ｉａｎ  Ｗ．著のＧｌａｓｓ−ｔｏ−Ｍｅｔａｌ  Ｓｅａｌを参照。所望の気密レベルによって、第二板ガラス（図１Ｂおよび図１Ｃには図示せず）も、図１Ｂに示す後方パネル２３上の結合面２９の四つの部分に（例えば、地金バーが第二板ガラスと区画２６との間になるよう地金バーの前に）結合されてもよい。ディスプレイセグメントを密封し切るため、ディスプレイセグメントの金属製前フレーム２０および金属製後方パネル２３は、後方パネル２３上の溝２４（図１Ｂに示す）に挿入される前フレーム２０上のリップ２５（図１Ｃに示す）に結合される。この結合プロセスは、はんだ付けおよび／またはエポキシの使用といった、当技術分野で既知の任意の方法によって達成され得る。この結合の後、地金バー２２がディスプレイセグメントに封入される。図１Ｃに示すように、後方パネル２３の後壁２７は、下記にてさらに記載される、ネックウェアパネルの残り部分への接続のため、改良型の分離締結具の第一ヒンジ部材３１と、第二ヒンジ部材３２とを含む。
【０１４８】
密封されたネックバンドモジュールまたはディスプレイセグメント内に存在し得る、微量の空気を取り除くための当技術分野で既知の方法によって、気密されたネックバンドモジュールまたはディスプレイセグメント内の真空状態が達成されてもよい。気体を非常に低い漏れ量まで効果的に密封する、低いまたは高い真空圧力のために、エポキシ気密デザインが利用されてもよい。Ｒｏｔｈ、Ａｌｅｘａｎｄｅｒ、真空密封技術、１９９４年、Ａｍｅｒｉｃａｎ  Ｉｎｓｔｉｔｕｔｅ  ｏｆ  Ｐｈｙｓｉｃｓ出版、Ｒｏｔｈ，Ａｌｅｘａｎｄｅｒ著のＶａｃｕｕｍ  Ｓｅａｌｉｎｇ  Ｔｅｃｈｎｉｑｕｅｓを参照。
【０１４９】
図１Ａおよび図１Ｄに示すネックウェアの、気密されたネックバンドモジュール９は、図１Ｂおよび図１Ｃに示す気密されたディスプレイセグメントの修正された実施形態であり、ディスプレイセグメントの上部の第一ヒンジ部材３１が除去されており、気密されたディスプレイセグメントは、ネックバンド１０（図１Ａに示す）を収容するための開口部機構３５（図１Ｄに示す）を含むよう構成されている。
【０１５０】
気密されたネックバンドモジュールおよび気密されたディスプレイセグメントは、変色の影響を受けやすいコイン、メダル、または地金バーの変色を防ぎ、金属の組成に関わらず、ネックウェアの使用からコイン、メダル、および地金バーの摩耗および傷つきを防ぐ。これらのタイプのネックバンドモジュールおよびディスプレイセグメントは、変色する銀、銅、およびその他のタイプの金属および軟質の金属に特に関係する。金属が軟質であるほど、摩耗および傷つきを防止することとの関連がより大きくなる。例えば、ネックウェアの純銀および純金のコイン、メダル、および地金バーの摩耗および傷つきを防ぐことは、プラチナで構成されるそれらよりも関連性が高い。気密されたディスプレイセグメントまたは気密されたネックバンドモジュールは、気密されたディスプレイセグメントまたは気密されたネックバンドモジュール内に、コインホルダ、コインカプセル、または地金バーカプセル（コイン、メダル、または地金バーを封入する）をさらに含むよう構成され得る。
【０１５１】
図１Ｄは、二つのヒンジ部材を有する、改良型の分離締結具（米国特許出願第１５／３８４，５４０号に開示され、下記にてさらに考察される）で、角丸長方形のネックバンドモジュール９と、八つの内部交換可能な、角丸長方形のディスプレイセグメント１〜８との接続を実証する、図１Ａの例示的な実施形態の背面図である。第一ヒンジ部材３３および第二ヒンジ部材３４は、八つのディスプレイセグメントそれぞれに取り付けられ、第二ヒンジ部材３４は、ネックバンドモジュール９の底面に取り付けられる。改良型の分離締結具は共に合わせられ、ロックされ、それによって、ネックウェアパネルのすべての構成要素を接続する。改良型分離締結具の両方のヒンジ部材３３、３４は、ネックウェアが着用されたとき、周りの人からの視界からは本質的に隠れている。改良型の分離締結具は、一つまたは複数のディスプレイセグメントが、その他のディスプレイセグメントで素早く且つ容易に内部交換されることを可能にすることを含む、ネックウェアパネルのための好適な締結具の前述した三つの特徴すべてを呈する。さらに、改良型の分離締結具（または類似特徴を有するその他のタイプの締結具）を利用するネックウェアパネルは、ディスプレイセグメントが、ネックウェアの長さを変化させるために、素早く且つ容易に追加されるか、または取り除かれ、且つ、ネックウェアが元々備えていなかった、外来性のディスプレイセグメントと交換されるのを可能にする。図１Ａおよび図１Ｄに示すネックウェアの八つの角丸長方形のディスプレイセグメント１〜８はそれぞれ、互いに素早く且つ容易に内部交換される。この例示的な実施形態のネックウェアの内部交換性特徴は、着用者にネックウェアの様々な外観を提供する、八つのディスプレイセグメントの４０，０００を超える（８！とも表せる８の階乗）ネックウェアの組み合わせに相当する。同様に、ネックウェアが元々備えていた、これらの八つのディスプレイセグメントはそれぞれ、さらなる外来性のディスプレイセグメントと交換され得、さらなる多用途性、潜在的なネックウェアの組み合わせ、およびおしゃれな見た目をもたらす。
【０１５２】
図１Ｄに示すように、ネックバンドモジュール９の背面は、ネックバンド（図１Ｄには図示されないネックバンド）を収容し、ネックバンドをネックバンドモジュール９に接続するための開口部である、取り付けられた開口部機構３５を有する。二つのディスプレイ−クリップセグメントは、タイクリップ機構３６を含む、ディスプレイセグメント２の２およびディスプレイセグメント６の６に配置されている。図１Ｄおよび本明細書のその他の例示的な実施形態におけるネックバンドモジュール９の開口部機構３５の組成は、金属、鋼を含む合金、木材、繊維強化ポリマー、プラスチックのような合成ポリマーを含む、様々な好適な材料であってよい。開口部機構はまた、ネックバンドモジュールの鋳造物の一部として提供されてもよく、または、その他の方法によって提供されてもよい。鋳造物の一部ではない場合、開口部機構は、例えば、ネックバンドモジュールにはんだ付けされてもよい。本明細書の例示的な実施形態の開口部機構は、図１Ｄに示す開口部機構３５、および、図２Ｂに示す開口部機構６２の長方形の形状以外の任意のサイズまたは形状であってもよい。湾曲を有する開口部機構を含むその他の構成は、所定のネックバンドタイプまたは組成に、より好適である場合がある。
【０１５３】
図１Ａ〜図１Ｄの修正された例示的な実施形態では、ネックウェア実施形態は、内部交換可能なディスプレイセグメントを含まなくてもよく、または、少なくとも一つの内部交換可能なディスプレイセグメントを含んでもよい。ディスプレイセグメント１〜８またはネックバンドモジュール９はまた、ディスプレイセグメントの背面上にガラスディスプレイウィンドウを含んでもよく、その場合、ディスプレイセグメントおよび締結具はそれに応じて改変されてもよい。例えば、ディスプレイセグメントの側面上、または、ディスプレイセグメントの上面または底面上に、ヒンジ部材（またはその他のタイプの締結具部材）を位置付ける等、コイン、メダル、またはバーが見えなくならないように、本明細書の例示的な実施形態のディスプレイセグメントのフレームがより大きくてもよく、および／または、ヒンジ部材または締結具部材がより小さいかまたは異なるように位置付けられてもよい。
【０１５４】
図１Ａおよび図１Ｄは、例示的な八つのディスプレイ−セグメント構成を提供し、本明細書に記載の例示的実施形態のこの、およびその他の構成は、非限定的な例であることが理解されよう。ネックウェアの端がほぼベルトラインとなるのを好む着用者がいることも含み、ネックウェアの着用者の胴体サイズは様々であり、様々な長さのネックウェアが好まれることから、ネックウェアが本明細書の例示的な実施形態において元々備え得るディスプレイセグメントの数を、それに応じて増減させることができる。例えば、背の高い人は、元々十個のディスプレイセグメントを備える、図１Ａおよび図１Ｄのネックウェアを好む場合があり、一方で、背の低い人は、六つのディスプレイセグメントを好む場合がある。各ディスプレイセグメントの長さはまた、ネックウェアが元々備え得るディスプレイセグメントの数に影響する。例えば、所定のサイズの胴体や、ほぼベルトラインに来るネックウェアを所望することに対して、ディスプレイセグメントの長さに基づいて、ディスプレイセグメントの数を変えることができる。もちろん、ディスプレイセグメントの長さは、ディスプレイセグメントが収容するコイン、メダル、または地金バーのサイズの特徴である。
【０１５５】
いくつかの例示的な実施形態では、単一ネックウェアは、ディスプレイセグメントおよび／または胴体セグメントが素早く且つ容易に追加され、取り除かれ、または置き換えられ、（ネックバンドモジュールの下の）ウェアパネルに沿ったそれらの位置に関しては、再配置または交換され得、様々な長さで着用され得る。例えば、図１Ｅでは、図１Ａおよび図１Ｄのネックウェアを、ネックウェアパネルがネックバンドモジュールと八つのディスプレイセグメントとを含む構成で男性が着用し、ネックウェアパネルがネックバンドモジュールのみを含む構成で女性が着用し、ネックウェアパネルがネックバンドモジュールと三つのディスプレイセグメントとを含む構成で少年が着用するといった、三つの異なる構成を図示する。標準的なネクタイおよびネクタイに似た、その他のタイプのネックウェアとは異なり、この特徴によりネックウェアは、非常に多用途となり、男女共に、様々なサイズ、および子供から大人までの年齢層の人々を含む、様々な人に適用できる。さらに、一人の人が、元々八つのディスプレイセグメントを備えたこのネックウェアを、九通りの長さで着用することができる。最も短くする場合はネックバンドモジュールのみを利用し、最も長くする場合は、八つのディスプレイセグメントすべてを利用する。
【０１５６】
角丸長方形のネックモジュール９の前面のサイズおよび形状は、図１Ａおよび図１Ｄのネックウェアの八つの角丸長方形のディスプレイセグメント１〜８のそれぞれと同じである。例示的な本実施形態および本明細書のその他の例示的な実施形態では、ネックバンドモジュールの前面および各ディスプレイセグメントの前面は同一幅であり、左右対称の二軸を有する（一方は垂直方向であり、他方は水平方向）ため前面ネックウェアパネルも対称の二軸を有する。ネックウェアのこの固有の幾何学配列は、どのディスプレイセグメントか、または、いくつのディスプレイセグメントが内部交換されるか、に関わらず、幾何学配列がネックウェアの対称の二軸を維持する。ネックウェアの対称構成を妨げることなく、ネックウェアが元々備えたディスプレイセグメント１〜８は、任意の順で再配列され得、および／または、ユーザが所望する、複数のネックウェアの長さにするため、ネックウェアパネルから取り外しても、追加してもよい。ネックウェアが対称であり、追加の外来性部品またはオーナメントなしで、内部交換可能な特徴により、これら複数の潜在的なネックウェアおよびおしゃれな外観が達成される。また、同様に、ネックウェアの対称の二軸を妨げることなく、この幾何学配列によって、一つまたは複数の交換可能なディスプレイセグメント（それぞれが固有に彫刻されたバーを含み得る）を、ネックウェアが元々備えたディスプレイセグメントのいずれとも置き換えることができ、および／または、一つまたは複数の交換可能なディスプレイセグメントを、ネックウェアパネル（ネックバンドモジュールの下）に沿った任意の位置に追加することができる。これらの機能的利点に加えて、対称性は、ネックウェアの美的特徴である。
【０１５７】
完全に対称にネクタイを着用するのは、実質的に達成できない。ネクタイの結び目はほとんど対称にならないが、その結び目が対称であったとしても、ネクタイの結び目の下にある布地が非対称に折り畳まれ、波状に折られることが多いため、対称性が達成され得ることがほとんどない。ネクタイの一軸の対称性がほとんど達成されないことと比較して、長さがベルトラインまであり、且つ、対称の二軸を有する、本明細書に開示の機能的ネックウェアは、ネクタイの着用、または、ネクタイ無しでのボタンダウンシャツの着用に代わる、正装または準正装を提供する。しかしながら、本発明はこの方法に限定されない。ネックウェアパネルはいかなる長さであってもよく、任意の数のディスプレイセグメントおよび／または胴体セグメントを含み得る。ネックバンドモジュール、ディスプレイセグメント、および胴体セグメントは、様々な幅を含む、様々なサイズであってよい。本明細の任意のネックウェアのネックバンドモジュール、ディスプレイセグメント、胴体セグメントは、角丸正方形、正方形、角丸長方形、長方形、楕円、円、三角形、五角形、六角形、七角形、八角形、等を含む、任意の形状またはサイズであってよい。
【０１５８】
ネックウェアは、ディスプレイセグメントのないネックバンドモジュールを元々備えてもよく、ネックウェアは、ネックバンドモジュールと、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、等の胴体セグメントのうちのいずれかを含む、任意の数のディスプレイセグメントを元々備えてもよく、ネックウェアのディスプレイセグメントがいずれも内部交換可能なディスプレイセグメントでなくてもよいし、または、ネックウェアのディスプレイセグメントの集合数の任意の数が、交換可能なディスプレイセグメントであってもよい。同様に、ネックウェアは、ネックバンドモジュールと、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、等の胴体セグメントのうちのいずれかを含む、任意の数の胴体セグメントを元々備えてもよく、ネックウェアの胴体セグメントがいずれも交換可能な胴体セグメントでなくてもよいし、または、ネックウェアの胴体セグメントの集合数の任意の数が、内部交換可能な胴体セグメントであってもよい。
【０１５９】
ネックウェアはまた、ネックバンドモジュールと、ディスプレイセグメントおよび胴体セグメントの任意の数の組み合わせとを元々備えてもよい。ネックウェアディスプレイセグメントおよび／または胴体セグメントの集合数の任意の部分が、旋回セグメントであってもよい。ネックウェアディスプレイセグメントおよび／または胴体セグメントの数は、着用者の好みや着用者のサイズ（どちらも人によって異なり得る）を含む、ネックバンドモジュール、ディスプレイセグメント、胴体セグメントのサイズ、およびその他の要因によって変わり得るため、ネックウェアが、ネクタイの従来から好まれる長さである、着用者のほぼベルトラインまでの長さとなるように、ネックウェアはが、十分な数のディスプレイセグメントおよび／または胴体セグメントを元々備えてもよい。ベルトラインまでの長さのネックウェアは、前シャツの開きおよび前シャツのボタンを覆うことと、襟足に沿ってシャツの襟の隙間を埋めることと、正装または準正装の重要構成要素となることとを含む、ネクタイの機能を満たす。
【０１６０】
いくつかの例示的な実施形態では、ネックウェアは、少なくとも一つのクリップセグメントを含んでもよく、このクリップセグメントによって、身体が動いている間、着用者上で前に揺れるかまたは左右に動くためにネックウェアパネルを短くすることを含む、ネックウェアパネルの望まない動きを制限し、ネクタイおよびネクタイに似たその他のタイプのネックウェアと比較すると、着用者の上でネックウェアが実質的に真っ直ぐに留まるのを支援する。さらに、クリップセグメントは、ネックウェアの着用中、身体が動いている間は前シャツボタンをすべて覆うのを支援する。クリップセグメントは、貼り付けられていない、または取り付けられていないアクセサリを追加することなく、シャツの開き部分または前シャツパネルにネックウェアを固定する。いくつかの実施形態では、ネックウェアの着用者が、自身の裁量でクリップセグメントを素早く且つ容易に内部交換し、その他のディスプレイまたは胴体セグメントによって、ネックウェアの着用者に個別にフィットする。ネックウェア上で利用されるクリップセグメントの数およびネックウェア上でクリップセグメントを配置する位置を決定する要因には、着用者の胴体のサイズと形状を含む。例えば、図１Ｄに示すように、快適であり、且つ、きちんとした見た目となるよう、着用者は、二つのディスプレイ−クリップセグメントを選択してもよく、一方のディスプレイ−クリップセグメントをセグメント位置２の２に、他方のディスプレイ−クリップセグメントをセグメント位置６の６に配置してもよい。この例示的な実施形態および本明細書のその他の例示的な実施形態は、ネックウェアが内部交換可能なディスプレイを含み、胴体セグメントによって、着用者はクリップセグメントの数と、ネックウェアパネルに沿った位置（ネックバンドモジュールの下）ならどこでもよいクリップセグメントの配置とを選択することができ、それは、特に金属製ネックウェアのカスタマイズフィットには重要である。このネックウェアおよびその他の例示的な実施形態は、ディスプレイ−クリップセグメントの代わりに、胴体−クリップセグメントを含んでもよい。ネックウェアの着用者が二つのクリップセグメントを選択し、例えば、着用者が常に同じ位置にクリップセグメントを配置する場合、図１Ａおよび１Ｄの実施形態におけるネックウェア組み合わせの前述の数は、それに応じて減らされる。着用者はまた、ネックウェアがクリップセグメントを含むとしても、どのクリップセグメントも接続しないという選択肢を有する。
【０１６１】
本発明者は、機能的なネクタイ代用品として、優れた金属製ネックウェアを生産する、理想的で効率的な方法は、プレス方法によって提供されるコイン、メダル、およびバーを利用し、飾ることによるものであることを発見し、ネックウェアがコイン、メダル、またはバーのセットまたはシリーズを飾ることができる必要性を特定した。プレス方法（スタンピングまたはコイニング方法としても知られる）は、金属製ネックウェアに優美で細かなデザインをもたらすという点においては、効率的であり、比類ないものである。この方法は、ネックウェアで使用するため、コイン、メダル、または地金バーに像を複製し、彫刻することができる。プレス方法にはまず、金属塊が必要である。所望の金属または金属合金を溶かし、溶融金属をビレット内に流すことによって、塊が提供される。その後、加熱したビレットは、圧力下で作動する押出機を通して加工され、加熱された形状を柔らかい、焼鈍された金属の細片へ形状付ける。押し出された金属の長い細片が冷却されたら、それらは切り取られ、油圧剪断機を使用して切り取ってもよく、さらに、所望の厚さが正確に達成されるまで、高圧圧延機によって圧延される。圧延ストリップから、次いで、ブランキングプレスによって、その後彫刻されることになるコイン、メダル、またはバーが所望のサイズおよび形状になるよう、金属塊を打ち抜く。塊は、彫刻される前に、縁取り機械によってブランキングプレスが残した粗い縁部を取り除き、振動仕上げ機械によって磨かれ、クリーニングされる前に、塊に盛り上がった縁部を追加することを含む、特定のステップを経なければならない。
【０１６２】
塊の金属を彫刻して（打って）、所望のデザインおよび情報を有するコイン、メダル、またはバーを生産するための彫刻金型を生産する前に、所望のデザインおよび情報の三次元プラスター彫刻が生産されてもよい。コインデザインのプラスターコピーがゴムディスクの上に転写され、正の像を生産し、次いで、エポキシ樹脂ディスクに転写されて、元のデザインの負の印を生産する。低減機械は、元のエポキシディスクの輪郭をなぞることによってキーカッターのように機能して、黄銅版上に縮小版を彫刻する。コイン、メタル、またはバーを打つのに実際に使用される金型は、縮小した元のデザインからコピーされる。第二低減機械が黄銅板を取り込み、マトリックスと呼ばれる、元の金型である鋼金型上にすべての情報を縮小させる。ホビングとして知られているプロセスを通して、マトリックスがコピーされ、マスターパンチを生成し、次いで、別のブランク金型上でホブ切りされて、コイン、メタル、またはバーを彫刻する作業金型を生産する。
【０１６３】
プレスでそれぞれ打つことにより、カラー内でブランクにかかる金型の衝撃が、金属を金型のくぼみ内に押し、コイン、メダル、または地金バーの表裏各側に所望のデザインおよび情報を彫刻する。表裏両面に加え、コイン、メダル、またはバーの縁部もまた、ホールマーキングを含み得る、所望のデザインおよび情報が彫刻され得る。前述のプレス方法は一般的な説明であり、実際の方法は鋳造所によって変わり得ることが、当業者によって理解されよう。さらに、コイン、メダル、およびバーを打つために必要な温度、時間枠、圧力、力、およびプレス方法に利用されるその他の項目は、生産されているコイン、メダル、またはバーの特定の金属または金属合金によって変わる。例えば、銀は約９６２°Ｃで溶融し、約２５１ＭＰａのビッカーズ硬度を有するが、プラチナは、約１，７６８°Ｃで溶融し、約４００ＭＰａ〜５５０ＭＰａのビッカーズ硬度を有する。
【０１６４】
本開示のネックウェアパネルで使用するためのコイン、メダル、および地金バーを彫刻するプレス方法は、鋳造方法といった他の方法と比較して、多くの利点を与える。通常、プレス方法では、品質、仕上げ、および重量を含む均一性に対する制限がより大きい。利点のほとんどは、高品質に仕上げられた、優れた、細かなデザインを生産する能力である。こうした仕上げには、マット、プルーフ、リバースプルーフを含む。例えば、プルーフ地金バーは、その生鮮方法が高度に研磨された金型を含む当技術で周知であるが、地金バーの表面のより高い部分では艶消しとなり、地金バーの表面のより低い部分では鏡面のような仕上げとなる。プレス方法によって提供されるコイン、メダル、および地金バーはまた、高レリーフまたは超高レリーフで打たれ得る。高レリーフのコイン、メダル、または地金バー上の像は通常、コイン、メダル、および地金バーの外縁の上に延在し、超高レリーフで打たれたそれらは、さらにより高く盛りあがった像となる。アメリカ合衆国造幣局によって生産された一般的な例として、２０１５年アメリカンリバティハイレリーフ金貨と２００９年ウルトラハイレリーフゴールドダブルイーグルが挙げられる。ハイレリーフおよびウルトラハイレリーフのコイン、メダル、または地金バーは、詳細部分の高さを盛り上げることができ、その詳細部分は像上で見て、触れることができ、芸術作品として説明されることが多い。レリーフの複数の高さが達成され得る。例えば、コイン、メダル、または地金バーは、芸術作品が起伏のある複数高さのレリーフに彫刻されることによって、「三次元の」デザインを含み得る。
【０１６５】
当該技術分野で知られている様々な方法により、コイン、メダル、または地金バーに色を加えることができる。これらはめっき、エナメル、エポキシ、ポーセリン、塗料、および／または、インクを取り入れることを含む。例には、気密されたディスプレイセグメントに含めるために、銀地金バー上に彫刻されたデザインの選択した領域に金めっきを塗布することができ、インクを重ねることで、銀コイン上にデジタルな像を実質的に複製することができることを含む。コイン、メダル、またはバーは、例えば、芸術テーマ、音楽テーマまたはバンド、本、映画、キャスト、マンガ、アクションフィギュア、引用、国家、国、歴史的な出来事や人物、神話の人物、民族または国家遺産、家族、移動、政党、法律、宗教、科学、シンボル、学校、大学、職業、組織、労働組合、会社、産業、企業提携、トレードマーク、ロゴ、クラブ、格言、スローガン、スポーツまたはスポーツチーム、祝日、特別な出来事または機会、および個人的な経験を飾る、宣伝する、宣言する、提示する、カスタムデザイン要素を含み得る。
【０１６６】
コインシリーズの例は、アメリカ合衆国造幣局が生産し、販売するプラチナアメリカンイーグルシリーズである。１００ドルの額面価値があるプルーフコインは、１９９７年から２０１６年まで毎年、１オンスのプラチナを含んでおり、コインの裏側に様々なアーティストによって作成された完全に固有なデザインを有する特徴がある。この継続中のシリーズの表側には常に、自由の女神の像の彫刻と、コインが造幣局によって彫刻された年の彫刻を常に含む。２００９年に開始され、２０１４年に終了した、１オンスプルーフのプラチナアメリカンイーグルの、六年にわたるデザインサブシリーズは、完全に固有のデザインを有する特徴のある六枚のコインそれぞれの裏面に、アメリカ合衆国憲法の序文に含まれる、アメリカ民主主義の基盤を表現している。アメリカ合衆国造幣局が各現行年度に発売されるプラチナアメリカンイーグルを販売することに加え、前年以前のコインシリーズは、二次市場で入手可能である。
【０１６７】
造幣所が提供するコインセットの例には、ロイヤルカナディアンミントが２０１５年に発売した、「Ｆｉｎｅ  Ｓｉｌｖｅｒ  Ｃｏｌｏｕｒｅｄ  ５−Ｃｏｉｎ  Ｓｅｔ−Ｍｙｔｈｏｌｏｇｉｅｓ  ｏｆ  ｔｈｅ  Ｗｏｒｌｄ：Ｇｏｄｓ  ｏｆ  Ｍａｙａ」である。セット内の第一、第二、第三、および第四コインの裏側には、占いと書物の神であるイツァムナー、忠誠と血統の神であるアボロムトザカブ（Ａｈ  Ｂｏｌｏｍ  Ｔｚａｃａｂ）、雨の神であるチャク、創造の神であるククルカンをそれぞれ有する特徴がある。これら四枚のコインそれぞれの表面は、エリザベス女王二世を含む。第五コインの裏側は、ティカルグランプラザ国立公園の空からみた図を特徴とし、表側は、グアテマラ政府の公式な肖像を含む。セット内の五枚のコインはすべて、公式な法定コインである。このコインセットは、２０１７年１月にロイヤルカナディアンミントから購入すると、五枚のコインを保管するためのディスプレイボックスを含んでいたが、コインセットを着用して飾るためのネックウェアデバイスはロイヤルカナディアンミントからは市販されておらず、このコインセットまたはその他の任意のコインセットに利用できるデバイスも市販されていなかった。ロイヤルカナディアンミントから届けられるディスプレイボックス内の五枚のコインはそれぞれ、コインカプセルに封入されていた。
【０１６８】
鋳造所によって提供される地金バーのシリーズの例は、Ｐｒｏｄｕｉｔｓ  Ａｒｔｉｓｔｉｑｕｅｓ  Ｍｅｔａｕｘ  Ｐｒｅｃｉｅｕｘによって生産されるスイスルナシリーズである。毎年、新しいタイプのルナシリーズの地金バーが発売され、中国の十二支の動物である、子、丑、寅、卯、辰、巳、午、未、申、酉、戌、亥のうちの一つを特徴としている。毎年のルナシリーズの地金バーのそれぞれのタイプは、純銀または純金のいずれかを備え、様々なサイズで市販されている。各地金バーの表側および裏側は、動物が様々に彫刻された図を有する。
【０１６９】
図２Ａは別のネックウェアの例示的な実施形態であり、正方形ネックバンドモジュール４８と、１１個の正方形ディスプレイセグメント３７〜４７とを含む。ディスプレイセグメント１の３７がネックバンドモジュール４８の下にあり、ディスプレイセグメント１１の４７が末端のディスプレイセグメントである。ネックバンドモジュール４８および１１個のディスプレイセグメント３７〜４７はそれぞれ、コインを受容し、円形切欠ディスプレイウィンドウを介してコインを飾るよう構成されている。ネックウェアパネルの１２枚のコイン４９〜６０はそれぞれ、ネックウェアが元々備えており、固有デザインが彫刻されている（どれも図示されていない）。ネックバンドモジュール４８の（コインを収容する）区画および１１個のディスプレイセグメント３７〜４７の１１個の区画はすべて同一寸法であり、１２枚のコイン４９〜６０はすべて同一寸法であり、ネックウェアの１２枚のコインそれぞれが、その他の１１枚のコインのすべてと内部交換することができる。
【０１７０】
図２Ａのネックウェアパネルの例示的な実施形態の背面図が図２Ｂに示されている。ネックウェアパネル、ネックバンドモジュール４８、および１１個のディスプレイセグメント３７〜４７の構成要素は、１１個の同一ヒンジによって接続されている。ネックバンドモジュール４８とディスプレイセグメント１の３７とを接続するヒンジ６１である、一つのヒンジのみが図２Ｂにラベル表示されている。例示的な本実施形態のヒンジでは、ディスプレイセグメント自体の内部交換または交換は可能とならない。ネックウェアの内部交換性は、ユーザが、ネックバンドモジュール４８と１１個のディスプレイセグメント３７〜４７のコインの間で、１２枚のコイン４９〜６０（図２Ａに図示）のそれぞれを再配置することによって達成される。例示的な本実施形態のネックウェアの内部交換性の特徴は、１２の階乗数（１２！）に等しい、１２枚の内部交換可能なコインの、数多くのネックウェアの組み合わせを可能にし、着用者に幅広いネックウェアの組み合わせと外観を提供する。図２Ａの実施形態のネックウェアに含まれる１２枚のコイン４９〜６０はそれぞれ、内部交換可能なコインである。ネックウェアの交換性は、ユーザが、ネックウェアが元々備えた１２枚のコイン４９〜６０のいずれかを、外来性のコインで置き換えることによって達成される。
【０１７１】
図２Ａ〜図２Ｃのネックウェアパネルの修正された実施形態では、ネックウェアパネルは、ネックウェアを様々な長さにするためにディスプレイセグメントを追加することまたは取り除くこと（例えば、図１Ｅ）を含む、ディスプレイセグメントを素早く且つ容易に内部交換すること、または、ネックウェアが元々備えていない、外来性のディスプレイセグメントまたは胴体セグメントと交換することを可能にする、改良型の分離締結具（以下でさらに記載）または類似の接続特徴を有するその他のタイプの締結具を利用し得る。実際に、本明細書に開示のネックウェアの任意の実施形態は、ディスプレイセグメントの内部交換性および交換性のための、改良型の分離締結具といった締結具を含み得る。
【０１７２】
図２Ｂに示すように、ネックバンドモジュール４８の背面は、ネックバンドを収容し、ネックバンドをネックバンドモジュールに接続するための開口部である、開口部機構６２を含む。ディスプレイセグメント４の４０は、タイ−クリップ状の機構６３を含む、ディスプレイ−クリップセグメントを備える。下記にさらに説明する通り、ネックバンドモジュール４８の上部および１１個のディスプレイセグメント３７〜４７のそれぞれの上部は、留め具６４を含む（図２Ｂでは、１２個の留め具のうち、ネックバンドモジュール４８上の留め具６４およびディスプレイセグメント１の３７上の留め具６４の二つのみがラベル付けされている）。
【０１７３】
図２Ａのネックウェアの正面図は、ディスプレイセグメント１の３７とディスプレイセグメント２の３８との間の、ディスプレイセグメント２の３８の上部の留め具６４にアクセスできるよう、ネックウェアパネルが適切な角度（例えば、少なくとも約９０°）に旋回した状態で図２Ｃに示されている。以下でさらに説明するように、この留め具６４を取り除くことによって、ユーザは、ディスプレイセグメント２の３８内でコイン２の５０にアクセスすることを可能にする。この例示的な実施形態における、ネックバンドモジュールおよびその他の１０個の各ディスプレイセグメントは、ディスプレイセグメント２の３８と同一配置に同一の留め具（図２Ｃではラベル付けされていない）を含む。
【０１７４】
図２Ｃのディスプレイセグメント２の３８の前面分解図および背面分解図は、図２Ｄおよび図２Ｅにそれぞれ示されている。留め具６４をディスプレイセグメントから接続解除するには、二つのねじ６５を利用する。ねじは留め具６４の穴６６を通過し、ディスプレイセグメント２の３８の二つの受け穴６７に締め付けられる（図２Ｅに示す）。コイン２の５０は、ディスプレイセグメント２の３８の前面で切欠ディスプレイウィンドウ６８を通して見える。ディスプレイウィンドウは、ディスプレイセグメント２の３８の背面上には含まれず、図２Ｅに示すように、この例示的な実施形態では、後壁６９を含む。留め具６４はディスプレイセグメント２の３８から接続解除されており、コイン２の５０は、ディスプレイセグメント２の３８の上部で開口部７０を通って取り除かれている。コイン２の５０をディスプレイセグメント２の３８に再挿入するか、コイン２を、ネックウェアが元々備えた別のコイン（例えば、コイン１、２、３、等）で内部交換するか、または、コイン２を交換可能なコインまたはラウンドと交換するため、ネックウェアのユーザは、ディスプレイセグメント２の３８の上部で開口部７０を通して三枚のコインのうちのいずれか一枚を挿入し、ディスプレイセグメントの上部で留め具６４を開口部７０内に嵌合させることができる。留め具は次いで、ディスプレイセグメントに二つのねじ６５で締め付けられ得る。ディスプレイセグメント２の３８をその他のディスプレイセグメントに接続するためのヒンジ部材は、図２Ｄおよび図２Ｅには含まれない。
【０１７５】
図２Ｄおよび図２Ｅに示すように、留め具６４の底部は、コイン５０と同じ曲率７１を含む。コイン５０がディスプレイセグメント３８の開口部７０に挿入され、留め具６４がディスプレイセグメント３８に挿入され、二つのねじ６５によって取り付けられた後、留め具６４の曲率７１はコイン５０を支持し、ディスプレイセグメント内でコインを所定位置に保持する。留め具がディスプレイセグメントに取り付けられ、締め付けられると、留め具６４の最上パネル７２の前面が、ディスプレイセグメントの面の上部７３の後ろで窪み、そのディスプレイセグメントは、開口部７０、後壁６９の上部７４、二つの側面７５および７６の上部を取り囲む、その他三部分よりも高い。この構成は、周りの人がネックウェアを正面から直接見る場合、取り付けられ、締め付けられた留め具６４は、ディスプレイセグメント３８の面７３の上部の後ろに隠れている。
【０１７６】
コイン５０を収容するディスプレイセグメント３８の区画の内側は、コインに嵌合し、固定するよう構成され、後壁６９（図２Ｅに示す）、留め具の曲率７１、および、ディスプレイセグメントの内側の水平床に垂直である二つの側面７５、７６によって区切られる。ディスプレイウィンドウの他に、図１Ａ〜図２Ｐの例示的な実施形態のように、本明細書の例示的な実施形態のコイン、メダル、または地金バーと接触する、（コイン、メダル、または地金バーを収容する）ディスプレイセグメントまたはネックバンドモジュールの内側区画の表面は、摩耗および傷つきを防ぎ、コイン、メダル、または地金バーの状態を維持するよう、レザーのような、表面を傷つけない材料を含んでもよい。ディスプレイセグメントまたはネックバンドモジュールが留め具を含む場合、表面を傷つけない材料は、コイン、メダル、または地金バーと接触する留め具の一部分上に含まれ得る。区画の床の構成は、真っ直ぐでもよく、または、コインを輪郭取る曲率を含み得る。もちろん、図２Ａ〜図２Ｅの例示的な実施形態は、ねじを利用して留め具をディスプレイセグメントおよびネックバンドモジュールを締付けるが、単に、多数の好適なタイプの締結具の一例である。
【０１７７】
図２Ａ〜図２Ｅのディスプレイセグメントおよびネックバンドモジュールのための留め具のタイプは、ユーザがネックウェアのコインを素早く且つ容易に内部交換または交換するのを可能にはしないが、好適な留め具はまた、ネックウェアのコインを素早く且つ容易に内部交換または交換するのを可能にする任意のタイプの留め具を含み得る。例えば、図２Ｄおよび図２Ｅの修正された実施形態である、図２Ｆおよび図２Ｇの例示的な実施形態に示すように、ディスプレイセグメント７８の留め具７７は、留め具７７をディスプレイセグメント７８から接続解除するのに、鍵、ツール等を必要としない、二つのスナップ締結具を利用する。図２Ｆに示すように、二つのスナップ締結具の雄部分７９のディスプレイセグメント２の正面図は、スタッドと呼ばれる場合もあり、留め具７７の各端上に含まれる。図２Ｇに示すように、スナップ締結具の対応する二つの雌部分８０のディスプレイセグメントの背面図は、ソケットと呼ばれる場合もあり、ディスプレイセグメントの背面に配置される。この留め具７７は、ユーザによって素早く簡単に締め付けられ、留め具７７上の二つのスタッド７９を、ディスプレイセグメント７８上の二つのソケット８０に押すだけで、コインを内部交換または交換することができる。ディスプレイセグメント７８をネックバンドモジュールまたはその他のディスプレイセグメントに接続するための締結具部材（例えば、改良型の分離ヒンジ）は、図２Ｆおよび図２Ｇには含まれていない。
【０１７８】
本明細書の例示的な実施形態におけるネックバンドモジュールまたはディスプレイセグメント上に組み込まれ得る留め具のタイプの決定は、安全レベルと使いやすさとの間の妥協点である。例えば、図２Ａ〜図２Ｅの例示的な実施形態において留め具を締付けるためにねじを利用することによって、図２Ｆおよび図２Ｇの例示的な実施形態における留め具よりも、コインの安全性レベルが高くなるが、しかしながら、図２Ｆおよび図２Ｇの例示的な実施形態の留め具は、コインを素早く且つ容易に内部交換または交換することができる。
【０１７９】
ネックウェアは、図２Ｈおよび図２Ｉの例示的な実施形態に示すディスプレイセグメントおよび胴体セグメントを含み得る。ディスプレイセグメント１の８１はネックバンドモジュール９２の下にあり、ディスプレイセグメント２の８２はディスプレイセグメント１の下にあり、胴体セグメント３の８３はディスプレイセグメント２の下にあり、ディスプレイセグメント４の８４は、胴体セグメント３の下にあり、ディスプレイセグメント５の８５はディスプレイセグメント４の下にあり、ディスプレイセグメント６の８６はディスプレイセグメント５の下にあり、ディスプレイセグメント７の８７はディスプレイセグメント６の下にあり、ディスプレイセグメント８の８８はディスプレイセグメント７の下にあり、胴体セグメント９の８９はディスプレイセグメント８の下にあり、ディスプレイセグメント１０の９０は胴体セグメント９の下にあり、ディスプレイセグメント１１の９１は、末端ディスプレイセグメントであり、ディスプレイセグメント１０の下にある。九枚のコイン９３〜１０１は同一寸法であり、ネックウェアを見る人に対して九つのディスプレイセグメント８１〜８２、８４〜８８、９０〜９１によって飾られ、それらは同じく同一寸法であり、コインを受容し、飾るよう構成されている。九枚のコイン９３〜１０１はそれぞれ固有のデザインが彫刻されているが、そのいずれも、図２Ｈには示されていない。このネックバンドモジュール９２は、コインを受容し、飾るようには構成されておらず、図２Ｉに示すように、ネックバンドを収容し、ネックバンドをネックバンドモジュールに接続するための開口部機構１０２を含む。
【０１８０】
図２Ｈおよび図２Ｉに示すネックウェアのディスプレイセグメント８１〜８２、８４〜８８、９０〜９１は、上述され、図２Ｆおよび図２Ｇに示すディスプレイセグメントと留め具とを利用する。ディスプレイセグメント１の８１上の留め具１０３は、図２Ｈおよび図２Ｉでラベル付けされた唯一の留め具（九つの留め具のうち、各ディスプレイセグメント上の一つ）である。このタイプの留め具は、固有に彫刻された九枚のコイン９３〜１０１がそれぞれ、九つのディスプレイセグメントそれぞれにおいて、それぞれの留め具を通して素早く且つ容易に、互いに内部交換され、ネックウェアが元々備えていない外来性のコインと交換されるのを可能にする。この例示的な実施形態のネックウェアに含まれる九枚のコイン９３〜１０１はそれぞれ、内部交換可能なコインである。
【０１８１】
図２Ｈおよび図２Ｉに示す例示的な実施形態において、ネックバンドモジュール９２と、九つのディスプレイセグメント８１〜８２、８４〜８８、９０〜９１と、二つの胴体セグメント８３、８９とを含むネックウェアパネルの構成要素は、改良型の１１個の同一分離締結具によって接続される。ディスプレイセグメント１１の９１はまた、末端ディスプレイセグメントであり、このディスプレイセグメントが他の１０個のセグメントと内部交換可能となり、潜在的追加セグメントがネックウェアに追加されるよう、セグメントの底部に第二ヒンジ部材１０５を含む。図２Ｉでラベル付けされた改良型の分離締結具のみが、ディスプレイセグメント１の８１とディスプレイセグメント２の８２とを接続する第一ヒンジ部材１０４および第二ヒンジ部材１０５であり、第二ヒンジ部材１０５は末端セグメント９１の底部にある。下記にさらに考察されるように、改良型の分離締結具によって、ネックウェアが複数の長さとなり、おしゃれな見た目となるよう、ディスプレイセグメントまたは胴体セグメントの追加または取り外しを含み、九つのディスプレイセグメントおよび二つの胴体セグメントが内部交換および交換するのを可能にする。この例示的な実施形態では、九つのディスプレイセグメント８１〜８２、８４〜８８、９０〜９１はそれぞれ、内部交換可能なディスプレイセグメントであり、二つの胴体セグメント８３、８９はそれぞれ、着用者が、ネックバンドモジュール９２のみを着用することを含む、１２種類の異なるネックウェアから選択することができる、内部交換可能な胴体セグメントである。九つのディスプレイセグメントはそれぞれ、二つの胴体セグメントそれぞれとも内部交換され得る。もちろん、ユーザが１１個のセグメント８１〜９１を内部交換できることに加え、ネックウェアの内部交換性はまた、ユーザが、九枚のコイン９３〜１０１それぞれを、それぞれの留め具を通って交換可能であることによって達成され得る。九枚のコイン９３〜１０１を内部交換することによるネックウェアの組み合わせの数は、９の階乗（９！）に等しく、１１個のセグメント８１〜９１を内部交換することによるネックウェアの組み合わせの数は、１１の階乗（１１！）に等しく、幅広いネックウェアの組み合わせおよび外観をユーザに提供する。
【０１８２】
女性が着用する、ネックバンドモジュールを元々備えるネックウェアの例示的な実施形態（ディスプレイまたは胴体セグメントなし）が、図２Ｊに示される。ネックバンドモジュールは、コイン（彫刻デザインは示されていない）と、ネックバンドモジュールの上部の留め具（見えない）と、ネックバンドモジュールの底部の、改良型の分離締結具（図示なし）の第二ヒンジ部材（雌端）とを含む。ネックウェアのこの構成により、同じまたは異なるサイズのコインを含む、交換可能なディスプレイまたは胴体セグメントがネックバンドモジュールに追加されることが可能となり、ネックウェアは、当技術分野のその他のネックウェアと比較して多用途となる。着用者は、ネックウェアが複数の長さを有するよう、一つまたは複数の交換可能なディスプレイまたは胴体セグメントを追加し得る。これは、よくあることだが、鋳造所が、シリーズまたはセットの続きのコインを発売する前に、コインのシリーズまたはセットの最初のコインを発売する場合に特に重要である。
【０１８３】
二つの交換可能なディスプレイセグメントの後部は、そのそれぞれが図２Ｊのネックウェアのために構成された改良型の分離締結具と、留め具（素早く且つ容易に接続且つ接続解除される）とを含み、図２Ｋの例示的な実施形態に示される。図２Ｌは、図２Ｊのネックウェアを示し、同じ女性がここでは、改良型の分離締結具によってネックウェアに追加され、接続されたこれら二つの交換可能なディスプレイセグメントを含んでいる。ネックウェアは、前回は一枚のコインを飾っていたが（図２Ｊ）、ここでは三枚のコイン（デザインが彫刻されているが、図示されていない）を飾っており、ネックウェアは、シリーズやセットのコインを含むディスプレイセグメントを含むネックウェアのために構成された、後続の交換可能なディスプレイセグメントを、着用者が素早く且つ容易に追加することによって、追加のコインを飾ることができる。これらの交換可能なディスプレイセグメントは、例えば、交換可能なディスプレイセグメントの上部の改良型の分離締結具の第一ヒンジ部材が、末端ディスプレイセグメントの底部の改良型の分離締結具の第二ヒンジ部材に接続することによって、ネックウェアの末端ディスプレイセグメントに（その時点で）接続する。この特徴は、セットまたはシリーズの個々の部材が鋳造所から経時的に発売されるにつれ、コレクターがコイン、メダル、またはバーを彼らのネックウェアに追加することを可能にする。もちろん、図２Ｊまたは図２Ｌのネックウェアの長さを長くすることに加え、ネックウェアに追加され、蓄積したディスプレイセグメント（または胴体セグメント）はそれぞれ、ネックウェアパネルに沿って任意の順で再配置され得、および／または、ネックウェアパネルに沿ったコインはそれぞれ、任意の順で再配置されるか、または、ネックバンドモジュールまたはディスプレイセグメントの留め具を介してコインにアクセスすることによって、表から裏（またはその逆）に変えされ得る。これらの交換可能なディスプレイセグメントはまた、着用者が望むように、その日や機会の服装に合わせて、ネックウェアから一時的に取り除かれて、さらに戻されてもよい。
【０１８４】
図２Ｋの交換可能なディスプレイセグメントの前面のサイズおよび形状は、図２Ｊおよび図２Ｌに示す例示的な実施形態のネックバンドモジュールの前面のサイズおよび形状と同一である。ネックウェアのこの有利な幾何学配列は、ユーザが交換可能な各ディスプレイセグメントを配置するセグメント位置に関わらず、ネックウェアの二軸を対称に維持するが、交換可能なディスプレイセグメントの締結具およびネックバンドモジュールの締結具が互いに構成され、適切に整列されのであれば、交換可能なディスプレイセグメントは様々なサイズまたは形状であってよい。例えば、ディスプレイセグメント１は、ネックバンドモジュールよりもわずかに幅広く（または狭く）てもよく、ディスプレイセグメント２は、ディスプレイセグメント１よりわずかに幅広く（または狭く）てもよい、等である。もちろん、同一幅を有するネックウェアのディスプレイセグメントとは、ディスプレイインサート、コイン、メダル、またはバーを収容するディスプレイセグメントの区画が同じ幅である必要がある、という意味ではない。図２Ｊ〜図２Ｌに示すネックウェアの修正された例示的な実施形態では、ネックバンドモジュールおよび／または任意の交換可能なディスプレイセグメントは、気密されるよう構成され得るか、または、先行技術のコインホルダまたはカプセルを受容することを含む、ディスプレイインサートを受容するよう構成され得る。
【０１８５】
ユーザがコインを内部交換および交換可能ととなることに加え、図２Ａ〜図２Ｌの例示的な実施形態におけるディスプレイセグメントの有利な特徴は、各ディスプレイセグメントにおいて、着用時にネックウェアが周りの人に見える表側から、着用時にネックウェアが周りの人に見える裏側へ、またはその逆に、コインを容易に反転させることができることである。図２Ａ〜図２Ｌの例示的な実施形態のディスプレイセグメントのディスプレイウィンドウおよび図２Ａ〜図２Ｃおよび図２Ｊ〜図２Ｌの例示的な実施形態のネックバンドモジュールのディスプレイウィンドウは、ガラスディスプレイウィンドウを含まないが、修正された実施形態では、ネックバンドモジュール、および／または、一つまたは複数のディスプレイセグメントは、ガラスディスプレイウィンドウを含む。さらに、図１Ａ〜図１Ｅ、図２Ａ〜図２Ｃ、および図２Ｊ〜図２Ｌの例示的な実施形態では、ネックバンドモジュールまたはディスプレイセグメントは一つのディスプレイウィンドウを含むが、修正された実施形態では、ネックバンドモジュールまたはディスプレイセグメントは、二つのディスプレイウィンドウを含み、一方は前面にあり、他方は背面にある。これらすべての修正された実施形態では、ネックバンドモジュール、ディスプレイセグメント、およびそれらを接続する締結具は、それに応じて修正され得る。修正には、所定サイズのコイン、メダル、またはバーに対して、ネックバンドモジュールまたはディスプレイセグメントの（前面から背面の）厚さが、任意のガラスディスプレイウィンドウを収容できるよう増加され得、ネックウェアパネルを接続する締結具のタイプと、これらの締結具の位置決めもまた、二つのディスプレイウィンドウを含むネックバンドモジュールまたはディスプレイセグメントに対して修正され得る、ということを含む。例えば、締結具または締結具の部材は、ネックバンドモジュールまたはディスプレイセグメントの背面からコイン、メダル、またはバーが見えなくならないように、ネックバンドモジュールまたはディスプレイセグメントの側面または底部に位置付けられ得る。ディスプレイウィンドウ周りの前面および背面フレームのサイズもまた、修正され得る。もちろん、ネックバンドモジュールまたはディスプレイセグメントは、ネックバンドモジュールまたはディスプレイセグメントがガラスディスプレイウィンドウを含まない、または、二つのディスプレイウィンドウを含まなくても、これらの修正のいずれかまたはすべてを含み得る。
【０１８６】
図２Ａ〜図２Ｌの例示的な実施形態（および図４Ａ〜図４Ｆ、図５Ａ〜図５Ｄ、および図１１Ａ〜図１１Ｄの例示的な実施形態でさらに記載されるように）は、留め具付きのディスプレイセグメントを含む。コイン、ラウンド、メダル、または地金バーにユーザがアクセスできるようにする任意のタイプの好適な留め具は、ディスプレイセグメントに利用され得る。ネックバンドモジュールまたはディスプレイセグメントは、留め具がネックバンドモジュールまたはディスプレイセグメントの底部または側面上にある、といったように、留め具がネックバンドモジュールまたはディスプレイセグメントに沿った任意の位置に位置され得るように、構成され得る。留め具は、ネックバンドモジュールまたはディスプレイセグメントから完全に取り外され得、留め具をネックバンドモジュールまたはディスプレイセグメントに接続するヒンジによって開閉され得る。
【０１８７】
ネックバンドモジュールまたはディスプレイセグメントはまた、図２Ａ〜図２Ｌの例示的な実施形態（および図４Ａ〜図４Ｆ、図５Ａ〜図５Ｄ、および図１１Ａ〜図１１Ｄの例示的な実施形態でさらに記載されるように）とは異なる方法で構成され得る。実際に、コイン、メダル、または地金バーを固定し、飾る、任意のタイプのネックバンドモジュールまたはディスプレイセグメントは、留め具を含まないネックバンドモジュールまたはディスプレイセグメントを含むネックウェアに利用され得る。例えば、図２Ｍは、ユーザが地金バーを挿入し、または取り外せるように、ディスプレイセグメントが開閉するのを可能にするヒンジによって結合された二つの半部分から成るクラムシェル容器に似たディスプレイセグメントの例示的な実施形態の正面図である。ディスプレイセグメントの前セクションは、ガラスディスプレイウィンドウを含む。ディスプレイセグメントの二つの半部分は、ねじによって共に締め付けられ得る。クラムシェルタイプのディスプレイセグメントは、スナップ、自動ロックタブといった、コイン、メダル、または地金バーを素早く且つ容易に内部交換または交換するのを可能にする締結具を含むか、または摩擦嵌合機構によって、ディスプレイセグメントの両部分が閉じられたまま保持するための様々な締結具を利用し得る。図２Ｎは、改良型の分離締結具と共に構成されたネックウェアへ接続するための、ディスプレイセグメントの背面上の改良型の分離締結具の両部材を含むディスプレイセグメントの背面図である。このタイプのディスプレイセグメントはまた、ネックバンドを収容するための開口部機構を含むよう構成されたネックバンドモジュールとして利用され得る。もちろん、ディスプレイセグメントの上部の改良型の分離締結具部材は、除去されている。
【０１８８】
留め具を含まないネックバンドモジュールの別の実施例は、ユーザがコイン、メダル、または地金バーにアクセスできるよう、互いから完全に分離した二つのセクション（例えば、半分）を有するネックバンドモジュールである。図２Ｏは、ねじで互いに締め付けるネックバンドモジュールの二つの分離したセクションの例示的な実施形態の正面図である。ネックバンドモジュールの前セクションは、地金バーを飾るためのガラスディスプレイウィンドウを含む。図２Ｐは、後部セクションの上部に開口部機構と、後部セクションの底部に改良型の分離締結具の第二ヒンジ部材とを含む、ネックバンドモジュールの二つの分離されたセクションの背面図である。一つのコイン、メダル、またはバーのためのベゼルとは異なり、改良型の分離締結具の部材を含むネックバンドモジュール（図２Ｏおよび図２Ｐに示すようなディスプレイまたは胴体セグメントなし）を元々備えるネックウェアパネルは、ネックウェアが、ネックウェアに追加されるよう構成された交換可能なディスプレイセグメントおよび交換可能な胴体セグメントのための容量を有する。この特徴により、多用途のネックウェアが複数の長さを達成することができるだけでなく、上述のスイスルナシリーズの地金バーのように、シリーズまたはセットの追加地金バーは経時的に発売されるため、それらを飾ることができるネックウェアを提供する。このスタイルのネックバンドモジュールはまた、開口部機構が除去され、改良型の分離締結具の雄部材が追加されたディスプレイセグメントに利用され得る。修正された実施形態では、図２Ｍおよび図２Ｎのディスプレイセグメントおよび図２Ｏおよび図２Ｐのネックバンドモジュールは、コインまたはメダルのために構成される。これらのディスプレイセグメントおよびネックバンドモジュールは、円いディスプレイウィンドウを有する円形であってもよく、または、円いディスプレイウィンドウを有する正方形であってもよい。ネックウェアは、留め具がある、または留め具のない、複数のタイプのディスプレイセグメントを含み得、または、様々な形状のディスプレイセグメントを含み得る。ネックウェアパネルはまた、コイン、メダル、および地金バーを含み得る。
【０１８９】
本発明者は、市販の先行技術のコインホルダ、コインカプセル、および地金バーカプセルは、コイン、メダル、または地金バーをネックウェアのネックバンドモジュールおよびディスプレイセグメントに固定し、飾るためのディスプレイインサートとして有用であることを発見した。これらのコインホルダ、コインカプセル、および地金バーカプセルの、この新規の使用は、コイン、メダル、および地金バーを飾り、ネックウェアに封入するのに効果的である。鋳造所が販売する地金、記念コイン、および記念メダルは、通常、鋳造所から出荷されるときにコインカプセルまたは地金バーカプセルに含まれる。多くのコレクターのコインは、金属を摩耗および傷つき、および指紋から保護する、コインホルダまたはコインカプセルに保存される。気密されていないが、コインホルダ、コインカプセル、および地金バーカプセルはまた、例えば、銀および銅のコインおよびバーの変色量を低減する。様々なサイズのコイン、メダル、または地金バーは、同一の外径だが、様々なサイズのコイン、メダル、または地金バーのための異なるサイズの区画を有する、一つのタイプのホルダまたはカプセルを収容するよう構成されたネックウェアパネルによって、効率的に飾られる。これにより、ディスプレイセグメントがすべて均一だが、一つのタイプのコインホルダ、コインカプセル、または地金バーカプセルで多くの様々なサイズのコインを収容できるため、ネックウェアパネルの生産が容易となる。ネックウェアで使用するディスプレイインサートとして機能し得る、先行技術のコインホルダおよびバーカプセルの例は、図３Ａ〜図３Ｑに示されている。これらはコインまたは地金バーを保持するために市販されており、以前は、ネックウェアのために意図され、提供され、使用されていなかった。
【０１９０】
円形の、先行技術のＡｉｒ−Ｔｉｔｅのコインホルダ（型式：ダイレクトフィットＨ３２）１０６（コインカプセルとも呼ばれる）が図３Ａに示され、共に合わされており、ホルダが構成されたコイン１０７（彫刻デザインは示されていない）を含む。この円く、剛性で、透明なコインホルダは、アクリル製であり、二つの部分から成る。図３Ｂおよび図３Ｃに示すように、コインホルダの二つの係合解除された部分は、ベース１０８およびカバー１０９を備え、コイン１０７を保持するよう構成されている。ベース１０８と上向きの区画１１０の上面図と、カバー１０９と上向きの開放側面１１１の上面図が図３Ｄに示されている。封入されたコインを固定するベース１０８の区画１１０の径は、この型式のコインホルダ用に、約３２．７ｍｍである。この径を有するコインは、アメリカンイーグルワンオンス金貨と、プラチナアメリカンイーグルワンオンスコインと、１オンスと、２４カラットのアメリカンゴールドバッファローを含み、これらはすべて、アメリカ合衆国造幣局が生産している。図３Ｂおよび図３Ｃに示すように、複数の、均等に離間した長方形隆起部１１２がカバー１０９の内側フラップ上およびその周囲にある。コイン１０７がベース１０８の内側にある場合、圧力がカバーに印加されると、カバー１０９がベース１０８上で単にスナップし、それによって、カバー１０９上の長方形隆起部１１２が、ベース１０８の外側リム１１３（図３Ｄ）周りにスナップする。コインホルダ１０６を分離し、コインを取り除くためには、好ましくは爪や小さなレバーを使用して、コインホルダのベース１０８とカバー１０９が分離してユーザがコインにアクセス可能となるまで、カバー１０９の縁とベース１０８の外側リム１１３との間に十分な力を加える。
【０１９１】
図３Ｄのベース１０８周りの内側リム１１４は、径が３２．７ｍｍの前述のコインを、約３２．７ｍｍ（径）の区画１１０にしっかりと嵌合するガスケットとして作用する。ダイレクトフィットＨ３２モデルのコインホルダの全体外径は４４．４５ｍｍである。Ｈ３２モデルに加え、Ａｉｒ−Ｔｉｔｅのコインホルダの様々なその他の市販のダイレクトフィットモデルはまた、４４．４５ｍｍの全体外径を有するが、Ｈ２７（区画径約２７ｍｍ）、Ｈ３４（区画径約３４ｍｍ）、Ｈ３８（区画径約３８．１ｍｍ）、Ｈ３９（区画径約３９ｍｍ）、および、Ｈ４０．６（区画径約４０．６ｍｍ）を含む、それらのそれぞれの区画の様々な径を有する。実際に、製造プロセス中、内側リムは、任意のサイズの区画（径最大約４０．６ｍｍ）用のこれらの４４．４５ｍｍ（全体外径）のベースに沿っていずれの場所にも位置付けられて、カスタムデザインされた（彫刻、その他のデザイン要素、および厚さを含む寸法の点において）ラウンド、メダル、またはバーに嵌合し得る。
【０１９２】
Ａｉｒ−Ｔｉｔｅコインホルダというブランド名にも関わらず、これらのコインホルダは気密（ａｉｒ  ｔｉｇｈｔ）ではなく、本明細書で参照されるその他のコインホルダについても同様であることを留意することが重要である。このホルダが合わせられるとき、カバー１０９のフラップの内側周りの長方形隆起部１１２とベース１０８との隙間によって、外気がコインに到達し得る。実験では、Ｗｅｉｍａｒ  Ｗ．Ｗｈｉｔｅは、コインホルダに封入された銀ドルと銅コインを、コインを変色させる一般的な環境汚染物質である、高レベルの硫化水素ガスに曝した。これらの実験の目的は、実際にコインホルダが気密であったかどうかの評価である。Ａｉｒ−Ｔｉｔｅのコインホルダも評価されたホルダの一タイプであった。Ｗｈｉｔｅ氏は、銀ドルおよび銅コインがコインホルダ内にあっても、これらのコインを含むコインホルダが高レベルの硫化水素ガスに曝されたあとすぐに変色したことを観察し、Ａｉｒ−Ｔｉｔｅのコインホルダを含め、コインホルダは気密でないことを確認した。２０１２年Ａｍｅｒｉｃａｎ  Ｓｐｏｒｔｓ  Ｍｅｄｉａ出版、Ｗｈｉｔｅ，Ｗｅｉｍａｒ  Ｗ．著の「Ｃｏｉｎ  Ｃｈｅｍｉｓｔｒｙ  Ｉｎｃｌｕｄｉｎｇ  Ｐｒｅｓｅｒｖａｔｉｏｎ  ａｎｄ  Ｃｌｅａｎｉｎｇ，Ｔｈｉｒｄ  Ｅｄｉｔｉｏｎ」を参照。
【０１９３】
円形の、Ａｉｒ−Ｔｉｔｅのコインホルダ（型式：Ｄｉｒｅｃｔ  Ｆｉｔ  ＡＥ＄／Ｈ−４０）１１５（コインカプセルとも呼ばれる）が図３Ｅに示され、共に合わされており、このホルダが構成されたコイン１１６（彫刻デザインは示されていない）を含む。上述のＡｉｒ−ＴｉｔｅのＨ３２モデルのように、この型式のコインホルダの二つの係合解除された部分は、図３Ｆおよび図３Ｇに示すように、ベース１１７およびカバー１１８を備える。ベース１１７と上向きの区画１１９の上面図と、カバー１１８と上向きの開放側面の上面図が図３Ｈに示されている。このＡｉｒ−ＴｉｔｅのＡＥ＄／Ｈ−４０モデルのコインホルダは、（Ａｉｒ−ＴｉｔｅのＨ３２モデルおよび上述のその他のモデルが有するようには）ベース周りに内側リムを有しない。Ａｉｒ−ＴｉｔｅのＡＥ＄／Ｈ−４０モデルのベース１１７の区画１１９の径は、外側リム１２０の径でもある、約４０．６ｍｍである。この径を有するコインの一例は、アメリカ合衆国造幣局によって生産されるアメリカンイーグルワンオンス銀貨を含み、これは、外側リム１２０の周囲にしっかりと嵌合し、それによって内側リムが不要となる。
【０１９４】
ホルダコインまたはラウンドのためには構成されておらず、ネックウェアに使用されるディスプレイインサートとして機能し得るホルダの一例が、図３Ｉに示されている。これは、角丸長方形のバーのための角丸長方形のバーホルダ１２１（Ａｉｒ−Ｔｉｔｅのダイレクトフィットのバーモデル）であり、共に合わせられ、地金バー１２２（彫刻デザインは示されていない）を含む。上述のコインの型式のように、このバーホルダは剛性で、透明なアクリルであり、二つの部分から成る。このバーホルダはまた、当技術分野のその他のバーホルダのように、地金バーカプセルまたはバーカプセルとも呼ばれる。図３Ｊおよび図３Ｋに示すように、このバーホルダの二つの係合解除された部分は、ベース１２３とカバー１２４とを備える。ベース１２３と、上向きの区画１２５の上面図が図３Ｌに示されている。図３Ｊおよび図３Ｋに示すように、複数の、均等に離間した長方形隆起部１２６がカバー１２４の内側フラップ上およびその周囲にある。地金バー１２２がベース１２３の区画１２５の内側にある場合、圧力がカバーに印加されると、カバー１２４がベース１２３上に単にスナップし、それによって、カバー１２４上の長方形隆起部１２６が、ベース１２３の外側リム１２７周りにスナップする。このＡｉｒ−Ｔｉｔｅのダイレクトフィットのバーホルダは、（Ａｉｒ−ＴｉｔｅのＨ３２モデルが有するようには）ベース周りに内側リムを有さず、外側リム１２７は、地金バー１２２に嵌合し、地金バー１２２を区画１２５内に固定する。ベース１２３の区画１２５の長さおよび幅は、５０．４２ｍｍおよび２９．４１ｍｍである。このバーホルダは、Ｓｕｎｓｈｉｎｅ  Ｍｉｎｔｉｎｇ，Ｉｎｃ．が生産する９９９銀地金バーといった、ワンオンス銀地金バーに嵌合する。
【０１９５】
ネックウェアで使用するディスプレイインサートとして機能し得る、あるタイプの市販のコインホルダの別の実施例は、ブラックガスケット付きのＱｕａｄｒｕｍ（商標）インターセプトスナップロックホルダである。これらの、角丸正方形コインホルダは、多くの型式で利用可能であり、各型式は、１４ｍｍの内径で始まり、１ｍｍごとに増加し、４１ｍｍを通る（２４ｍｍおよび４０ｍｍの内径ガスケットを例外とする）、異なるサイズの円形開口部（内径）のある発泡体ガスケットを含む。この範囲のガスケットサイズにより、このタイプのコインホルダが、いずれのサイズのコインまたはラウンドも嵌合し、固定し、実質的に飾ることが可能となる。ガスケットの型式および内径に関わらず、このタイプのコインホルダの全体外径は、約５．１ｃｍである。２７ｍｍの型式１２８が図３Ｍに示されており、２７ｍｍのコイン１２９を含んで合わされている。図３Ｎおよび図３Ｏに示すように、このコインホルダは、ベース１３０およびカバー１３１から成る、二つの係合可能な、剛性のある、透明プラスチック部分を含み、それらを共にスナップすることによってインターロックする。２７ｍｍ径のコイン１２９（彫刻デザインは示されていない）は、コインホルダ内でコイン１２９を固定する発泡体ガスケット１３２の、２７ｍｍ（径）の円形開口部１３３の内側に嵌合する。中国印鈔造幣総公司（ＣＢＰＭ）が生産する半オンスの中国パンダ金貨と、アメリカ合衆国造幣局が生産するアメリカンイーグル半オンス金貨が、このモデルのコインホルダに嵌合するコインの例である。
【０１９６】
ブラックガスケット１３４のあるＱｕａｄｒｕｍ（商標）インターセプトスナップロックホルダの３８ｍｍモデルが図３Ｐおよび図３Ｑに示されている。ガスケット１３５は、３８ｍｍ（径）のコイン１２９（彫刻デザインは示されていない）に嵌合し、コインをコインホルダ内に固定する、３８ｍｍ（径）の円形開口部１３６を有する。このコインホルダのガスケット１３５に嵌合するコイン１３７の一例は、ロイヤルカナディアンミントが生産するワンオンスのメイプルリーフ銀貨である。このコインホルダの全体外径は、上述の２７ｍｍモデルを含む、様々なその他のモデルと同一である。
【０１９７】
上述された、図３Ｅ〜図３Ｈのコイン１１６を含むコインホルダ１１５を嵌合し、固定するよう構成されたディスプレイセグメント１３８は、図４Ａおよび図４Ｂの例示的な実施形態に示され、これは、図２Ｄおよび図２Ｅのディスプレイセグメントの修正された実施形態である。ディスプレイセグメントの正面斜視図が図４Ａに示され、ディスプレイセグメントの背面斜視図が図４Ｂに示される。図４Ａに示すディスプレイセグメント１３８の開口部１３９は、コインと単純に比較すると、厚いコインホルダに適応するよう、より大きい。留め具１４０は、ディスプレイセグメントの背面１３８上の二つの受け穴１４２を通り、且つ、留め具上の二つの受け穴１４３を通って、締め付けられた二つのねじ１４１を利用する。受け穴１４２、１４３の両セットの位置決めは、図２Ｅのこれらの穴６６、６７の位置決めに比べ、ディスプレイセグメントの幅を合理化することができる。切欠ディスプレイウィンドウ１４４の径は、コインホルダの前述のモデルによって封入されることができる最大コインの径である、約４０．６ｍｍである。このディスプレイセグメント１３８はまた、その他の前述のＡｉｒ−Ｔｉｔｅモデルすべてを収容することにもなり、これらはすべて、４４．４５ｍｍの全体外径を有する。図４Ａおよび図４Ｂの修正された実施形態では、ディスプレイセグメントの幅および長さは、ディスプレイウィンドウおよびコインホルダに封入されたコインの径にほぼ一致し、それによって、より合理化されたディスプレイセグメントとなる。
【０１９８】
上述された、図３Ｉおよび図３Ｌのバー１２２を含むバーホルダ１２１を嵌合し、固定するよう構成されたディスプレイセグメント１４５は、図４Ｃおよび図４Ｄの例示的な実施形態に示され、これは、図４Ａおよび図４Ｂのディスプレイセグメントの修正された実施形態である。ディスプレイセグメントの正面斜視図が図４Ｃに示され、ディスプレイセグメントの背面斜視図が図４Ｄに示される。図４Ａおよび図４Ｂのディスプレイセグメント１３８と比較すると、図４Ｃおよび図４Ｄのディスプレイセグメント１４５は、角丸長方形のバーホルダを収容し、留め具１４６の底部は平らである。図４Ｃに示すように、留め具１４６の各端は、ディスプレイセグメントの上部１４５に向かって二つのピンソケット１４８に嵌合して、留め具をディスプレイセグメントに締め付ける、二つのばねピン１４７を含む。留め具は、ディスプレイセグメント１４５のいずれかの端に向かって留め具をスライドすることによって開かれ、これによって二つのばねピン１４７のうちの一つを解除する。この留め具１４６は、ディスプレイセグメント内の内容物を素早く且つ容易に内部交換および交換するのを可能にする留め具の別の実施例である。この例では、それは、地金バー１２２を含むバーホルダ１２１である。切欠ディスプレイウィンドウ１４９は、図３Ｌのバーホルダのベース１２３の区画１２５の長さと幅である、寸法５０．４２ｍｍ×２９．４１ｍｍの角丸長方形である。
【０１９９】
上述された、図３Ｍ〜図３Ｏのコイン１２９を含むコインホルダ１２８を嵌合し、固定するよう構成されたディスプレイセグメント１５０は、図４Ｅの例示的な実施形態に示され、これは、図４Ｃおよび図４Ｄのディスプレイセグメントの修正された実施形態である。図４Ｃおよび図４Ｄのディスプレイセグメント１４５と比較すると、図４Ｅのディスプレイセグメント１５０は、角丸正方形コインホルダ１２８を収容する。切欠ディスプレイウィンドウ１５１の径は、図３Ｍ〜図３Ｏのコイン１２９の径に一致する、２７ｍｍである。図４Ｃおよび図４Ｄの留め具のように、この留め具１５２は、二つのピンソケット１５４に合う二つのばねピン１５３によってこのディスプレイセグメント１５０に固定し、コインホルダ１２８が素早く且つ容易に内部交換または交換されるのを可能にする。
【０２００】
上述および図３Ｐおよび図３Ｑに示す、コイン１３７を含むコインホルダ１３４に嵌合し、固定するよう構成されたディスプレイセグメント１５５は、図４Ｆの例示的な実施形態に示されており、これは、図４Ｅのディスプレイセグメントの修正された実施形態である。図４Ｅのディスプレイセグメント１５０と比較すると、図４Ｆのディスプレイセグメント１５５は、より大きい切欠ディスプレイウィンドウ１５６（径４０．６ｍｍ）を有し、これは、コイン１３７の径に一致し、ほとんどのコインを収容するのに十分大きい。図４Ｅのディスプレイセグメントのように、図４Ｆの留め具１５７は、二つのピンソケットに合う二つのばねピンによってこのディスプレイセグメント１５５に固定し、コインホルダ１３４が素早く且つ容易に内部交換または交換されるのを可能にする。
【０２０１】
図２Ｄ〜図２Ｇおよび図４Ａ〜図４Ｆに示すものを含む、本明細書のディスプレイセグメントの例示的な実施形態は、それに応じて修正されたネックバンドモジュールとして利用されてもよく、それらが、ネックバンドを収容するための開口部機構を含むよう構成され、ディスプレイセグメントの上部の締結具部材が除去されることを含む。
【０２０２】
図４Ａおよび図４Ｂの１１個のディスプレイセグメントを含むネックウェアが図５Ａの例示的な実施形態に示されている。円形切欠ディスプレイウィンドウを有する正方形ネックバンドモジュールは、円形切欠ディスプレイウィンドウを有する、一連の正方形ディスプレイセグメントに接続される。ネックバンドモジュールおよび１１個のディスプレイセグメントのそれぞれは、図３Ｅ〜図３Ｈのコインホルダ１１５と、固有に彫刻されたコイン（彫刻されたデザインは図示されていない）とを含む。ネックウェアは、二つの矢印によって示される、ディスプレイセグメント４の１５８で角度付けられている。ディスプレイセグメント４の１５８の留め具１５９は接続解除されており、コインを含むコインホルダ１１５は、直線矢印によって示されているように、ディスプレイセグメントから取り除かれている。ディスプレイセグメント４の１５８を含む、ネックウェアのディスプレイセグメントはすべて、図３Ａ〜図３Ｄのコインホルダ１０６と上述のその他のＡｉｒ−Ｔｉｔｅモデルを含む、約４４ｍｍの全体外径を有する丸み付けられたディスプレイインサートに嵌合し、固定することができる。ネックウェアのこの特徴は、豊富な数の潜在的なネックウェアの組み合わせ、およびおしゃれな見た目のための、上記コインホルダを含む、ディスプレイインサートを内部交換および交換するための、驚異的な多用途性をもたらす。ネックウェアのためのディスプレイインサートは、ネックウェアのネックバンドモジュールまたはディスプレイセグメントに特別に構成され、製造された、市販のコインホルダおよびディスプレイインサートを含む。
【０２０３】
図４Ｃおよび図４Ｄのディスプレイセグメントと留め具とを含むネックウェアが、図５Ｂの例示的な実施形態に示されている。角丸長方形切欠ディスプレイウィンドウを有する長方形ネックバンドモジュールは、角丸長方形切欠ディスプレイウィンドウを有する、一連の長方形ディスプレイセグメントに接続される。ネックバンドモジュールおよび八つのディスプレイセグメントはそれぞれ、図３Ｉ〜図３Ｌのバーホルダ１２１と、固有に彫刻されたバー（彫刻されたデザインは図示されていない）とを含む。ネックウェアは、二つの矢印によって示される、ディスプレイセグメント３の１６０で角度付けられている。ディスプレイセグメント３の１６０の留め具１６１は接続解除されており、（地金バーを含む）バーホルダ１２１は、直線矢印によって示されているように、ディスプレイセグメントから取り除かれている。ネックバンドモジュール上およびこのネックウェアのその他すべてのディスプレイセグメント上に含まれた、このタイプの留め具１６１（上述）はまた、ネックウェアパネルに収容された九つすべてのバーホルダが、素早く且つ容易に、互いに内部交換、または、外来性のディスプレイインサートと交換されるのを可能にする。このネックウェアは、ネックウェアパネルの後部にわたって改良型の分離ヒンジ１６２を含み（以下にさらに記載される）、また、これによって、ネックウェアのディスプレイセグメントが内部交換および交換されるのを可能にし、ネックウェアが九つの異なる長さで着用され得ることを含む。ネックウェアのこの特徴は、豊富な数の潜在的なネックウェアの組み合わせ、およびおしゃれな見た目のためを可能にする、驚異的な多用途性をもたらす。
【０２０４】
図５Ｂのネックバンドモジュールの前面およびネックウェアのディスプレイセグメントのぞれぞれのサイズおよび形状は、同一である。例示的な本実施形態および本明細書のその他の例示的な実施形態では、ネックバンドモジュールの前面および各ディスプレイセグメントの前面は同一幅であり、左右対称の二軸を有する（一方は垂直方向であり、他方は水平方向）ため前面ネックウェアパネルも対称の二軸を有する。ネックウェアのこの固有の幾何学配列は、どのディスプレイセグメントか、または、いくつのディスプレイセグメントが内部交換されるか、に関わらず、幾何学配列がネックウェアの対称の二軸を維持する。ネックウェアの対称構成を妨げることなく、ネックウェアが元々備えるディスプレイセグメントは、任意の順で再配列され得、および／または、ユーザが所望する、複数のネックウェアの長さにするため、ネックウェアパネルから取り外しても、追加してもよい。ネックウェアが対称であり、追加の外来性部品またはオーナメントなしで、内部交換可能な特徴により、これら複数の潜在的なネックウェアおよびおしゃれな外観が達成される。また、同様に、ネックウェアの対称の二軸を妨げることなく、この幾何学配列によって、一つまたは複数の交換可能なディスプレイセグメントを、ネックウェアが元々備えるディスプレイセグメントのいずれと置き換えることができ、および／または、一つまたは複数の交換可能なディスプレイセグメントを、ネックウェアパネル（ネックバンドモジュールの下）に沿った任意の位置に追加することができる。これらの機能的利点に加えて、対称性は、ネックウェアの美的特徴である。
【０２０５】
図４Ｅのディスプレイセグメント１５０と、留め具１５２と、コインホルダ１２８と、図４Ｆのディスプレイセグメント１５５と、留め具１５７と、コインホルダ１３４とを含むネックウェアが、図５Ｃの例示的な実施形態に示されている。円形切欠ディスプレイウィンドウを有する正方形ネックバンドモジュールは、円形切欠ディスプレイウィンドウを有する、一連の正方形ディスプレイセグメントに接続される。ネックバンドモジュールは、図４Ｅの留め具１５２とコインホルダ１２８とを含む。九枚のコインホルダはそれぞれ、固有に彫刻されたコインを含み、そのデザインは図示されていない。図５Ｃに示す、ディスプレイセグメント１から３の１６３とディスプレイセグメント５から８の１６４は、図４Ｅのディスプレイセグメント１５０を備える。図５Ｃのディスプレイセグメント４の１６５は、図４Ｆのディスプレイセグメントを備える。ネックバンドモジュールおよびディスプレイセグメントの切欠ディスプレイウィンドウの径（ディスプレイセグメント４の１６５のディスプレイウィンドウ１６６の径のみがラベル付けされている）は、ネックバンドモジュールおよびディスプレイセグメントのコインホルダのガスケットの内径に一致する。ネックウェアの修正された実施形態では、ディスプレイセグメントおよびネックバンドモジュールすべてのディスプレイウィンドウの径は、ネックウェアパネルにわたって一定である。
【０２０６】
例えば、図５Ｄのネックウェアの例示的な実施形態に示すように、八つのディスプレイセグメント１６７〜１７４およびネックバンドモジュール１７５は、同一径を有する円形ディスプレイウィンドウを含む（ディスプレイセグメント４の１７０のディスプレイウィンドウの径１７６のみがラベル付けされている）。このネックウェアは、図４Ｆのディスプレイセグメント１５５と、留め具１５７と、Ｑｕａｄｒｕｍ（商標）インターセプトスナップロックコインホルダ１３４を含む。このタイプのコインホルダは、以下の可変ガスケットサイズ（内径）と同一の外径を有し、つまり、ネックバンドモジュール１７５は３０ｍｍのガスケットを含み、ディスプレイセグメント１の１６７は３２ｍｍのガスケットを含み、ディスプレイセグメント２の１６８は３４ｍｍのガスケットを含み、ディスプレイセグメント３の１６９は３６ｍｍのガスケットを含み、ディスプレイセグメント４の１７０は４１ｍｍのガスケットを含み、ディスプレイセグメント５の１７１は３６ｍｍのガスケットを含み、ディスプレイセグメント６の１７２は３４ｍｍのガスケットを含み、ディスプレイセグメント７の１７３は３２ｍｍのガスケットを含み、ディスプレイセグメント８の１７４は３０ｍｍのガスケットを含む。コインホルダはそれぞれ、固有に彫刻されたコインを含み、そのデザインは図示されていない。ネックバンドモジュール１７５およびディスプレイセグメント１６７〜１７４のコインホルダの各コインの径は、上記のガスケットサイズ（内径）に一致する。このネックウェア構成は、ネックウェアが内部交換可能なディスプレイセグメントを含んでいてもいなくても、１４ｍｍの径から４１ｍｍの径の範囲の実質的に任意のサイズのコインが、ネックウェアパネルに沿った任意の場所に飾られるのを可能にする。このネックウェアの九つすべてのディスプレイインサートは、この例示的な実施形態では、コインホルダを備えるが、内部交換可能なディスプレイインサートであり、素早く且つ容易に内部交換および交換される。
【０２０７】
非常に薄いディスプレイセグメント、ネックバンドモジュール、胴体セグメント、および／またはディスプレイインサートを提供する、当技術分野で周知の方法は、ネックウェアの合理化のために、ネックウェアで使用されるのが好まれる場合がある。通常、これらが薄ければ薄いほど、ネックウェアがより審美的に魅力的で、心地よさが高まる。（ｉ）ガラスを薄くすることができる、割れ、きず、または摩耗に対する高い抵抗力、（ｉｉ）高い光学的透明度、（ｉｉｉ）軽量、（ｉｖ）高い化学的耐久性、の特徴を含む、ディスプレイガラスの特別なタイプが、ネックバンドモジュール、ディスプレイセグメントおよびディスプレイインサートに好まれることが理解されよう。そのようなガラスの一例は、Ｃｏｒｎｉｎｇ（商標）Ｇｏｒｉｌｌａ（商標）ガラスであり、０．４ｍｍの薄さが入手可能であり、上記の特徴を含む。
【０２０８】
ネックバンドモジュールまたはディスプレイセグメントは先行技術のコインホルダ、コインカプセル、またはバーカプセルに対して構成され得るが、ネックバンドモジュールまたはディスプレイセグメントはまた、先行技術のコインホルダ、コインカプセル、またはバーカプセルではなく、ネックウェアのために特別に構成された、ディスプレイインサートに対して構成されてもよい。様々な修正が先行技術のコインホルダ、コインカプセル、または地金バーカプセル上に取り込まれてもよく、それには、それらを通過する外気が少なくなるようにデザインされ、製造されることを含む。様々なタイプの金属−ガラス間密封がこれらのホルダおよびカプセルに取り込まれ得る。ベースとこれらのホルダおよびカプセルの縁との間の気流の一部分を塞ぐための、縁周りのエポキシアクリルストリップもまた、有益だろう。それらはまた、ネックウェアのために構成され、カスタムデザインされたコイン、ラウンド、メダル、またはバーを収容する様々なサイズ（例えば、より厚いか、より薄い）で生産され得る。ディスプレイインサートは、コイン、ラウンド、メダル、またはバーの、ガラス無しのフレームを備えてもよい。ディスプレイインサートは任意のサイズまたは形状であってよく、または、コイン、ラウンド、メダル、またはバーは、ネックバンドモジュールまたはディスプレイセグメントの前面において、切欠ディスプレイウィンドウを通って部分的に突出するように構成されてもよい。
【０２０９】
本明細書のネックウェアの例示的な実施形態は、布地のネクタイおよびネクタイに似たその他のタイプのネックウェアと比較して、汚れにくく、食品、飲料、煙草の灰、インク、またはその他の汚れで汚れた場合でも、取り除くのが非常に簡単で、より経済的であり、内部交換性および交換性が高く、より耐久性があり、しわがなく、引っかかることがなく、煙草の火によって焼け穴が開かず、結び目を作る必要がなく、ネクタイの結び目（さらに、非対称な折り畳みやネクタイの結び目の波状部分）がないため、着用時に周りの人に対称に見える、および／または、前シャツボタンすべて覆う、といった、利点を含む。さらに、心地よい金属製ネックウェアは、ネクタイの着用、または、ネクタイ無しでのボタンダウンシャツの着用に代わる、正装または準正装に必要な多くを提供する。
【０２１０】
可視スペクトルの光の反射率は（２０°より小さいある角度の、３９０ｎｍから７００ｎｍの間の１０ナノメートルの波長間隔での方向性半球反射率）は、三つの金属バー、三つのボタンダウンドレスシャツ、および三つの織物ネクタイに球状反射計を一体化させる、Ｃａｒｙ  ５０００を使用して、Ｓｕｒｆａｃｅ  Ｏｐｔｉｃｓ  Ｃｏｒｐｏｒａｔｉｏｎによって分析された。分析用に提供された三つの金属バーは、Ｐａｔｕｇａ  ＬＬＣによってデザインされ、プレス方法を利用して、民間の鋳造所によって製造された。光の反射率のために分析された三つの金属バーはすべて、エナメルまたは彫刻後のデザイン要素を含まない。金属バーのうちの一つは純銀であり、二つめは純銅であり、三つめは黄銅（銅８５％、亜鉛１５％）である。三つの金属バーはすべて、同一の鋳造されたプルーフ仕上げを含む、同一のデザインと彫刻を有する。
【０２１１】
光反射率（ＬＲＶ）分析用に提供された三つのボタンダウンドレスシャツは、Ｓｔａｆｆｏｒｄブランドのシャツであり、米国のＪ．Ｃ．Ｐｅｎｎｙ  Ｃｏｒｐｏｒａｔｉｏｎによって販売されている（Ｔｒａｖｅｌ、Ｅａｓｙ−Ｃａｒｅ  Ｂｒｏａｄｃｌｏｔｈ、綿５５％、ポリエステル４５％、レギュラーサイズ−１６、１／２、３２〜３３）。三枚のドレスシャツはそれぞれ無地であり一枚目は青色（ラベル付けされた、ブルーミングブルー）、二枚目は白色（ラベル付けされた、白色）、および三枚目はグレー（ラベル付けされた、ロックフェラーグレー）であった。ＬＲＶ分析用に提供された三本の布地のネクタイは、ＪＦ  Ｊ．Ｆｅｒｒａｒブランドのネクタイであり、Ｊ．Ｃ．Ｐｅｎｎｙ  Ｃｏｒｐｏｒａｔｉｏｎが販売している（狭いＪＦバックウォール）。三本のネクタイはそれぞれ無地であり、一本目は青色（ラベル付けされた、エクストリームブルー）、二本目は赤色（ラベル付けされた、カイエン）、および三本目は黄色（ラベル付けされた、明るいバターカップ）であった。対象のネクタイのラベルは織物の種類を開示していなかった。三本のネクタイはすべて、しっかりとした光沢があった。
【０２１２】
分析されたドレスシャツおよびネクタイはすべて、布地に目立った柄のタイプのない、無地であったため、布地が、例えば、複数の色や柄を含む場合に、分光光度計を使ってサンプル上で標的位置を選択するとき、曖昧さや問題はないだろう。分光光度計で光の反射率を分析するための、各サンプルの標的位置は、約３ｃｍ×５ｍｍであった。三つのタイプのサンプルのそれぞれにおける標的位置の中心は、以下の通りであった。金属バーの場合、（ネックウェア上に位置付けられる）上部から３ｍｍ、左から右に中心付けられる。シャツの場合、襟の残りの先端から２ｃｍ下（シャツの標的位置の布地が複数層になるように、シャツが折られ、工場からピン止めされている間）。ネクタイの場合、ネクタイの底端から３８ｃｍで左から右に中心付けられる。
【０２１３】
３２の光反射率が、九つのサンプルそれぞれから生成された。九つのサンプルのそれぞれについて、これら３２の値の平均は、図６の棒グラフに表わされている。銀バーの平均ＬＲＶ（８８．５％）は、白色のドレスシャツの平均ＬＲＶ（８８．６％）とほぼ等しく、金属が白色物体と同様に光を反射することが明らかである。銀バーの平均ＬＲＶ（８８．５％）は、青色シャツの平均ＬＲＶ（３２．８％）より大きく、グレーのシャツの平均ＬＲＶ（４２．０％）より大きく、三本のネクタイの平均ＬＲＶすべて（青色：２２．５％、赤色：２４．６％、黄色：５６．２％）より大きかった。銅バーの平均ＬＲＶ（６０．９％）は、青色シャツの平均ＬＲＶ（３２．８％）より大きく、グレーのシャツの平均ＬＲＶ（４２．０％）より大きく、三本のネクタイの平均ＬＲＶすべてより大きかった。黄銅バーの平均ＬＲＶ（５４．１％）は、青色シャツの平均ＬＲＶ（３２．８％）より大きく、グレーのシャツの平均ＬＲＶ（４２．０％）より大きく、黄色ネクタイの平均ＬＲＶ（５６．２％）とほぼ等しく、青色ネクタイの平均ＬＲＶ（２２．５％）より大きく、赤色ネクタイの平均ＬＲＶ（２４．６％）より大きかった。これらのＬＲＶの結果により、鋳造者のプレス方法によって提供される金属バーを含むネックウェアが、色、組成、およびテクスチャだけでなく、光の反射率においても、正装および準正装の布地と劇的なコントラストを生み出すことを確認した。本開示の金属製ネックウェアは、正装および準正装の一部として、視覚的な興味深さ、熱意およびドラマを作り出す。
【０２１４】
改良型のヒンジ
分離ヒンジは、「リフトオフヒンジ」と呼ばれることもあり、当技術分野では周知である。それらは、二つの物体を接続し、一つまたは両方の物体を移動または回転可能にすることによって、一般的なヒンジと同様に機能する。分離ヒンジの有利な特徴は、分離ヒンジに接続された物体が、鍵、ツール等無しで接続解除および／または再接続され、分離ヒンジが、取扱う力および重量負荷においてはそれらのサイズに対して強固であることである。
【０２１５】
別態様では、本発明者は、米国特許出願第１５／３８４，５４０号に開示され、本明細書で改良型の分離締結具とも称される、新規且つ改良型の分離ヒンジを立案した。発明者は、盗難抑止力の増強、および、ヒンジが不注意にロック解除され、偶発的な動きや衝撃によって摺動分離する可能性の低減を含む、より高いレベルの固定を有する分離ヒンジを使用して物体をよりしっかり固定する必要性を特定した。いくつかの実施形態では、改良型のインスタント分離締結具が、ネックウェアパネルの構成要素を固定するためのインスタントネックウェアで利用され得る。例には、図１Ａ〜図１Ｅ、図２Ｈ〜図２Ｐ、および図５Ｂの例示的な実施形態を含む。しかしながら、本明細書のネックウェアのいずれかの実施形態は、改良型の分離締結具を含むよう修正され得る。
【０２１６】
その他の例示的な実施形態では、改良型のインスタント分離締結具は、任意の物品を物体に固定または疑似ロックするために使用され得る。例には、小売業環境において芸術作品または宝石などの貴重品をディスプレイに固定することを含む。この方法で、改良型の分離締結具は、より強固な固定をもたらすことができ、通常の分離ヒンジが提供する利点を維持しつつ、盗難を防止するのに役立ち得る。
【０２１７】
タイで作られた、一般的な、以前から既知の分離ヒンジＳｅａ  Ｄｏｇ  Ｌｉｎｅは、鋳造ステンレス鋼であり、図７Ａ〜図７Ｆに示される。図７Ａは、ロック解除されて分離され、ピン１７８を有する第一ヒンジ部材（雄端１７７）と、ピンを受けて収容し、旋回点として作用するバレル１８０を有する第二ヒンジ部材（雌端）１７９の二つの部材から成る、先行技術の分離ヒンジの上面図である。第一ヒンジ部材は、第一リーフ１８１と、ナックル１８２と、鍵溝１８３と、ピン１７８とを備える。第二ヒンジ部材は、第二リーフ１８４と、鍵１８５と、バレル１８０とを備える。図７Ｂは、ロック位置にあり、ピン１７８がバレル１８０と係合していることを示す、先行技術の分離ヒンジの上面図である。図７Ｃは、ロック位置にあり、鍵１８５が鍵溝１８３と係合していることを示す、前述のヒンジの底面図である。図７Ｄは、ロック位置にあり、ヒンジの底面が平らであり、第一ヒンジ部材（雄端）１７７および第二ヒンジ部材（雌端）１７９にわたって直線であることを示す、前述のヒンジの側面図である。
【０２１８】
先行技術の分離ヒンジをロック解除し、分離するには、二つのステップが必要である。まず、図７Ｄのヒンジの平らな位置と比較して、ヒンジを正しい角度（少なくとも約１５０°）まで回転させ（平らな位置から閉じる）、図７Ｅに図示するように、雌端１７９の鍵１８５が雄端１７７の鍵溝１８３から自在となるのを可能にする。鍵１８５はもはや、鍵溝１８３内で制約されず、雄端１７７および雌端１７９の両方とも、ここではロック解除されている。次に、図７Ｆに図示するように、雄端１７７と雌端１７９とを摺動分離する。ヒンジをロックするには、これら二つのステップを逆の順番で実施する。特定の用途には前述のヒンジで十分であり、ロックされると、その組成とデザインにより強固であるが、偶発的な動きや衝撃による意図しない接続解除から保護する必要がある用途に対しては、十分でない。これらの特徴では、また、前述のヒンジが盗難抑止力を必要とする用途に対しては実用的にならない。
【０２１９】
改良型のインスタント分離締結具は、ステンレス鋼を含む当技術分野で周知の任意の方法で作製され得、上記の先行技術の分離ヒンジに、さらなる安全性の重要特徴を追加する。改良型の分離締結具の例が、図８Ａ〜図８Ｉに示されている。図８Ａに示すように、鍵穴の第一脚部１８７および鍵穴の第二脚部１８８である二つの脚部から成る鍵穴１８６は、改良型の分離締結具の第一ヒンジ部材（雄端）に取り込まれ得る。鍵穴は、ピンの上で高く作られたカール部１８９によって構成され、鍵を係合するチャネルである。下記にさらに説明する通り、ヒンジをロックおよびロック解除するためには、鍵が鍵穴を通って誘導されなければならないため、鍵穴の組み込みは盗難抑止力を高め、ヒンジが不注意にロック解除し、摺動分離する可能性を大幅に低減する。図８Ｂの改良型の分離締結具の雄端１９１の鍵穴１８６は、図７Ａの先行技術の分離ヒンジの鍵溝１８３から分離して別個となり、図８Ｂの改良型の分離締結具の雄端１９１の鍵溝１９０から分離して別個となる。先行技術の分離ヒンジは鍵穴を備えないため、前述のヒンジの鍵が鍵溝から出ると、前述のヒンジの両ヒンジ部材はロック解除され、すぐに分離され得る。
【０２２０】
図８Ｂに示すように、改良型の分離締結具は、第一ヒンジ部材（雄端）１９１と、第二ヒンジ部材（雌端）１９５とを備える。第一ヒンジ部材１９１は、第一リーフ１９２と、鍵穴１８６と、鍵溝１９０と、ナックル１９３と、ピン１９４とを備える。第二ヒンジ部材１９５は、第二リーフ１９６と、鍵１９７と、バレル１９８とを備える。第一リーフ１９２および第二リーフ１９６はそれぞれ、改良型の分離締結具を物体に取り付けるためのボルトまたはねじを収容する穴を有する。ナックル１９３は、鍵溝１９０の外部境界として機能する。
【０２２１】
図８Ｃは、改良型の分離締結具がロック位置にあり、ピン１９４の大部分がバレル１９８内にあることを明らかにする上面図である。鍵穴の第一脚部１８７および鍵穴の第二脚部１８８もまた、図示されている。鍵１９７が鍵溝１９０と係合し、ピン１９４がバレル１９８と係合すると、第一ヒンジ部材１９１および第二ヒンジ部材１９５は、第一ヒンジ部材および／または第二部材に取り付けられた任意の物品を含んで、同時に回転され得る。第一ヒンジ部材１９１および第二ヒンジ部材１９５はまた、第一ヒンジ部材および／または第二ヒンジ部材に取り付けられた任意の物品を含んで、別々に回転され得る。鍵溝１９０は、ピン１９４のほとんどの円周周りに延在する。
【０２２２】
ネックウェアのディスプレイセグメントといった、取り付けられた物品があってもなくても、改良型のインスタント分離締結具をロック解除し、分離するためには、ユーザは、図８Ｄ〜図８Ｇの矢印によって図示するような四つのシンプルなステップを完了させなければならない。第一ステップは、図８Ｄに図示するように、第二ヒンジ部材の鍵１９７が鍵穴の第一脚部１８７の入口点に来るまで、第一ヒンジ部材１９１および／または第二ヒンジ部材１９５を回転させ（図８Ｃの１８０°の平らな位置から閉じ）、それによって、鍵１９７を適切な角度（例えば、約１００°）で鍵溝１９０内に位置付けて、鍵溝１９０を出て、鍵穴の第一脚部１８７に入る。（ヒンジ部材がそれらの１８０°の平らな位置から必要以上に回転され、鍵１９７が鍵穴の第一脚部１８７の入口点を通過する場合、改良型の分離締結具は、鍵１９７が鍵穴の第一脚部１８７に入らない限りは、鍵溝の末端１９９を含む鍵溝１９０によって鍵１９７が鍵溝１９０から出るのを許可しないため、ロックされたままとなる。したがって、ヒンジ部材は単に適切な位置、この例では約１００°まで、回転させて戻される。）第二ステップは、図８Ｅに図示するように、鍵１９７が鍵穴の第一脚部１８７および鍵穴の第二脚部１８８の交差部と接触するまで、矢印で示すように、第一ヒンジ部材１９１および／または第二ヒンジ部材１９５を摺動分離し、第一および第二ヒンジ部材がさらに分離するのを防止する。この例では、鍵穴の第一および第二脚部の交差部がピンに沿って垂直に考慮され得るように、鍵穴の第一脚部１８７がピン１９４の長手方向軸に沿って延在し、鍵穴の第二脚部１８８がピンに対して円周方向に延在する。第三ステップは、図８Ｆに図示するように、鍵が鍵穴の第二脚部内でもはや制約されない点、この実施形態では鍵穴の最終脚部である、において、１９７が鍵穴の第二脚部１８８を通過するよう、第一ヒンジ部材１９１および／または第二ヒンジ部材１９５を、適切な角度（例えば、少なくとも約１６０°まで）さらに回転させる。第四は、図８Ｇに図示するように、矢印で示すように、第一ヒンジ部材１９１および第二ヒンジ部材１９５を完全に摺動分離させ、この場合は、ピン１９４がバレル１９８から取り除かれている。
【０２２３】
図８Ｄ〜図８Ｇに含まれる、これら二つのさらなるロック解除ステップは、図７Ｅおよび図７Ｆに図示されるロック解除ステップと比較すると、共通の分離ヒンジを、準組み合わせロックに移行させる。一旦ロック解除されて分離されると、改良型のインスタント分離締結具を共に合わせて、ロックするには、ユーザは単に、前述の四ステップを逆の順で実施することになる。ロックされた改良型の分離締結具は、ピン１９４がバレル１９８内で回転する間、および、鍵１９７が鍵溝１９０と係合している間は、ディスプレイセグメントといった、任意の取り付けられた物品が、旋回するのを可能にする。
【０２２４】
改良型の分離締結具は、第一ヒンジ部材（雄端）および第二ヒンジ部材（雌端）から成る二つの部分のみを有し、ロックされると非常に強固であり、強い力および重量負荷の取扱いが可能であるが、機能するためのばね、コイル、ねじ、ボルト、クラスプ、等を備えず（それらはすべて、時間が経つと劣化し、最終的には壊れる場合がある）、低プロファイルを有し、前述の締結具の底部は平らで直線である。鍵穴の安全特徴と組み合わせたこれらの特徴は、改良型の分離締結具を、宝石品を共に接続する、および、ネックウェアのネックバンドモジュール、ディスプレイセグメント、および胴体セグメントを接続することを含む、様々な用途のための締結の魅力ある選択肢となる。改良型の分離締結具は、上述の先行技術の分離ヒンジと比較すると、例えば、偶発的な動きまたは衝撃により、ネックウェアが不注意に接続解除されるリスクを大幅に低減させる。さらに、改良型の分離締結具は、例えば、宝石に通常使用される、リンクタイプのチェーンまたはその他の不十分な、安全でない締結具と比較すると、ネックウェアパネルの構成要素を強制的に取り除こうとすることを含む、ネックウェア着用中に盗難しようとする行為に対して、ネックウェアをより安全な状態にする。
【０２２５】
したがって、改良型の分離締結具は、ネックウェアのネックウェアパネルに取り付けられ得る締結具の一例を提供し、これは、ディスプレイセグメントおよび／または胴体セグメントすべてが、旋回し、素早く且つ容易に内部交換および交換されるのを可能にする、ネックウェア全体の接続性を可能にする。図１Ａおよび図１Ｄの例示的な実施形態では、図１Ｄに示す改良型の分離締結具の第一ヒンジ部材（雄端）３３および第二ヒンジ部材（雌端）３４は、（例えば、ネックバンドモジュール９および八つのディスプレイセグメント１〜８を元々備えるネックウェアについては）以下の方法でネックウェアパネルの後部に取り付けられる。改良型の分離締結具の雌端３４（鍵は下向き）をネックバンドモジュール９の底部分に、改良型の分離締結具の雄端３３（ナックルは上向き）をディスプレイセグメント１の上部分（ネックバンドモジュールのすぐ下のディスプレイセグメント）に、改良型の分離締結具の雌端３４（鍵は下向き）をディスプレイセグメント１の底部分に、改良型の分離締結具の雄端３３（ナックルは上向き）をディスプレイセグメント２の上部分に、改良型の分離締結具の雌端３４（鍵は下向き）をディスプレイセグメント２の底部分に、改良型の分離締結具の雄端３３（ナックルは上向き）をディスプレイセグメント３の上部分に、改良型の分離締結具の雌端３４（鍵は下向き）をディスプレイセグメント３の底部分に、改良型の分離締結具の雄端３３（ナックルは上向き）をディスプレイセグメント４の上部分に、改良型の分離締結具の雌端３４（鍵は下向き）をディスプレイセグメント４の底部分に、改良型の分離締結具の雄端３３（ナックルは上向き）をディスプレイセグメント５の上部分に、改良型の分離締結具の雌端３４（鍵は下向き）をディスプレイセグメント５の底部分に、改良型の分離締結具の雄端３３（ナックルは上向き）をディスプレイセグメント６の上部分に、改良型の分離締結具の雌端３４（鍵は下向き）をディスプレイセグメント６の底部分に、改良型の分離締結具の雄端３３（ナックルは上向き）をディスプレイセグメント７の上部分に、改良型の分離締結具の雌端３４（鍵は下向き）をディスプレイセグメント７の底部分に、改良型の分離締結具の雄端３３（ナックルは上向き）をディスプレイセグメント８の上部分に、改良型の分離締結具の雌端３４（鍵は下向き）をディスプレイセグメント８の底部分に、取り付けられる。
【０２２６】
本明細書に記載の、図１Ｄに示すものを含む、改良型の分離締結具は、左利き、または、左利きまたは左配向のヒンジである。改良型の分離締結具はまた、右利き、または、右利きおよび／または右配向のヒンジとして構成されてもよく、これはまた、インスタントネックウェアおよびその他の物品に利用されてもよい。締結具をネックバンドモジュール、ディスプレイセグメントまたは胴体セグメントに取り付ける方法は、ネックウェアパネルに利用される締結具のタイプおよび組成、および、ネックバンドモジュール、ディスプレイセグメント、または胴体セグメントの組成による。改良型の分離締結具の雄端および雌端は、利用される締結具のタイプおよび組成、および、場合によっては、ネックバンドモジュール、ディスプレイセグメント、胴体セグメント、またはその他任意の物品の組成に応じて、はんだ付け、またはエポキシの使用を含む、当技術分野で周知の様々な方法のいずれかによって取り付けられてもよい。実際に、改良型の分離締結具を含む締結具は、はんだ付けまたはエポキシ以外の、例えば、ねじまたはボルトの利用といった、当技術分野で周知の方法によって、ネックウェアパネルの構成要素を含む、任意の物品に取り付けられてもよい。改良型の分離締結具を含む締結具の部分は、鋳造またはプレス方法によって、ネックバンドモジュール、ディスプレイセグメント、または胴体セグメントと共に単一片の一部として形成されることによって提供され得る。
【０２２７】
改良型の分離締結具の鍵穴は、ピンに沿って一つまたは複数の脚部を備え、直線、弧の一部分、および／または、楕円の一部分を含む、ピンに沿った任意のパターンを含む。鍵穴の脚部は、ピンの長手方向軸に沿って、または、ピンに対して円周方向に延在し得る。脚部の数および脚部のタイプを含む、改良型の分離締結具に組み込む鍵穴の複雑さ（例えば、直線の脚部または曲線の脚部）の決定は、安全性と、改良型の分離締結具の分離／結合の容易さとの間で相反するものである。鍵穴が複雑になるほど、安全性レベルは上がり、鍵穴が複雑でなくなるほど、安全性レベルは下がるが、改良型の分離締結具がより簡単に、早くロックまたはロック解除できる。改良型の分離締結具の鍵は、直方体または円筒に似た形状を含む、鍵穴および鍵溝に係合する任意の形状またはサイズであってもよいことが理解されよう。鍵１９７は、図８Ｂに示すように、第二リーフ１９６に取り付けられる鍵の一面から分離した長方形角柱に近似する。もちろん、鍵がどのような形状またはサイズでも、鍵穴および鍵溝の寸法は、鍵のそれらが適切に係合するように調整され、構成される。
【０２２８】
四つの脚部を有する、より複雑な鍵穴の例示的な実施形態が図８Ｈに示されている。この鍵穴は、上述され、図８Ａに示された鍵穴と比較すると、改良型の分離締結具をロック解除またはロックするには二つの追加ステップを必要とし、合計六ステップとなる。第一ステップは、第二ヒンジ部材（図示せず）の鍵が第一ヒンジ部材２０１の鍵穴の第一脚部２００の入口点に来るまで、第一ヒンジ部材および／または第二ヒンジ部材を回転させ（平らな位置から閉じ）、それによって、鍵を適切な角度で第二ヒンジ部材上に位置付けて、鍵溝２０２を出て、鍵穴に入る。第二ステップは、鍵が鍵穴の第一脚部２００および鍵穴の第二脚部２０３の交差部と接触するまで、第一ヒンジ部材および／または第二ヒンジ部材を部分的に摺動分離し、第一および第二ヒンジ部材がさらに分離するのを防止する。第三ステップは、鍵が鍵穴の第三脚部２０４の入口点に来るまで、第一ヒンジ部材および／または第二ヒンジ部材を、適切な角度までさらに回転させる。第四は、鍵が鍵穴の第三脚部２０４および鍵穴の第四脚部２０５の交差部と接触するまで、第一ヒンジ部材および／または第二ヒンジ部材を部分的に摺動分離し、第一および第二ヒンジ部材がさらに分離するのを防止する。第五ステップは、鍵がもはや鍵穴内で制約されない点において、鍵が鍵穴の第四脚部２０５を通過するよう、第一ヒンジ部材および／または第二ヒンジ部材を適切な角度までさらに回転させる。第六ステップは、鍵がピン２０６を通過し、ピンがバレルから取り除かれた場合に、第一および第二ヒンジ部材を完全に摺動分離させる。
【０２２９】
改良型の分離締結具のさらに複雑な鍵穴の例示的な実施形が図８Ｉに示されている。この鍵穴は、第一脚部２０７と、第二脚部２０８と、第三脚部２０９と、第四脚部２１０と、第五脚部２１１との、五つの脚部を備える。この鍵穴は、改良型の分離締結具をロック解除またはロックするには、六つのステップを必要とする。最初の四つのステップは上記と同じである。第五ステップは、ユーザは、ステップ３とは反対の方向に第一ヒンジ部材および／または第二ヒンジ部材を回転させる必要があり、その違いは、そのステップ５では、ステップ３のようにヒンジ部材を（平らな位置から）開くのではなく、ヒンジ部材を（平らな位置から）閉じることになる。図８Ｈの鍵穴と比較して、この鍵穴のさらなる安全対策は、ピンに対して円周方向に延在する鍵穴の部分について、鍵が二つの脚部の交差部と接触すると、両円周方向に鍵穴のこれらの部分が係合自在となる。この特徴は、ロックされた改良型の分離締結具の鍵穴パターンを知らない、許可されていないユーザがヒンジをロック解除しようとする場合に、ヒンジ部材をどちらの方向に回すのかを推測させる。
【０２３０】
さらなる安全性を鍵穴に組み込むことに加え、上述され図７Ａ〜図７Ｆに示された先行技術の分離ヒンジと比較すると、本明細書の改良型の分離締結具にはその他の改良がある。図８Ｂに示すように、ネックウェアの実施形態のようないくつかの実施形態のためのこれらの改良は、改良型の分離締結具のナックル１９３が第一リーフ１９２と同一平面にあり（図７Ａのように第一リーフに重ならない）、改良型の分離締結具のバレル１９８は、バレル端において第二リーフ１９６を大幅に超えて突出しないことを含む。第一リーフおよび第二リーフのサイズは、改良型の分離締結具の本明細書の例示的な実施形態においては、小さくされている。また、図８Ｄに示すように、先行技術のヒンジとは異なり、改良型の分離締結具は鍵溝１９０の第二の末端１９９を含み、鍵１９７が鍵穴の第一脚部１８７に入らない限りは、鍵１９７が鍵溝１９０から出るのを許可しない。これらのさらなる改良により、改良型の分離締結具がより合理化されることになる。ピンおよびバレルの径を含む、第一ヒンジ部材および第二ヒンジ部材のサイズは、特定の用途によって変化し得ることが理解されよう。
【０２３１】
改良型の分離締結具の第一リーフおよび／または第二リーフは、物品を取り付けるため、任意の位置に任意の数の穴を含み得る。図８Ｂ〜図８Ｉに示すように、第一リーフ、第二リーフはどちらも、物品を取り付けるための二つの穴を有する。改良型の分離締結具は、例えば、ネックウェアのディスプレイおよび胴体セグメントおよびネックバンドモジュールを含む、任意の物品にねじ止めされ得る。その他の実施形態では、第一リーフおよび／または第二リーフは、取り付けるための穴を含まなくてもよい。例えば、図１Ｄに示すように、改良型の分離締結具は、ディスプレイセグメントおよびネックバンドモジュールにはんだ付けされることによって、取り付けられ得る。
【０２３２】
改良型のクイックリリースバックル
別態様では、本発明者は、様々な物品と併用できる新規の改良型のクイックリリースバックルを考案する。発明者は、物体をクイックリリースバックルにより良く接続する必要性を特定し、これには、クイックリリースバックルが一つまたは複数の剛性のある物体に、例えばねじ止めなどで、取り付けられる能力を有する必要性と、クイックリリースバックルが、クイックリリースバックルに取り付けられるこれらの剛性のある物体に旋回能力を与える必要性とを含む。
【０２３３】
いくつかの例示的な実施形態では、改良型のクイックリリースバックルにより、剛性取付けされた物体が内部交換可能または交換可能となる。改良型のクイックリリースバックルは、ネックウェアパネルの構成要素を接続し、ディスプレイセグメントおよび胴体セグメントに旋回能力を与え、内部交換性および交換性の特徴を与えるために、本明細書のインスタントネックウェアと共に使用され得る。その他の例示的な実施形態では、改良型のクイックリリースバックルは、旋回能力と、素早く且つ容易に内部交換または交換される能力を必要とする、任意の剛性のある物体に取り付けられ得る。物品の一部分のみを内部交換または交換することによって多くの組み合わせが達成されるため、改良型のクイックリリースバックルが装備された任意の物品は、多用途性を含むより良い利用性をユーザに提供でき、物品の外観も劇的に変化させる。例えば、下記にさらに説明する通り、図１１Ａおよび図１１Ｂの例示的な実施形態では、ネックウェアパネルを接続する改良型のクイックリリースバックルは、八つのディスプレイセグメントの内の任意の数を取り除くことによって、ネックウェアパネルを短くするのを可能し、または、ネックウェアパネルは、ディスプレイまたは胴体セグメントを追加することによって長くすることができ、八つのディスプレイセグメントのそれぞれの位置は、互いに再配置され得る。これらのシナリオのそれぞれにおいて、ネックウェアは、完全に新しい外観となる。本明細書のネックウェアの任意の実施形態は、改良型のクイックリリースバックルを含むよう修正されてもよい。
【０２３４】
クイックリリースバックルは、当技術分野で周知であり、ベルトを接続および接続解除し、ウェビングストラップを接合および接合解除するのに有用である。それらは、強力な力と重量負荷の能力を有し、係合または係合解除するのに、ツール等を必要としない。Ｌｅｒｒａ  ｅｔ  ａｌ．への米国特許第６，２２６，８４４Ｂ１号は、係合端と、係合端の反対のモジュール受容部分とを有する第一バックル構成要素と、第一バックル構成要素の係合端と解除可能に係合するよう構築された係合端と、係合端の反対のモジュール受容部分とを有する第二バックル構成要素と、を含むサイドリリースバックルを開示する。
【０２３５】
Ｓｃｈｍｉｔｚへの米国特許第６，７９２，６５４Ｂ２号（国際特許第ＷＯ０１／８２７３７として発行）は、ベルト端に締め付けられる二つのバックル部材であって、第二バックル部材が軸方向に挿入される受容区画を有する前述の部材の第一と、ばねの力に対して調整され、第一バックル部材のアンダーカットと相互作用して嵌合されたバックル部材を固定する、スナップ嵌合部材を備える前述の第二バックル部材と、の二つのバックル部材を備える金属製ベルトバックルを開示する。図９Ａ（６５４特許の図２）は、アイループ２１４を含む第一バックル部材２１２と、アイループ２１４を含む第二バックル部材２１３が係合解除位置にある、Ｓｃｈｍｉｔｚへのベルトバックルの上面図である。係合位置にあるベルトバックルの上面図が、二つのアイループを形成し、取り囲むバーを含む、両バックル部材の端部における二つのアイループ２１４が、ベルトバックルの全長の大部分を累積的に備えることを実証して、図９Ｂ（特許６５４の図３）に示されている。係合解除位置にあるベルトバックルの側面図は、図９Ｃ（６５４特許の図１）に示され、ベルト端２１５が、第一および第二バックル部材のアイループ２１４に固定され、アイループが下向きに角度付けされ、締結具が低プロファイルおよび／または平らで直線の底部（平面底部）を必要とする用途のために、物品の取付けまたは接続の妨害を生み出すことを示す。
【０２３６】
ＬｅｒｒａのサイドリリースバックルおよびＳｃｈｍｉｔｚのベルトバックルは、ベルトを接続および接続解除し、ウェビングストラップまたはその他の類似タイプの柔軟性のある物品（例えば、バックパックや荷物）を結合および結合解除するのに有用であるが、これらおよびその他のクイックリリースバックルはネックウェアのネックバンドモジュールおよびディスプレイセグメントを含む、剛性のある物体に取り付けられる（ねじ止めまたははんだ付けを含む）ように意図され、デザインされ、または適していない。さらに、Ｌｅｒｒａ  ｅｔ  ａｌ．へのサイドリリースバックル、Ｓｃｈｍｉｔｚのベルトバックル、およびその他のクイックリリースバックルは、ディスプレイセグメント、胴体セグメント、またはその他の剛性のある物体を回転可能にする、ヒンジといった任意の機構を含まない。実際に、先行技術のクイックリリースバックルは、これらのタイプの用途には役立たない。
【０２３７】
したがって、改良型のクイックリリースバックルは、ネックウェアのネックウェアパネルに取り付けられて、ネックウェアパネル全体に接続性をもたらし、取り付けられたディスプレイセグメントまたは胴体セグメントを回転可能にし、内部交換可能にし得る、締結具の一例を提供する。図１０Ａは上面斜視図であり、図１０Ｂは側面図であり、改良型のクイックリリースバックル（鋳造金属内）の例示的な実施形態を示し、二つのディスプレイセグメント２１８、２１９の後部に取り付けられた、第一バックル部材（雄端）２１６と、第二バックル部材（雌端）２１７とを含む。雄端２１６は二つのねじ嵌合アーム２２３と、ばね（ばねの力の方向性を示す矢印と共に、図１０Ａにばね記号「Ｓ」によって表わされる）と、中央ガイド２２４とを含み、雌端２１７は、受容チャンバ２２６の両側に一つのリリース開口部２２５を含む。受容チャンバ２２６は、雌端２１７内にあの中空空洞部であり、中央ガイド２２４に係合するよう、雌端の前面で開いている。矢印で図示されるように、中央ガイド２２４の前面は雄端の係合端であり、受容チャンバ２２６は雌端の係合端である。図１０Ｂに示すように、各リリース開口部２２５は、両リリース開口部２２５の両側面において、上壁部分２２７と、下壁部分２２８と、側壁部分２２９とによって区画される。上壁部分２２７および下壁部分２２８は、雌端２１７の各側面上の各リリース開口部２２５の上下にあり、ねじ嵌合アーム２２３の係合のためにクリップされ、内側に曲げられている。雄端２１６の径は、雄端が雌端の受容チャンバ２２６内に挿入または押され得る方法で、雌端２１７と調整され得る。したがって、雄端２１６は、雄端が受容チャンバに挿入されると、ねじ嵌合アームが内向きに旋回する方法で、二つのラッチングまたはねじ嵌合アーム２２３が連結または結合される中央ガイド２２４を含む。一旦二つのねじ嵌合アーム２２３が側壁部分（リリース開口部の前）２２９を通過し、二つのリリース開口部２２５に完全に入ると、二つのねじ嵌合アームが、各ねじ嵌合アーム２２３の各後部対面角部２３０が静止し、各側壁部分（リリース開口部の前）２２９の後ろで捕えるよう、それらに作用する圧縮ばね（ばねの力の方向性を示す矢印と共に、ばね記号「Ｓ」で表わす）によって移動し、旋回し、それによって、改良型のクイックリリースバックルをロックする。そのため、改良型のクイックリリースバックルをロックすることは非常に簡単であり、雄端２１６を雌端２１７に挿入すること、または、雄端の二つのねじ嵌合アーム２２３を通って雌端を押すこと、のどちらかに約１秒かかる。任意のタイプの好適なばねまたはばね様の機構が雄端内で用いられて、ねじ嵌合アームが移動し、旋回するのを可能にする。
【０２３８】
図１０Ａに示すように、ヒンジプラットフォーム２２０、ヒンジタワー２２１、およびヒンジ２２２が、係合端の反対の第一バックル部材（雄端）２１６に取り付けられ、係合端の反対の第二バックル部材（雌端）２１７に取り付けられる。同一のヒンジ２２２は、６５４特許のベルトバックルのベルト端（８４４特許のクイックリリースバックルのウェビングストラップ等を接合するためのウェブ受容スロットに類似）と、アイループを形成し、取り込むバー（同様に、前述のウェブ受容スロット）とを固定するための、前述のアイループの代わりとなる。ヒンジ２２２は、前述のアイループ／ウェブ受容スロットの概ねの配置に位置付けられる。同一ヒンジタワー２２１はヒンジ２２２を支持し、ヒンジタワーは、二つのディスプレイセグメント２１８、２１９それぞれの後部に取り付けられるヒンジプラットフォーム２２０に接続される。先行技術のクイックリリースバックルでベルトストラップ、ウェビングストラップ、等を受容するための前述のアイループおよびウェブ受容スロットは、取り付けられ、本明細書のネックウェアのネックバンドモジュールとディスプレイセグメントとを接続することを含む、改良型のクイックリリースバックルの特定の用途には役立たないだけでなく、改良型のインスタントクイックリリースバックルの用途の機能性を妨げるだろう。ヒンジ２２２を含む雄端２１６およびヒンジ２２２を含む雌端２１７は、任意の距離だけ、ヒンジプラットフォーム２２０の上で、さらには、ヒンジプラットフォームに取り付けられる任意の物品、この例では、二つのディスプレイセグメント２１８、２１９上で配置され得る。ヒンジプラットフォーム２２０はより大きい力と安全性を提供するが、場合によっては、ヒンジタワー２２１またはヒンジ２２２が直接ディスプレイセグメント２１８、２１９またはその他の物品に取り付けられる場合に、それらは除去され得る。ヒンジの任意の好適なタイプまたはサイズは、改良型のクイックリリースバックル上に含まれ得る。
【０２３９】
図１０Ｃに示すように、二つのねじ嵌合アーム２２３は、リリース開口部２２５に入り、リリース開口部２２５内に完全に拡張され、改良型のクイックリリースバックルの第一および第二バックル部材をロックする。一旦ねじ嵌合アームがリリース開口部に内に完全に拡張されると、それらはスナップしてロックする。バックル部材がロックされるときにユーザはクリック音を聞くという事実は、この「クリック」が、バックルが実際にロックされたという補償を与えるため、本明細書に開示のすべての実施形態の改良されたクイックリリースバックルの有利な特徴である。このインターロックする動作は、サイドリリースバックルに、そのサイズに対して大きな強さを与えるものであり、改良型のクイックリリースバックルに、数多くの締め付ける用途にとって理想的な解決をもたらす。さらに、単一圧縮点を有するか、または、機構にセンターリリースバックルを係合解除およびロック解除を引き起こさせるセンターリリースバックルとは異なり、改良型のクイックリリースバックルは、バックルを係合解除およびロック解除する二つの圧縮点を有し、それによって、偶発的な動きや衝撃によって不注意にバックルが接続解除するリスクを低減させる。改良型のクイックリリースバックルをロック解除するには、ユーザは、雄端および／または雌端を摺動分離して、それらを両方のリリース開口部２２５から係合解除する間、単にねじ嵌合アーム２２３を同時に押下する。
【０２４０】
上述の図５Ｂの修正された実施形態である、図１１Ａに示された例示的な実施形態では、改良型のクイックリリースバックルの第一バックル部材（雄端）および第二バックル部材（雌端）のヒンジプラットフォームは、改良型の分解ヒンジの代わりに、ネックウェアパネルの後部に接続して示されている。これらのバックル部材は（ネックバンドモジュール２３１および八つのディスプレイセグメント２３２を元々備えるネックウェアについては）以下の方法で取り付けられる。クイックリリースバックルの雄端２３３（上向きの中央ガイドのリード）をネックバンドモジュール２３１の底部分に、クイックリリースバックル雌端２３４（上向きの受容チャンバの開口部）をディスプレイセグメント１の上部分（ディスプレイセグメントがネックバンドモジュールのすぐ下）に、クイックリリースバックルの雄端２３３（上向きの中央ガイドのリード）をディスプレイセグメント１の底部分に、クイックリリースバックルの雌端２３４（上向きの受容チャンバの開口部）をディスプレイセグメント２の上部分に、クイックリリースバックルの雄端２３３（上向きの中央ガイドのリード）をディスプレイセグメント２の底部分に、クイックリリースバックルの雌端２３４（上向きの受容チャンバの開口）をディスプレイセグメント３の上部分に、クイックリリースバックルの雄端２３３（上向きの中央ガイドのリード）をディスプレイセグメント３の底部分に、クイックリリースバックルの雌端２３４（上向きの受容チャンバの開口）をディスプレイセグメント４の上部分に、クイックリリースバックルの雄端２３３（上向きの中央ガイドのリード）ディスプレイセグメント４の底部分に、クイックリリースバックルの雌端２３４（上向きの受容チャンバの開口部）をディスプレイセグメント５の上部分に、クイックリリースバックルの雄端２３３（上向きの中央ガイドのリード）をディスプレイセグメント５の底部分に、クイックリリースバックルの雌端２３４（上向きの受容チャンバの開口部）をディスプレイセグメント６の上部分に、クイックリリースバックルの雄端２３３（上向きの中央ガイドのリード）をディスプレイセグメント６の底部分に、クイックリリースバックルの雌端２３４（上向きの受容チャンバの開口部）をディスプレイセグメント７の上部分に、クイックリリースバックルの雄端２３３（上向きの中央ガイドのリード）をディスプレイセグメント７の底部分に、クイックリリースバックルの雌端２３４（上向きの受容チャンバの開口部）をディスプレイセグメント８の上部分を、クイックリリースバックルの雄端２３３（上向きの中央ガイドのリード）をディスプレイセグメント８の底部分に、クイックリリースバックルの雌端２３４（上向きの受容チャンバの開口部）をディスプレイセグメント９の上部分に取り付ける。改良型のクイックリリースバックルの第一バックル部材（雄端）および第二バックル部材（雌端）のヒンジプラットフォーム、ヒンジタワー、またはヒンジは、利用されるバックル部材、ヒンジプラットフォーム、ヒンジタワー、および／またはヒンジのタイプおよび組成、場合によっては、ネックバンドモジュール、ディスプレイセグメント、胴体セグメント、またはその他任意の物品の組成に応じて、はんだ付け、またはエポキシの使用を含む、当技術分野で周知の様々な方法のいずれかによって取り付けられてもよい。
【０２４１】
図１１Ｂに示すように、改良型のクイックリリースバックルはすべて、第一バックル部材（雄端）２３３と第二バックル部材（雌端）２３４とを係合することによってロックされており、上述のように、それによって、ネックウェアパネルのすべての構成要素を接続する。改良型のインスタントクイックリリースバックルは、ネックウェアのための締結具の三つの上述の特徴をすべて含む。タイ−クリップ様機構２３５を含むディスプレイ−クリップセグメントは、ディスプレイセグメント４に位置付けられている。
【０２４２】
図１１Ｃの例示的な実施形態に示す、三つの交換可能なディスプレイセグメント２３６〜２３８は、図１１Ａおよび図１１Ｂのネックウェア用に構成される。これらの交換可能なディスプレイセグメントはそれぞれ、改良型のクイックリリースバックルの雄端２３９および雌端２４０を含む。これら三つの交換可能なディスプレイセグメントはそれぞれ、図１１Ａおよび図１１Ｂのネックウェアの任意のディスプレイセグメントを置き換えるか、または、ネックウェアパネルに沿った任意のセグメント位置においてネックウェアに追加されてもよい。
【０２４３】
ユーザが、図１１Ａおよび図１１Ｂのネックウェアの末端ディスプレイセグメントを置き換えることを所望し、改良型のクイックリリースバックルの雄端が、図１１Ｃの交換可能なディスプレイセグメント２３６〜２３８を利用することによって、周りの人から見える（セグメントの底部において）ことを望まない場合、図１１Ｄの例示的な実施形態の交換可能な胴体セグメント２４１または交換可能なディスプレイセグメント２４２は、図１１Ａおよび図１１Ｂのネックウェアの末端セグメントに利用されてもよい。これらは、改良型のクイックリリースバックルの雄端２３９を含まない。底部に締結具部材のない末端ディスプレイセグメントはまた、一つのディスプレイ−セグメントのネックウェアパネルに対して、ディスプレイセグメント１の位置に再配置されてもよい。
【０２４４】
本明細書の任意のネックウェアの例示的な実施形態の末端ディスプレイセグメントまたは胴体セグメントの底部に向かって、任意の締結具の部材または部分を取り付けることは、任意である。図１Ａおよび図１Ｄに示す例示的な実施形態では、ディスプレイセグメント８の８の底部（この例では、末端ディスプレイセグメント）に向かう、改良型の分離締結具の第二ヒンジ部材（雌端）３４は図１Ｄに含まれている。図１１Ａおよび図１１Ｂの例示的な実施形態では、ディスプレイセグメント８（この例では、末端ディスプレイセグメント）に向かう改良型のクイックリリースバックルの第一バックル部材（雄端）２３３が除かれている。ディスプレイセグメント８はまだ、一つのディスプレイ−セグメントのネックウェアのためのネックバンドモジュール２３１に取り付けられ得る。締結具の部材または部分を、図１Ｄの第二ヒンジ部材３４または図１１Ａの第一バックル部材２３３といった、末端ディスプレイセグメント（または胴体セグメント）の底部に向かって取り付けることにより、末端ディスプレイセグメント（または胴体セグメント）が、その他の内部交換可能なディスプレイセグメント（または胴体セグメント）のそれぞれと内部交換可能となり、ディスプレイセグメント（または胴体セグメント）を、末端ディスプレイセグメント（または胴体セグメント）に追加することが可能となる。もちろん、ネックウェアが元々備えた端末ディスプレイセグメント（または胴体セグメント）の底部に向かう締結具の部材または部分を含まないことにより、それに応じた潜在的ネックウェアの組み合わせの数が減少する。
【０２４５】
ネックバンドモジュール、ディスプレイセグメント、または胴体セグメントを接続する任意の締結具または任意の締結具の部材または部分は、ネックバンドモジュール、ディスプレイセグメント、または胴体セグメントの鋳造物の一部として、またはその他任意の方法によって、提供され得る。鋳造物の一部ではない場合、ネックバンドモジュール、ディスプレイセグメント、または胴体セグメントを接続する締結具の組成は、ネックバンドモジュール、ディスプレイセグメント、または胴体セグメントの組成によって部分的に決定される。ネックウェアの締結具の組成はそれぞれ、様々な好適な材料から作製され得る。例えば、限定されないが、締結具は、金属、金属合金、繊維強化ポリマー（炭素繊維強化ポリマー等）、プラスチックを含む合成ポリマーのいずれかを組み込んでもよい。
【０２４６】
締結具がネックバンドモジュール、ディスプレイセグメント、または胴体セグメントの鋳造物の一部ではない場合、締結具の組成、および、ネックウェアのネックバンドモジュール、ディスプレイセグメント、または胴体セグメントの組成が、締結具をネックバンドモジュール、ディスプレイセグメント、または胴体セグメントに取り付ける方法を決定する役割を果たす。例えば、ディスプレイセグメントが炭素繊維強化ポリマーである場合、はんだ付けまたはろう付けは、締結具をディスプレイセグメントに取り付ける選択肢ではない。締結具およびネックウェアパネルの構成要素は、ねじ、例えば、または締結具で取り付けるための穴を含んでもよく、ネックウェアパネルの構成要素は、取り付けるための穴を含まなくてもよい。例えば、金属製ネックバンドモジュールは取付穴を有さなくてもよく、金属製締結具にはんだ付けされてもよく、エポキシが使用されてもよい。
【図１Ａ】
2020526674.tif 000002
【図１Ｂ】
2020526674.tif 000003
【図１Ｃ】
2020526674.tif 000004
【図１Ｄ】
2020526674.tif 000005
【図１Ｅ】
2020526674.tif 000006
【図２Ａ】
2020526674.tif 000007
【図２Ｂ】
2020526674.tif 000008
【図２Ｃ】
2020526674.tif 000009
【図２Ｄ】
2020526674.tif 000010
【図２Ｅ】
2020526674.tif 000011
【図２Ｆ】
2020526674.tif 000012
【図２Ｇ】
2020526674.tif 000013
【図２Ｈ】
2020526674.tif 000014
【図２Ｉ】
2020526674.tif 000015
【図２Ｊ】
2020526674.tif 000016
【図２Ｋ】
2020526674.tif 000017
【図２Ｌ】
2020526674.tif 000018
【図２Ｍ】
2020526674.tif 000019
【図２Ｎ】
2020526674.tif 000020
【図２Ｏ】
2020526674.tif 000021
【図２Ｐ】
2020526674.tif 000022
【図３Ａ】
2020526674.tif 000023
【図３Ｂ】
2020526674.tif 000024
【図３Ｃ】
2020526674.tif 000025
【図３Ｄ】
2020526674.tif 000026
【図３Ｅ】
2020526674.tif 000027
【図３Ｆ】
2020526674.tif 000028
【図３Ｇ】
2020526674.tif 000029
【図３Ｈ】
2020526674.tif 000030
【図３Ｉ】
2020526674.tif 000031
【図３Ｊ】
2020526674.tif 000032
【図３Ｋ】
2020526674.tif 000033
【図３Ｌ】
2020526674.tif 000034
【図３Ｍ】
2020526674.tif 000035
【図３Ｎ】
2020526674.tif 000036
【図３Ｏ】
2020526674.tif 000037
【図３Ｐ】
2020526674.tif 000038
【図３Ｑ】
2020526674.tif 000039
【図４Ａ】
2020526674.tif 000040
【図４Ｂ】
2020526674.tif 000041
【図４Ｃ】
2020526674.tif 000042
【図４Ｄ】
2020526674.tif 000043
【図４Ｅ】
2020526674.tif 000044
【図４Ｆ】
2020526674.tif 000045
【図５Ａ】
2020526674.tif 000046
【図５Ｂ】
2020526674.tif 000047
【図５Ｃ】
2020526674.tif 000048
【図５Ｄ】
2020526674.tif 000049
【図６】
2020526674.tif 000050
【図７Ａ】
2020526674.tif 000051
【図７Ｂ】
2020526674.tif 000052
【図７Ｃ】
2020526674.tif 000053
【図７Ｄ】
2020526674.tif 000054
【図７Ｅ】
2020526674.tif 000055
【図７Ｆ】
2020526674.tif 000056
【図８Ａ】
2020526674.tif 000057
【図８Ｂ】
2020526674.tif 000058
【図８Ｃ】
2020526674.tif 000059
【図８Ｄ】
2020526674.tif 000060
【図８Ｅ】
2020526674.tif 000061
【図８Ｆ】
2020526674.tif 000062
【図８Ｇ】
2020526674.tif 000063
【図８Ｈ】
2020526674.tif 000064
【図８Ｉ】
2020526674.tif 000065
【図９Ａ】
2020526674.tif 000066
【図９Ｂ】
2020526674.tif 000067
【図９Ｃ】
2020526674.tif 000068
【図１０Ａ】
2020526674.tif 000069
【図１０Ｂ】
2020526674.tif 000070
【図１０Ｃ】
2020526674.tif 000071
【図１１Ａ】
2020526674.tif 000072
【図１１Ｂ】
2020526674.tif 000073
【図１１Ｃ】
2020526674.tif 000074
【図１１Ｄ】
2020526674.tif 000075
【国際調査報告】
2020526674.tif 000076
2020526674.tif 000077
2020526674.tif 000078